(57)【特許請求の範囲】
【請求項１】
ワイヤレス送信／受信ユニット（ＷＴＲＵ）での時分割複信（ＴＤＤ）動作のための方法であって、
サービングセルに対する第１のＴＤＤアップリンク（ＵＬ）／ダウンリンク（ＤＬ）参照構成を受信するステップと、
前記サービングセルに対する第２のＴＤＤ  ＵＬ／ＤＬ参照構成を受信するステップと、
前記サービングセルに対する第３のＴＤＤ  ＵＬ／ＤＬ参照構成を受信するステップと、
ＵＬスケジューリングおよびＵＬハイブリッド自動再送要求（ＨＡＲＱ）のタイミングのために前記第１のＴＤＤ  ＵＬ／ＤＬ参照構成を使用するステップと、
ＤＬスケジューリングおよびＤＬ  ＨＡＲＱのタイミングのために前記第２のＴＤＤ  ＵＬ／ＤＬ参照構成を使用するステップと、
各サブフレームのためのＵＬ方向またはＤＬ方向を決定するための表示として、前記第３のＴＤＤ  ＵＬ／ＤＬ参照構成を使用するステップと
を含み、
サブフレームのための前記決定された方向はＤＬであるという条件で、前記ＤＬにおいて前記サブフレームで受信すること
を特徴とする方法。
【請求項２】
前記ＤＬにおいてサブフレームで受信することは、物理ダウンリンク制御チャネル（ＰＤＣＣＨ）を監視すること、エンハンストＰＤＣＣＨ（ＥＰＤＣＣＨ）を監視すること、物理ハイブリッドＡＲＱインジケータチャネル（ＰＨＩＣＨ）を復号すること、および、物理ダウンリンク共有チャネル（ＰＤＳＣＨ）を復号することのうちの少なくとも１つを含むことを特徴とする請求項１に記載の方法。
【請求項３】
前記第１のＴＤＤ  ＵＬ／ＤＬ参照構成はセル固有であることを特徴とする請求項１に記載の方法。
【請求項４】
前記第２のＴＤＤ  ＵＬ／ＤＬ参照構成はＷＴＲＵ固有であることを特徴とする請求項１に記載の方法。
【請求項５】
特定のサブフレームがＤＬとして示されるという条件で、前記特定のサブフレームに対する、スケジューリングされたＵＬ送信をキャンセルするステップ
をさらに含むことを特徴とする請求項１に記載の方法。
【請求項６】
前記ＷＴＲＵが前記第３のＴＤＤ  ＵＬ／ＤＬ参照を受信しないという条件で、前記ＷＴＲＵは、前記第２のＴＤＤ  ＵＬ／ＤＬ参照構成でＤＬとして示された各サブフレームでブラインド復号を実行して、前記サブフレームがＤＬ使用を意図されているかどうかを決定することを特徴とする請求項１に記載の方法。
【請求項７】
更新された第３のＴＤＤ  ＵＬ／ＤＬ参照構成を現在の再構成期間で受信するステップと、
前記更新された構成を、前記現在の再構成期間、および、次の再構成期間の少なくとも１つの少なくとも一部で適用するステップと
をさらに含むことを特徴とする請求項１に記載の方法。
【請求項８】
前記第２のＴＤＤ  ＵＬ／ＤＬ参照構成はダウンリンク制御情報（ＤＣＩ）の一部として受信されることを特徴とする請求項１に記載の方法。
【請求項９】
更新されたＴＤＤ  ＵＬ／ＤＬ構成を受信して、前記第１のＴＤＤ  ＵＬ／ＤＬ参照構成、または、前記第２のＴＤＤ  ＵＬ／ＤＬ参照構成の少なくとも１つを置換するステップと、
先の進行中のＵＬ／ＤＬ  ＨＡＲＱプロセスの少なくとも１つを、前記更新されたＴＤＤ  ＵＬ／ＤＬ構成に対応する少なくとも１つの新しいＵＬ／ＤＬ  ＨＡＲＱプロセスにマッピングするステップと
をさらに含むことを特徴とする請求項１に記載の方法。
【請求項１０】
前記第３のＴＤＤ  ＵＬ／ＤＬ参照構成はＷＴＲＵ固有であることを特徴とする請求項１に記載の方法。
【請求項１１】
更新された第３のＴＤＤ  ＵＬ／ＤＬ参照構成を再構成期間で受信することを予期するステップと、
前記更新された第３のＴＤＤ  ＵＬ／ＤＬ参照構成が受信されないという条件で、更新された第３のＴＤＤ  ＵＬ／ＤＬ参照構成が後で受信されるまで、前記第２のＴＤＤ  ＵＬ／ＤＬ構成でＤＬサブフレームとして示されたサブフレームでブラインド復号するステップと
をさらに含むことを特徴とする請求項１に記載の方法。
【請求項１２】
前記第１のＴＤＤ  ＵＬ／ＤＬ参照構成はシステム情報ブロック（ＳＩＢ）で受信されることを特徴とする請求項１に記載の方法。
【請求項１３】
前記第３のＴＤＤ  ＵＬ／ＤＬ参照構成はＤＣＩの一部として受信されることを特徴とする請求項１に記載の方法。
【請求項１４】
時分割複信（ＴＤＤ）動作のためのワイヤレス送信／受信ユニット（ＷＴＲＵ）であって、
サービングセルに対する第１のＴＤＤアップリンク（ＵＬ）／ダウンリンク（ＤＬ）参照構成を受信するように構成された受信機であって、
前記受信機は、前記サービングセルに対する第２のＴＤＤ  ＵＬ／ＤＬ参照構成を受信するようにさらに構成され、
前記受信機は、前記サービングセルに対する第３のＴＤＤ  ＵＬ／ＤＬ参照構成を受信するようにさらに構成される、受信機と、
ＵＬスケジューリングおよびＵＬハイブリッド自動再送要求（ＨＡＲＱ）のタイミングのために前記第１のＴＤＤ  ＵＬ／ＤＬ参照構成を使用するように構成されたプロセッサであって、
前記プロセッサは、ＤＬスケジューリングおよびＤＬ  ＨＡＲＱのタイミングのために前記第２のＴＤＤ  ＵＬ／ＤＬ参照構成を使用するようにさらに構成され、
前記プロセッサは、各サブフレームのためのＵＬ方向またはＤＬ方向を決定するための表示として、前記第３のＴＤＤ  ＵＬ／ＤＬ参照構成を使用するようにさらに構成される、プロセッサと
を備え、
サブフレームのための前記決定された方向はＤＬであるという条件で、前記ＤＬにおいて前記サブフレームで受信することを特徴とするワイヤレス送信／受信ユニット（ＷＴＲＵ）。
【請求項１５】
前記ＤＬにおいてサブフレームで受信することは、物理ダウンリンク制御チャネル（ＰＤＣＣＨ）を監視すること、エンハンストＰＤＣＣＨ（ＥＰＤＣＣＨ）を監視すること、物理ハイブリッドＡＲＱインジケータチャネル（ＰＨＩＣＨ）を復号すること、および、物理ダウンリンク共有チャネル（ＰＤＳＣＨ）を復号することのうちの少なくとも１つを含むことを特徴とする請求項１４に記載のＷＴＲＵ。
【請求項１６】
前記第１のＴＤＤ  ＵＬ／ＤＬ参照構成はセル固有であることを特徴とする請求項１４に記載のＷＴＲＵ。
【請求項１７】
前記第２のＴＤＤ  ＵＬ／ＤＬ参照構成はＷＴＲＵ固有であることを特徴とする請求項１４に記載のＷＴＲＵ。
【発明の詳細な説明】
【技術分野】
【０００１】
本発明は、無線通信に関する。
【背景技術】
【０００２】
（関連出願の相互参照）
本出願は、その内容が参照により本明細書に組み込まれている、２０１２年９月２６日に出願された米国仮特許出願第６１／７０５，９３６号、２０１３年１月１６日に出願された米国仮特許出願第６１／７５３，３５４号、および、２０１３年８月７日に出願された米国仮特許出願第６１／８６３，３５９号の利益を主張するものである。
【０００３】
第３世代パートナーシッププロジェクト（３ＧＰＰ）ロングタームエボリューション（ＬＴＥ）に準拠するワイヤレス通信システムは、最大で１００Ｍｂｐｓをダウンリンク（ＤＬ）で、および、最大で５０Ｍｂｐｓをアップリンク（ＵＬ）で、２×２構成に対してサポートすることが可能である。ＬＴＥ  ＤＬ方式は、直交周波数分割多元接続（ＯＦＤＭＡ）エアインターフェースに基づき得る。フレキシブルな展開の目的で、ワイヤレス通信システムは、スケーラブルな送信帯域幅をサポートし得るものであり、それらの帯域幅は、１．４、３、５、１０、１５、または２０ＭＨｚのうちの１つであり得る。各々の無線フレーム（例えば、１０ｍｓ）は、各々１ｍｓの１０個のサブフレームからなり得る。各々のサブフレームは、各々０．５ｍｓの２つのタイムスロットからなり得る。７つまたは６つのいずれかの直交周波数分割多重化（ＯＦＤＭ）シンボルが、タイムスロットごとに存在し得る。タイムスロットごとの７つのシンボルは、通常の巡回プレフィックス（ＣＰ）長さを伴って使用され得るものであり、タイムスロットごとの６つのシンボルは、拡張されたＣＰ長さを伴って使用され得る。特定の仕様に対するサブキャリア間隔は１５ｋＨｚである。７．５ｋＨｚを使用する低減されたサブキャリア間隔モードもまた、可能であり得る。
【０００４】
リソース要素（ＲＥ）は、１つのＯＦＤＭシンボル区間の間の１つのサブキャリアに対応し得る。０．５ｍｓタイムスロットの間の１２個の連続的なサブキャリアが、１つのリソースブロック（ＲＢ）を構成し得る。タイムスロットごとの７つのシンボルによって、各々のＲＢは、１２×７＝８４個のＲＥからなり得る。ＤＬキャリアは、６個から１１０個のＲＢからなり得るものであり、それらのＲＢは、おおよそ１ＭＨｚから２０ＭＨｚの、端から端までのスケーラブルな送信帯域幅に対応し得る。各々の送信帯域幅、例えば１．４、３、５、１０、または２０ＭＨｚは、いくつかのＲＢに対応し得る。
【０００５】
動的スケジューリングに対する基本的な時間領域ユニットは、２つの連続的なタイムスロットからなる１つのサブフレームであり得る。これは、時にはＲＢ対と呼ばれ得る。一部のＯＦＤＭシンボル上のあるサブキャリアが、パイロット信号または参照信号を、時間−周波数グリッドにおいて搬送するように割り振られ得る。送信帯域幅の縁部でのいくつかのサブキャリアは、スペクトルマスク要件に準拠するために送信され得ない。
【０００６】
周波数分割複信（ＦＤＤ）に対する単一のキャリア構成では、ネットワークは、ワイヤレス送信／受信ユニット（ＷＴＲＵ）に、ＵＬおよびＤＬキャリアの１つの対を割り当てることが可能である。時分割複信（ＴＤＤ）に対する単一のキャリア構成では、ネットワークは１つのキャリアを割り当てることが可能であり、そのキャリアは、ＵＬおよびＤＬに対して時間共有され得るものである。与えられたＷＴＲＵに対して、任意の与えられたサブフレームに対して、ＵＬに対してアクティブな単一のハイブリッド自動再送要求（ＨＡＲＱ）プロセス、および、ＤＬでアクティブな単一のＨＡＲＱプロセスが存在し得る。
【０００７】
キャリアアグリゲーション（ＣＡ）は、単一のキャリア動作からの進化を提供するものであり、その動作は、データレートを改善することを、解決策が数ある中で帯域幅拡張を使用して行うことを目指すものである。ＣＡによってＷＴＲＵは同時に、複数のサービングセルの、物理アップリンク共有チャネル（ＰＵＳＣＨ）を介して送信すること、または、物理ダウンリンク共有チャネル（ＰＤＳＣＨ）を介して受信することが可能である。例えば、ワイヤレス通信システム、例えるならＬＴＥ−アドバンスト（ＬＴＥ−Ａ）システムでは、最大で４つのセカンダリサービングセル（ＳＣｅｌｌ）が、プライマリサービングセル（ＰＣｅｌｌ）に加えて使用され得るものであり、そのことは、フレキシブルな帯域幅割り当てを最大で１００ＭＨｚ可能にする。アップリンク制御情報（ＵＣＩ）は、ＨＡＲＱ  ＡＣＫ／ＮＡＣＫフィードバックおよび／またはチャネル状態情報（ＣＳＩ）からなり得るものであるが、ＰＣｅｌｌの物理アップリンク制御チャネル（ＰＵＣＣＨ）リソース上で、または、アップリンク送信に対して構成されるサービングセルに対して利用可能なＰＵＳＣＨリソース上でのいずれかで送信され得る。
【０００８】
ＰＤＳＣＨおよびＰＵＳＣＨのスケジューリングに対する制御情報は、１または複数の物理ダウンリンク制御チャネル（ＰＤＣＣＨ）またはエンハンストＰＤＣＣＨ（ＥＰＤＣＣＨ）上で送信され得る。サービングセルに対するスケジューリングは、同じサービングセル上のＤＬ制御チャネルを介するものであり得る。加えて、ＣＡによって動作するとき、クロスキャリアスケジューリングがさらにサポートされ得るものであり、そのことは、ネットワークが、ＤＬ制御チャネルを１つのサービングセル上で使用して、ＰＤＳＣＨ割り当ておよび／またはＰＵＳＣＨグラントを他のサービングセルでの送信のために提供することを可能とし得る。
【発明の概要】
【０００９】
ワイヤレス送信／受信ユニット（ＷＴＲＵ）での時分割複信（ＴＤＤ）動作のための方法および装置が開示される。方法は、サービングセルに対する第１のＴＤＤアップリンク（ＵＬ）／ダウンリンク（ＤＬ）構成を受信するステップと、サービングセルに対する第２のＴＤＤ  ＵＬ／ＤＬ構成を受信するステップと、第１のＴＤＤ  ＵＬ／ＤＬ構成と第２のＴＤＤ  ＵＬ／ＤＬ構成との間の競合する方向を伴うサブフレームに使用するための方向の指示を受信するステップと、ＵＬスケジューリングおよびＵＬハイブリッド自動再送要求（ＨＡＲＱ）のタイミングに対して第１のＴＤＤ  ＵＬ／ＤＬ構成を使用するステップと、ＤＬスケジューリングおよびＤＬ  ＨＡＲＱのタイミングに対して第２のＴＤＤ  ＵＬ／ＤＬ構成を使用するステップと、受信される指示に基づいて、競合する方向を伴う各々のサブフレームに対して方向を決定するステップとを含み、競合する方向を伴うサブフレームに対する決定された方向はＤＬであるという条件で、ＤＬにおいてサブフレームで受信する。
【図面の簡単な説明】
【００１０】
【図１】ＴＤＤフレームの例を示す図である。
【図２】ＬＴＥによるＴＤＤ  ＵＬ／ＤＬ構成の例を示す図である。
【図３Ａ】ＷＴＲＵ固有の（WTRU-specific）参照信号のパターン、ＤＭ−ＲＳパターン、またはＤＭＲＳパターンとも呼ばれ得る、ＲＥ位置の例を示す図である。
【図３Ｂ】ＷＴＲＵ固有の参照信号のパターン、ＤＭ−ＲＳパターン、またはＤＭＲＳパターンとも呼ばれ得る、ＲＥ位置の例を示す図である。
【図３Ｃ】ＷＴＲＵ固有の参照信号のパターン、ＤＭ−ＲＳパターン、またはＤＭＲＳパターンとも呼ばれ得る、ＲＥ位置の例を示す図である。
【図３Ｄ】ＷＴＲＵ固有の参照信号のパターン、ＤＭ−ＲＳパターン、またはＤＭＲＳパターンとも呼ばれ得る、ＲＥ位置の例を示す図である。
【図３Ｅ】ＷＴＲＵ固有の参照信号のパターン、ＤＭ−ＲＳパターン、またはＤＭＲＳパターンとも呼ばれ得る、ＲＥ位置の例を示す図である。
【図３Ｆ】ＷＴＲＵ固有の参照信号のパターン、ＤＭ−ＲＳパターン、またはＤＭＲＳパターンとも呼ばれ得る、ＲＥ位置の例を示す図である。
【図４Ａ】１または複数の開示される実施形態が実装され得る、例示的な通信システムのシステム図である
【図４Ｂ】図４Ａに例示される通信システムの内部で使用され得る、例示的なワイヤレス送信／受信ユニット（ＷＴＲＵ）のシステム図である。
【図４Ｃ】図４Ａに例示される通信システムの内部で使用され得る、例示的な無線アクセスネットワークおよび例示的なコアネットワークのシステム図である。
【図５】ＷＴＲＵでのＴＤＤ動作のための第１の例示的な方法を示す図である。
【図６】ＷＴＲＵでのＴＤＤ動作のための第２の例示的な方法を示す図である。
【図７】ｅＮＢでのＴＤＤ動作のための第１の例示的な方法を示す図である。
【図８】ｅＮＢでのＴＤＤ動作のための第２の例示的な方法を示す図である。
【発明を実施するための形態】
【００１１】
キャリアアグリゲーション（ＣＡ）によって動作する周波数分割複信（ＦＤＤ）ワイヤレス送信／受信ユニット（ＷＴＲＵ）に対して、１つのハイブリッド自動再送要求（ＨＡＲＱ）エンティティが、各々のサービングセルに対して存在し得るものであり、その場合、各々のエンティティは、８つのＨＡＲＱプロセスを、例えば、サブフレームごとに１つを、１つのラウンドトリップタイム（ＲＴＴ）に対して有し得る。結果として、ＵＬに対して、およびＤＬに対してアクティブな２つ以上のＨＡＲＱプロセスが、任意の与えられたサブフレームで、ただし、多くても１つのアップリンク（ＵＬ）および１つのダウンリンク（ＤＬ）ＨＡＲＱプロセスが、構成されるサービングセルごとに存在し得る。
【００１２】
物理ランダムアクセスチャネル（ＰＲＡＣＨ）リソースは、６つの隣接する物理リソースブロック（ＰＲＢ）からなり得る。ＦＤＤに対しては、ＰＲＡＣＨリソースは時間多重化されるのみであり得るものであり、例えば、多くても１つのＰＲＡＣＨリソースが、サブフレームごとに存在し得る。ＴＤＤに対しては、ＰＲＡＣＨリソースは、加えて周波数で多重化され得るものであり、例えば、複数のＰＲＡＣＨリソースが、与えられたＵＬサブフレームに対して存在し得る。ＰＲＡＣＨリソースは、ＷＴＲＵに対して、ＰＲＡＣＨ−Ｃｏｎｆｉｇ情報要素（ＩＥ）の受信から構成され得るものであり、その情報要素はｐｒａｃｈ−ＣｏｎｆｉｇＩｎｄｅｘを含み得るものである。ＰＲＡＣＨ−Ｃｏｎｆｉｇ  ＩＥは、システム情報ブロック（ＳＩＢ）２で、ブロードキャスト制御チャネル（ＢＣＣＨ）上で、例えばアイドルモードＷＴＲＵに対して、および、ＰＣｅｌｌに対して、接続されたモードのＷＴＲＵに対して受信され得る。ＰＲＡＣＨ−Ｃｏｎｆｉｇ  ＩＥは、専用化された（dedicated）無線リソース制御（ＲＲＣ）プロトコルデータユニット（ＰＤＵ）で、ＰＤＳＣＨ上で、ＳＣｅｌｌに対して、接続されたモードのＷＴＲＵに対して受信され得る。ｐｒａｃｈ−ＣｏｎｆｉｇＩｎｄｅｘは、フレーム構造（例えば、ＦＤＤまたはＴＤＤ）に依存して、異なって解釈され得る。ＴＤＤ（フレーム構造タイプ２を有し得る）に対してＷＴＲＵは、ＰＲＡＣＨ割り振りの密度を決定することを、無線フレームごとに（例えば、１０ｍｓごとに）ｐｒａｃｈ−ＣｏｎｆｉｇＩｎｄｅｘを使用して行うことが可能である。ＷＴＲＵは、関心の以下のパラメータの１または複数を決定することもまた可能であり、それらのパラメータとは、周波数リソースインデックス（例えば、ＰＲＡＣＨリソースの第１のＰＲＢへのインデックス）；ＰＲＡＣＨリソースは、すべての無線フレームで再度出現しているか、偶数フレームで再度出現しているか、または奇数フレームで再度出現しているか；ＰＲＡＣＨリソースは、無線フレームの第１の半分（例えば、第１の５ｍｓ）で出現しているか、または第２の半分で出現しているか；および、第１のＵＬサブフレームから、２つの連続的なＤＬ対ＵＬ切替ポイントの間で計数され得る、リソースのＵＬサブフレーム数である。これらのパラメータは、ＴＤＤ  ＵＬ／ＤＬ構成とともに、時間−周波数位置を特定のＰＲＡＣＨリソースに対して提供することが可能である。
【００１３】
動作のＦＤＤモードでは、異なるキャリアがＵＬおよびＤＬ送信に対して使用され得るものであり、フルデュプレックスＷＴＲＵは同時に、ＤＬで受信し、ＵＬで送信することが可能である。動作のＴＤＤモードでは、ＵＬおよびＤＬ送信が、同じキャリア周波数上で遂行され得るものであり、時間的に分離され得る。与えられたキャリアに対して、ＷＴＲＵは同時には、ＤＬで受信し、ＵＬで送信することは可能でない。図１は、１０ｍｓＴＤＤフレームの例であり、そのフレームは、各々１ｍｓの１０個のサブフレームからなる。図１は、サブフレーム＃０  １０１から＃９  １１０まで通して含む。あるサブフレームがＤＬに対するものであり、他のものがＵＬに対するものである。特殊サブフレームもまた存在し、それらのサブフレームは、ＤＬサブフレームとＵＬサブフレームとの間で切り替えるために使用され得る。特殊サブフレームの例は、サブフレーム＃１  １０２および＃６  １０７である。これらのサブフレームは、ＤＬ部分（ＤｗＰＴＳ）１０２（ａ）／１０７（ａ）、ガード期間（ＧＰ）１０２（ｂ）／１０７（ｂ）、およびＵＬ部分（ＵｐＰＴＳ）１０２（ｃ）／１０７（ｃ）を有し得る。
【００１４】
サブフレームは、ＵＬとＤＬとの間でＴＤＤ  ＵＬ／ＤＬ構成によって分割され得る。図２は、ＬＴＥによるＴＤＤ  ＵＬ／ＤＬ構成の例である。図２に例示されるように、７つの異なる構成、すなわち構成０  ２０１から構成６  ２０７が存在する。各々の構成では、あるサブフレームが、ＤＬ、ＵＬ、または特殊サブフレームである。例示の目的で、ＤＬ対ＵＬサブフレームの比率は、ＤＬに特殊サブフレームを加えたものの数対ＵＬサブフレームの数の比率であり得る。この例では構成０  ２０１は、２対３のＤＬ対ＵＬサブフレームの比率を有する。構成１  ２０２は、３対２のＤＬ対ＵＬサブフレームの比率を有する。構成２  ２０３は、４対１のＤＬ対ＵＬサブフレームの比率を有する。構成３  ２０４は、７対３のＤＬ対ＵＬサブフレームの比率を有する。構成４  ２０５は、８対２のＤＬ対ＵＬサブフレームの比率を有する。構成５  ２０６は、９対１のＤＬ対ＵＬサブフレームの比率を有する。構成６  ２０７は、５対５のＤＬ対ＵＬサブフレームの比率を有する。
【００１５】
表１はＴＤＤ  ＵＬ／ＤＬ構成を、構成のＵＬ／ＤＬ切替ポイント周期性とともに示す。ＤＬサブフレームからＵＬサブフレームに切り替えることは、特殊サブフレームで達成され得るものであるが、サブフレーム１、または、サブフレーム１および６で起こるのみであり得る。
【００１６】
【表１】
0006043876.tif 000002
【００１７】
表２は特殊サブフレーム構成の例を示すものであり、それらの構成では、同じＣＰ長さがＤＬおよびＵＬの両方で使用される。ＤｗＰＴＳ、ＧＰ、およびＵｐＰＴＳに対して示される値は、ＯＦＤＭシンボルでのものである。
【００１８】
【表２】
0006043876.tif 000003
【００１９】
表２によれば通常のＣＰ事例では、ＧＰは、１、２、３、４、６、９、および１０個のＯＦＤＭシンボルだけ長くあり得る。拡張されたＣＰ事例では、ＧＰは、１、２、３、５、７、および８つのＯＦＤＭシンボルだけ長くあり得る。特殊サブフレームは、少なくとも１つのＯＦＤＭシンボルをＵｐＰＴＳに対して有し得る。ＤＬ部分（ＤｗＰＴＳ）は、通常であるが短縮されたＤＬサブフレームとして扱われ得るものであり、そのＤＬサブフレームは、ＤＬ制御信号（例えば、ＰＤＣＣＨ、ＥＰＤＣＣＨ、物理制御フォーマットインジケータチャネル（ＰＣＦＩＣＨ）、物理ハイブリッドＡＲＱインジケータチャネル（ＰＨＩＣＨ）のうちの１または複数）、および場合によってはＤＬデータ、例えばＰＤＳＣＨを搬送することが可能であるものである。特殊サブフレームＵＬ部分は、サウンディング参照信号（ＳＲＳ：sounding reference signal）またはランダムアクセス要求を搬送することが可能である。特殊サブフレームは、時にはＤＬサブフレームとして扱われ得る。
【００２０】
図３Ａ〜３Ｆは、ＲＥ位置の例を示すものであり、それらのＲＥ位置はさらに、ＷＴＲＵ固有の参照信号のパターン、ＤＭ−ＲＳパターン、またはＤＭＲＳパターンと呼ばれ得る。図３Ａ〜３Ｄは、通常のＣＰについての例を示し、図３Ａは、アンテナポート７についての例を示し、図３Ｂは、アンテナポート８についての例を示し、図３Ｃは、アンテナポート９についての例を示し、図３Ｄは、アンテナポート１０についての例を示す。図３Ｅおよび３Ｆは、アンテナポート７および８についての例を、それぞれ、拡張されたＣＰについて示す。特殊サブフレームでは、特殊ＤＭ−ＲＳパターンが定義され得るものであり、そのことは、参照信号がサブフレームのＤｗＰＴＳ領域に、図３Ａ〜３Ｃに示されるように、一部の特殊サブフレーム構成に対して配置され得るようなものである。これらの特殊パターンは、ある送信モード（ＴＭ）、例えるならＴＭ８および９に適用可能であり得るものであり、それらの送信モードは、ＤＭ−ＲＳを使用することが可能であるものである。他の送信モードに対しては特殊サブフレームでは、特殊ＤＭ−ＲＳパターンは定義され得ない。示されないが、特殊ＤＭ−ＲＳパターンは、通常のＣＰに対する他のアンテナポート、例えばアンテナポート１１〜１４に対して、特殊サブフレームに適用可能であり得る。
【００２１】
図３Ａは、アンテナポート７に対する特殊サブフレーム構成１、２、６、および７に対するＤＭ−ＲＳパターン３０１、特殊サブフレーム構成３、４、８、および９に対するＤＭ−ＲＳパターン３０２、および、すべての他のダウンリンクサブフレームに対するＤＭ−ＲＳパターン３０３を例示する。図３Ｂは、アンテナポート８に対する特殊サブフレーム構成１、２、６、および７に対するＤＭ−ＲＳパターン３０４、特殊サブフレーム構成３、４、８、および９に対するＤＭ−ＲＳパターン３０５、および、すべての他のダウンリンクサブフレームに対するＤＭ−ＲＳパターン３０６を例示する。
【００２２】
図３Ｃは、アンテナポート９に対する特殊サブフレーム構成１、２、６、および７に対するＤＭ−ＲＳパターン３０７、特殊サブフレーム構成３、４、８、および９に対するＤＭ−ＲＳパターン３０８、および、すべての他のダウンリンクサブフレームに対するＤＭ−ＲＳパターン３０９を例示する。図３Ｄは、アンテナポート１０に対する特殊サブフレーム構成１、２、６、および７に対するＤＭ−ＲＳパターン３１０、特殊サブフレーム構成３、４、８、および９に対するＤＭ−ＲＳパターン３１１、および、すべての他のダウンリンクサブフレームに対するＤＭ−ＲＳパターン３１２を例示する。
【００２３】
図３Ｅは、アンテナポート７に対する特殊サブフレーム構成１、２、３、５、および６に対するＤＭ−ＲＳパターン３１３、および、すべての他のダウンリンクサブフレームに対するＤＭ−ＲＳパターン３１４を例示する。図３Ｆは、アンテナポート８に対する特殊サブフレーム構成１、２、３、５、および６に対するＤＭ−ＲＳパターン３１５、および、すべての他のダウンリンクサブフレームに対するＤＭ−ＲＳパターン３１６を例示する。
【００２４】
深刻な干渉を隣接するセル上で発生させることを回避するために、同じＴＤＤ  ＵＬ／ＤＬ構成が、隣接するセルに対して使用され得る。構成の変化が接続を途絶させる場合があるので、構成は、頻繁には変化し得ないものであり、静的または準静的と考えられ得る。
【００２５】
ＴＤＤ  ＵＬおよびＤＬ  ＨＡＲＱプロセスの数は、ＴＤＤ  ＵＬ／ＤＬ構成に依存し得る。
【００２６】
一部のＬＴＥ実装形態では、帯域内キャリアアグリゲーションがサポートされ得るものであり、ＴＤＤに対するアグリゲートされたキャリアは、同じＴＤＤ  ＵＬ／ＤＬ構成を有し得る。
【００２７】
ＦＤＤでは、サブフレーム｛０，４，５，９｝はＭＢＳＦＮサブフレームとして構成され得ないものであり、一方でＴＤＤでは、サブフレーム｛０，１，２，５，６｝はＭＢＳＦＮサブフレームとして構成され得ない。
【００２８】
ＴＤＤ  ＤＬスケジューリングタイミングは、ＦＤＤのそれと同じであり得る。例えばＷＴＲＵは、スケジューリンググラントをＤＬ送信に対して、ＤＬ送信と同じサブフレームで受信することが可能である。ＴＤＤ  ＤＬ  ＨＡＲＱプロトコルは、非同期的および適応的であり得るものであり、そのことは、常に、ＤＬグラントを搬送するＰＤＣＣＨ（またはＥＰＤＣＣＨ）が、全てのＤＬ再送信に対して存在し得るということを意味し得る。
【００２９】
ＵＬスケジューリングおよび再送信タイミングをＴＤＤ  ＵＬ／ＤＬ構成１〜６に対して考えると、ＷＴＲＵによる、サブフレームｎでの、ＷＴＲＵに対して意図されるアップリンクグラントを伴うダウンリンク制御情報（ＤＣＩ）フォーマットによるＰＤＣＣＨ（またはＥＰＤＣＣＨ）の検出、および／または、ＷＴＲＵに対して意図されるＰＨＩＣＨ送信の際に、ＷＴＲＵは、対応するＰＵＳＣＨ送信を、サブフレームｎ＋ｋで、ただしｋは表３で与えられるものとして、ＰＤＣＣＨ（またはＥＰＤＣＣＨ）およびＰＨＩＣＨ情報によって調整することが可能である。
【００３０】
ＴＤＤ  ＵＬ／ＤＬ構成０に対しては、ＷＴＲＵによる、サブフレームｎでの、ＷＴＲＵに対して意図される（ＵＬ  ＤＣＩフォーマットと呼ばれ得る）アップリンクグラントを伴うＤＣＩフォーマットによるＰＤＣＣＨ（またはＥＰＤＣＣＨ）の検出、および／または、そのＷＴＲＵに対して意図されるＰＨＩＣＨ送信の際に、ＷＴＲＵは、対応するＰＵＳＣＨ送信を、サブフレームｎ＋ｋで調整することが以下の場合に可能であり、以下の場合とは、アップリンクＤＣＩフォーマットによるＰＤＣＣＨでのＵＬインデックスの最上位ビット（ＭＳＢ）が１にセットされている場合、または、ＰＨＩＣＨが、サブフレームｎ＝０または５で、ＩPHICH＝０に対応するリソースで受信される場合であり、ただし、ｋは表３で与えられるものであり、ＩPHICHは、サブフレームｎ＝４または９でのＰＵＳＣＨ送信を伴うＴＤＤ  ＵＬ／ＤＬ構成０に対して１に等しくあり得るものであり、ＩPHICHは、そうでない場合は０に等しくあり得るものである。
【００３１】
ＴＤＤ  ＵＬ／ＤＬ構成０に対して、ＵＬ  ＤＣＩフォーマット、例えるならフォーマット０または４であり得るＤＣＩフォーマットでの、ＵＬインデックスの最下位ビット（ＬＳＢ）が、サブフレームｎで１にセットされている場合、または、ＰＨＩＣＨが、サブフレームｎ＝０または５で、ＩPHICH＝１に対応するリソースで受信される場合、または、ＰＨＩＣＨが、サブフレームｎ＝１または６で受信される場合、ＷＴＲＵは、対応するＰＵＳＣＨ送信を、サブフレームｎ＋７で調整することが可能である。ＴＤＤ  ＵＬ／ＤＬ構成０に対して、アップリンクＤＣＩフォーマットによるＰＤＣＣＨでのＵＬインデックスのＭＳＢおよびＬＳＢの両方が、サブフレームｎでセットされている場合、ＷＴＲＵは、対応するＰＵＳＣＨ送信を、サブフレームｎ＋ｋおよびｎ＋７の両方で調整することが可能であり、ただしｋは表３で与えられるものである。表３は、ＵＬスケジューリングタイミングｋの、ＴＤＤ構成０〜６に対する例である。
【００３２】
【表３】
0006043876.tif 000004
【００３３】
例として構成１に対して、ＵＬグラントがＤＬでサブフレームｎ＝１で受信されるならば、表からｋ＝６であり、グラントは、サブフレームｎ＋ｋ＝１＋６＝７でのＰＵＳＣＨに対するものである。
【００３４】
ＴＤＤでは、ＤＬ  ＨＡＲＱタイミング機構は、バンドリングウィンドウの概念に基づき得るものであり、そのバンドリングウィンドウは、ＤＬサブフレームのセットからなるものである。これらのＤＬサブフレームに対応するＤＬ  ＨＡＲＱフィードバックビットは、一体にバンドル（bundle）され、ｅＮＢに、同じＵＬサブフレームで、ＰＵＣＣＨまたはＰＵＳＣＨのいずれかによって送信され得る。ＵＬサブフレームｎは、ＤＬ  ＨＡＲＱフィードバックビットを、Ｍ個のＤＬサブフレームに対して搬送することが可能であり、ただしＭ≧１である。
【００３５】
表４は、ＤＬ関連付けセットインデックスＫ：｛ｋ0，ｋ1，…ｋM-1｝の、ＴＤＤ  ＤＬ  ＨＡＲＱに対する例である。表４を参照すると、ＵＬサブフレームｎは、各々のＤＬサブフレームｎ−ｋのＤＬ  ＨＡＲＱフィードバックビットを搬送することが可能であり、ただし、ｋ∈Ｋであり、Ｋは、Ｍ個の要素｛ｋ0，ｋ1，…ｋM-1｝のセットである。Ｍは、バンドリングウィンドウの、ＤＬサブフレームに関してのサイズとして考えられ得る。
【００３６】
【表４】
0006043876.tif 000005
【００３７】
例として構成１に対して、ＵＬサブフレームｎ＝２は、ＤＬ  ＨＡＲＱフィードバックビットを２のサブフレームｎ−ｋに対して搬送するものであり、ただしｋ＝７およびｋ＝６であり、それらは２−７および２−６に対応する。フレームは各々１０個のサブフレームであるので、これは、以前のフレームでのサブフレーム５および６に対応する。
【００３８】
ＰＵＣＣＨに対して使用され得る物理リソースは、２つのパラメータ
【００３９】
【数１】
0006043876.tif 000006
【００４０】
および
【００４１】
【数２】
0006043876.tif 000007
【００４２】
に依存し得るものであり、それらのパラメータは、より高い層により与えられ得る。変数
【００４３】
【数３】
0006043876.tif 000008
【００４４】
は、帯域幅をＲＢに関して表し得るものであり、それらのＲＢは、あるＰＵＣＣＨフォーマット、例えるならフォーマット２／２ａ／２ｂの送信に対して、各々のスロットで利用可能であり得るものである。変数
【００４５】
【数４】
0006043876.tif 000009
【００４６】
は、循環シフトの数を表し得るものであり、それらの循環シフトは、あるＰＵＣＣＨフォーマット、例えるなら１／１ａ／１ｂに対してＲＢで使用され得るものであり、そのＲＢは、フォーマットの混合、例えるなら１／１ａ／１ｂおよび２／２ａ／２ｂに対して使用され得るものである。ＰＵＣＣＨフォーマット、例えるなら１／１ａ／１ｂ、２／２ａ／２ｂ、および３の送信に対して使用され得るリソースは、非負のインデックス
【００４７】
【数５】
0006043876.tif 000010
【００４８】
、
【００４９】
【数６】
0006043876.tif 000011
【００５０】
、および
【００５１】
【数７】
0006043876.tif 000012
【００５２】
それぞれにより表され得る。
【００５３】
表５は、ｋＰＨＩＣＨの、ＴＤＤに対する例である。スケジューリングセルからスケジューリングされる、サブフレームｎでのＰＵＳＣＨ送信に対して、ＷＴＲＵは、サブフレームｎ＋ｋＰＨＩＣＨにあるべきそのスケジューリングセルの対応するＰＨＩＣＨリソースを決定することが可能であり、ただしｋＰＨＩＣＨは表５で与えられるものである。サブフレームバンドリング動作に対して、対応するＰＨＩＣＨリソースは、バンドル内の最後のサブフレームに関連付けられ得る。
【００５４】
【表５】
0006043876.tif 000013
【００５５】
例として構成１に対して、ＷＴＲＵがＰＵＳＣＨをサブフレームｎ＝２で送信するならば、それは、ＵＬ  ＨＡＲＱ−ＡＣＫフィードバックを提供するＰＨＩＣＨをサブフレームｎ＋ｋＰＨＩＣＨで予測することが可能であり、表からのそのｋＰＨＩＣＨは４であり、そのためＷＴＲＵは、ＰＨＩＣＨをサブフレーム２＋４＝６で予測することが可能である。
【００５６】
ＰＨＩＣＨリソースは、インデックス対
【００５７】
【数８】
0006043876.tif 000014
【００５８】
により識別され得るものであり、ただし
【００５９】
【数９】
0006043876.tif 000015
【００６０】
は、ＰＨＩＣＨグループ数であり得るものであり、
【００６１】
【数１０】
0006043876.tif 000016
【００６２】
は、グループの内部での直交シーケンスインデックスであり得るものであり、以下のものが適用することが可能である。
【００６３】
【数１１】
0006043876.tif 000017
【００６４】
ただしｎDMRSは、ＤＭＲＳフィールドに対する循環シフトから、アップリンクＤＣＩフォーマットによる直近のＰＤＣＣＨで、対応するＰＵＳＣＨ送信に関連付けられるトランスポートブロックに対してマッピングされ得る。ｎDMRSは、一部のシナリオに対して０にセットされ得るものであり、それらのシナリオでは、アップリンクＤＣＩフォーマットによるＰＤＣＣＨは、同じトランスポートブロックに対して存在しない。
【００６５】
【数１２】
0006043876.tif 000018
【００６６】
は、ＰＨＩＣＨ変調に対して使用される拡散因子（spreading factor）サイズであり得る。ＩPRB_RAは、下記で示されるようなものであり得る。
【００６７】
【数１３】
0006043876.tif 000019
【００６８】
ただし
【００６９】
【数１４】
0006043876.tif 000020
【００７０】
は、対応するＰＵＳＣＨ送信の第１のスロットでの最も低いＰＲＢインデックスであり得る。
【００７１】
【数１５】
0006043876.tif 000021
【００７２】
は、より高い層により構成されるＰＨＩＣＨグループの数であり得る。
【００７３】
アイドルモード動作に関しては、適切なＴＤＤセルのセル検出および選択は、ＳＩＢ１がＷＴＲＵにより読み出されるまで、ＴＤＤ  ＵＬ／ＤＬ構成に非依存的であり得る。プライマリ同期信号（ＰＳＳ）、セカンダリ同期信号（ＳＳＳ）、マスタ情報ブロック（ＭＩＢ）を搬送することが可能である物理ブロードキャストチャネル（ＰＢＣＨ）、およびＳＩＢ１が、あらかじめ決定されたサブフレーム、例えばサブフレーム０および５で送信され得るものであり、それらのサブフレームは、ＴＤＤ  ＵＬ／ＤＬ構成に関わらずＤＬであり得る。セルの適切性を通常の動作に対して決定するために使用される情報とともに、ＷＴＲＵは、セルのＴＤＤ  ＵＬ／ＤＬ構成の知識を得ることは、それがＳＩＢ１を読み出してしまうまで可能でない。
【００７４】
アイドルモードではＷＴＲＵは、それがキャンプ（camp）している現在のサービングセルに関する測定、および、隣接するセルの測定を遂行することが可能であり、その隣接するセルの測定は、同じキャリア周波数に関するもの、例えば周波数内隣接セル測定、および、異なるキャリア周波数に関するもの、例えば周波数間隣接セル測定の両方である。
【００７５】
サービングｅノードＢ（ｅＮＢ）は、隣接セルに対する測定に関わる情報を、そのシステムブロードキャスト情報内で、および、専用化された測定優先度情報を、専用化されたＲＲＣシグナリングによって提供することが可能である。ＷＴＲＵは、提供されるセルリストの部分でないセルを検出および測定することもまた可能である。例えば、ＷＴＲＵが遂行する必要があり得る測定の量を制限するために、および例えば、バッテリ消費をその不連続受信（ＤＲＸ）サイクルの間で最小化するために、ＷＴＲＵは、以下の条件を、周波数間および周波数内隣接物を測定するために有し得るものであり、それらの条件は、キャリアで指定される周波数優先度に基づけられ得る。現在の周波数より高い優先度が割り当てられる周波数に対して、ＷＴＲＵは、周波数間測定をセルに関してそのより高い優先度周波数で遂行することが可能である。現在の周波数以下の優先度が割り当てられる周波数に対して、および現在の周波数に対して、ＷＴＲＵは、周波数間測定および／または周波数内測定を遂行することを、現在のセルの参照信号受信電力（ＲＳＲＰ：Reference Signal Received Power）および／または参照信号受信品質（ＲＳＲＱ：Reference Signal Received Quality）が、指定されるしきい値を下回ると、行うことが可能である。
【００７６】
セル再選択基準が、システム情報で指定されるしきい値に基づいて満たされるときに、ＷＴＲＵが、別のセルへのセル再選択を遂行することに決めることが可能であるように、隣接セルの測定は、アイドルモードで監視および評価され得る。
【００７７】
ＷＴＲＵが、ネットワークにより、それがアイドルモードである間に連絡されるために、ネットワークはページングメッセージを使用することが可能である。ページングメッセージの内部に内包される情報は、例えばネットワークへの接続を確立するために、ＷＴＲＵ固有であり得るものであり、または、例えばＷＴＲＵに、セルのあるブロードキャスト情報に対する変化を通知するための、一般的なインジケータを含み得るものであり、そのブロードキャスト情報は、地震津波警報システム（ＥＴＷＳ）および商用移動アラートサービス（ＣＭＡＳ）情報を含み得る。例えば、ＷＴＲＵが、可能であるページ（page）を探し求めるために必要とし得る時間の量を最小化するために、ＤＲＸサイクルおよびページングオケージョンがＷＴＲＵに、セルシステム情報によって、および／または、より高い層で指定されるパラメータによって割り当てられ得る。ＴＤＤに対しては、セルで必要とされるページングリソースの数に依存して、ページング情報が、サブフレーム｛０，１，５，６｝の１または複数で、ＰＤＳＣＨ上で送信され得るものであり、そのＰＤＳＣＨのリソース位置はＰＤＣＣＨ上で送信されるものであり、そのＰＤＣＣＨは、ページング無線ネットワーク一時識別子（Ｐ−ＲＮＴＩ：Paging Radio Network Temporary Identifier）によってマスクされ得る。セルで割り当てられる単一のＰ−ＲＮＴＩが存在し得るので、単一のページングメッセージが、あらかじめ割り当てられたサブフレーム上で送信され得る。アイドルモードではＷＴＲＵは、ページを、そのページングオケージョンに対応するサブフレームでのみ探し求めることが可能であり、ＷＴＲＵのページングオケージョンは、サブフレーム｛０，１，５，６｝の１つに対応するのみであり得る。接続されたモードではＷＴＲＵは、ある状況で、例えるならＳＩＢ変化のイベントでページングされ得る。この事例ではＷＴＲＵは、ページを探し求めることを、ページを含み得る任意のサブフレームで行うことが可能である。
【００７８】
接続されたモードでは、アイドルモードと同様にＷＴＲＵは、測定をサービングセルおよび隣接セルに関して遂行することが可能である。接続されたモードでの測定は、専用化されたＲＲＣシグナリングにより構成され得る。測定結果の報告もまた、ＷＴＲＵに対して構成され得る。ＷＴＲＵによる測定報告の送信は、周期的である場合があり、またはイベントトリガされる場合がある。結果は例えば、ｅＮＢにより、無線リソース管理の目的で、例えるならハンドオーバ判断のために、および／または、ＷＴＲＵによる無線リンク監視のために使用され得る。
【００７９】
ハンドオーバは、ネットワークで基礎付けられた手順であり得るものであり、その手順では、接続されたモードでのＷＴＲＵは、ソースセルからターゲットセルに動くように指令される。手順は、例えば測定報告により、ＷＴＲＵで支援され得る。ＷＴＲＵがターゲットセルにハンドオーバするように指令される前に、ソースセルおよびターゲットセルは、ハンドオーバに対して準備することが可能である。ハンドオーバを実行するためにＷＴＲＵは、ターゲットセルと同期することを試行することを、例えばｍｏｂｉｌｉｔｙＣｏｎｔｒｏｌＩｎｆｏ  ＩＥ内の、ターゲットセルに関してソースセルにより提供される情報に基づいて行うことが可能であり、そのｍｏｂｉｌｉｔｙＣｏｎｔｒｏｌＩｎｆｏ  ＩＥは、共通チャネルに対するリソース情報を含み得るものであり、その情報は、ＳＩＢでさらに提供される情報、エンハンストパケットシステム（ＥＰＳ：Enhanced Packet System）ベアラの移転のための専用化されたリソース情報、および、あらかじめ割り振られたランダムアクセスリソースに対する専用化されたＲＡＣＨ情報であり得るものであり、それらのランダムアクセスリソースは、他のＷＴＲＵとのコンテンションを有し得ないものである。
【００８０】
ＷＴＲＵが、無線リンク失敗をターゲットセルとの同期の間に検出する、または、ハンドオーバ手順のためのタイマ、例えばタイマ３０４（Ｔ３０４）が満了するならば、ＷＴＲＵは、ソースセルに戻るように接続を再確立することを試行することを、ハンドオーバの前の以前の構成を使用して行うことが可能である。
【００８１】
セミパーシステントスケジューリング（ＳＰＳ）は、ＷＴＲＵが、周期的なＤＬまたはＵＬリソースが割り振られることが、ＰＤＣＣＨによる、ＤＬの明示的なスケジューリング、またはＵＬリソースのグラントなしで行われ得る、手順であり得る。ＳＰＳに対する典型的な使用は、サービス、例えるならボイスオーバインターネットプロトコル（ＶＯＩＰ）である。ＳＰＳ構成は、ＷＴＲＵにＲＲＣシグナリングによって、例えば専用化されたリソース構成の部分として送信され得る。ＳＰＳがアクティブ化される正確なサブフレームは、ＤＬグラントによりＰＤＣＣＨによって提供され得るものであり、ＳＰＳ  セル−ＲＮＴＩ（Ｃ−ＲＮＴＩ）によってマスクされ得るものであり、そのＣ−ＲＮＴＩは、ＲＲＣ構成メッセージで指定され得るものである。ＳＰＳ構成の解放もまた、ネットワークによりＰＤＣＣＨシグナリングによってシグナリングされ得る。加えて、送信するデータが、ＳＰＳに基づく割り振りに対して、ある数のサブフレームに対して存在しなかった場合に、ＵＬ  ＳＰＳに対してＷＴＲＵは、ＳＰＳ構成を暗黙に解放することが可能である。
【００８２】
ＴＤＤに対しては、ＵＬ  ＳＰＳ構成でのパラメータ、例えばｔｗｏＩｎｔｅｒｖａｌｓＣｏｎｆｉｇが存在し得、そのｔｗｏＩｎｔｅｒｖａｌｓＣｏｎｆｉｇは、ＴＲＵＥにセットされるならば、ＵＬ  ＳＰＳをサブフレームオフセットによって構成することが可能であり、そのオフセットは、ＴＤＤ  ＵＬ／ＤＬ構成に依存的である。
【００８３】
接続されたモードでのＤＲＸは、ＷＴＲＵが、非アクティビティの期間を利用してバッテリ消費を制限することを可能とし得る。ネットワークにより、例えるならＲＲＣシグナリングによって構成され得るタイマは、アクティブ時間をＷＴＲＵに対して定義することが可能である。ＯｎＤｕｒａｔｉｏｎＴｉｍｅｒは、ＤＲＸサイクルの始まりでの連続的なＰＤＣＣＨ−サブフレームの数を指定することが可能である。ＤＲＸ−ＩｎａｃｔｉｖｉｔｙＴｉｍｅｒは、初期ＵＬまたはＤＬユーザデータ送信をこのＷＴＲＵに対して指示するＰＤＣＣＨを成功裏に復号した後の連続的なＰＤＣＣＨ−サブフレームの数を指定することが可能である。ＤＲＸ−ＲｅｔｒａｎｓｍｉｓｓｉｏｎＴｉｍｅｒは、ＤＬ再送信がＷＴＲＵにより予測されるとすぐの場合に対する、連続的なＰＤＣＣＨ−サブフレームの最大数を指定することが可能である。
【００８４】
上記の３つのタイマは、ＷＴＲＵに対するＰＤＣＣＨの可能性を指示し得るものであり、そのＷＴＲＵに対して、それらのタイマの実行の間アクティブのままである必要性を指示し得る。ＴＤＤでのＰＤＣＣＨサブフレームは、ＤＬサブフレーム（特殊サブフレームを含み得る）を表す場合があり、それらのＤＬサブフレームでＷＴＲＵは、ＰＤＣＣＨ（またはＥＰＤＣＣＨ）を受信することを、実際のＰＤＣＣＨ（またはＥＰＤＣＣＨ）がＷＴＲＵにより受信されているかどうかに関わらず行うことが可能である。加えて、短い、および長いＤＲＸサイクルが存在し得るものであり、それらのサイクルは、ネットワークによりＤＲＸ構成の部分としてＷＴＲＵに対してさらに定義され得る。
【００８５】
図４Ａは、例示的な通信システム１００の図であり、そのシステムで、１または複数の開示される実施形態が実装され得る。通信システム１００は多重アクセスシステムであり得、その多重アクセスシステムは、コンテンツ、例えるならボイス、データ、ビデオ、メッセージング、ブロードキャスト等を、複数のワイヤレスユーザに提供する。通信システム１００は、複数のワイヤレスユーザが、そのようなコンテンツにアクセスすることを、ワイヤレス帯域幅を含むシステムリソースの共有によって行うことを可能にし得る。例えば通信システム１００は、１または複数のチャネルアクセス方法、例えるなら、符号分割多重アクセス（ＣＤＭＡ：code division multiple access）、時間分割多重アクセス（ＴＤＭＡ：time division multiple access）、周波数分割多重アクセス（ＦＤＭＡ）、直交ＦＤＭＡ（ＯＦＤＭＡ）、単一キャリアＦＤＭＡ（ＳＣ−ＦＤＭＡ）等々を用いることが可能である。
【００８６】
図４Ａに示されるように通信システム１００は、ワイヤレス送信／受信ユニット（ＷＴＲＵ）１０２ａ、１０２ｂ、１０２ｃ、１０２ｄ、無線アクセスネットワーク（ＲＡＮ）１０４、コアネットワーク１０６、公衆交換電話網（ＰＳＴＮ）１０８、インターネット１１０、および、他のネットワーク１１２を含み得るが、開示される実施形態は、任意の数のＷＴＲＵ、基地局、ネットワーク、および／またはネットワーク要素を企図するということが十分認識されよう。ＷＴＲＵ１０２ａ、１０２ｂ、１０２ｃ、１０２ｄの各々は、ワイヤレス環境で動作および／または通信するように構成される任意のタイプのデバイスであり得る。例としてＷＴＲＵ１０２ａ、１０２ｂ、１０２ｃ、１０２ｄは、ワイヤレス信号を送信および／または受信するように構成され得るものであり、ユーザ機器（ＵＥ）、移動局、固定された、または移動の加入者ユニット、ページャ、セルラー電話、パーソナルデジタルアシスタント（ＰＤＡ）、スマートフォン、ラップトップ、ネットブック、パーソナルコンピュータ、ワイヤレスセンサ、民生用電子機器等々を含み得る。
【００８７】
通信システム１００は、基地局１１４ａおよび基地局１１４ｂもまた含み得る。基地局１１４ａ、１１４ｂの各々は、任意のタイプのデバイスであり得るものであり、そのデバイスは、ＷＴＲＵ１０２ａ、１０２ｂ、１０２ｃ、１０２ｄのうちの少なくとも１つとワイヤレスにインターフェースして、１または複数の通信ネットワーク、例えるならコアネットワーク１０６、インターネット１１０、および／またはネットワーク１１２へのアクセスを容易にするように構成されるものである。例として基地局１１４ａ、１１４ｂは、基地トランシーバ局（ＢＴＳ）、ノード−Ｂ、ｅノードＢ、ホームノードＢ、ホームｅノードＢ、サイトコントローラ、アクセスポイント（ＡＰ）、ワイヤレスルータ等々であり得る。基地局１１４ａ、１１４ｂは各々、単一の要素として図示されているが、基地局１１４ａ、１１４ｂは、任意の数の相互接続された基地局および／またはネットワーク要素を含み得るということが十分認識されよう。
【００８８】
基地局１１４ａは、ＲＡＮ１０４の部分であり得るものであり、そのＲＡＮ１０４は、他の基地局および／またはネットワーク要素（図示せず）、例えるなら、基地局コントローラ（ＢＳＣ）、無線ネットワークコントローラ（ＲＮＣ）、中継ノード等もまた含み得る。基地局１１４ａおよび／または基地局１１４ｂは、ワイヤレス信号を特定の地理的領域の内部で送信および／または受信するように構成され得るものであり、その地理的領域はセル（図示せず）と呼ばれる場合がある。セルは、セルセクタにさらに分割され得る。例えば基地局１１４ａに関連付けられるセルは、３つのセクタに分割され得る。したがって１つの実施形態では基地局１１４ａは、３つのトランシーバを、すなわち、セルの各々のセクタに対して１つを含み得る。別の実施形態では基地局１１４ａは、多重入力多重出力（ＭＩＭＯ）技術を用いる場合があり、したがって、多重のトランシーバをセルの各々のセクタに対して利用することが可能である。
【００８９】
基地局１１４ａ、１１４ｂは、ＷＴＲＵ１０２ａ、１０２ｂ、１０２ｃ、１０２ｄのうちの１または複数と、エアインターフェース１１６を介して通信することが可能であり、そのエアインターフェース１１６は、任意の適切なワイヤレス通信リンク（例えば、無線周波数（ＲＦ）、マイクロウェーブ、赤外線（ＩＲ）、紫外線（ＵＶ）、可視光等）であり得る。エアインターフェース１１６は、任意の適切な無線アクセス技術（ＲＡＴ）を使用して確立され得る。
【００９０】
より具体的には、上記で記載されたように通信システム１００は、多重アクセスシステムであり得、１または複数のチャネルアクセス方式、例えるならＣＤＭＡ、ＴＤＭＡ、ＦＤＭＡ、ＯＦＤＭＡ、ＳＣ−ＦＤＭＡ等々を用いることが可能である。例えば、ＲＡＮ１０４内の基地局１１４ａ、およびＷＴＲＵ１０２ａ、１０２ｂ、１０２ｃは、無線技術、例えるならユニバーサル移動電気通信システム（ＵＭＴＳ）地上無線アクセス（ＵＴＲＡ）を実装することが可能であり、そのＵＴＲＡは、エアインターフェース１１６を、広帯域ＣＤＭＡ（ＷＣＤＭＡ（登録商標））を使用して確立することが可能である。ＷＣＤＭＡは、通信プロトコル、例えるなら、高速パケットアクセス（ＨＳＰＡ）および／または進化型ＨＳＰＡ（ＨＳＰＡ＋）を含み得る。ＨＳＰＡは、高速ダウンリンクパケットアクセス（ＨＳＤＰＡ）および／または高速アップリンクパケットアクセス（ＨＳＵＰＡ）を含み得る。
【００９１】
別の実施形態では、基地局１１４ａ、およびＷＴＲＵ１０２ａ、１０２ｂ、１０２ｃは、無線技術、例えるなら、進化型ＵＭＴＳ地上無線アクセス（Ｅ−ＵＴＲＡ）を実装することが可能であり、そのＥ−ＵＴＲＡは、エアインターフェース１１６を、ロングタームエボリューション（ＬＴＥ）および／またはＬＴＥ−アドバンスト（ＬＴＥ−Ａ）を使用して確立することが可能である。
【００９２】
他の実施形態では、基地局１１４ａ、およびＷＴＲＵ１０２ａ、１０２ｂ、１０２ｃは、無線技術、例えるなら、ＩＥＥＥ８０２．１６（すなわち、ワールドワイドインターオペラビリティフォーマイクロウェーブアクセス（ＷｉＭＡＸ：Worldwide Interoperability for Microwave Access））、ＣＤＭＡ２０００、ＣＤＭＡ２０００  １Ｘ、ＣＤＭＡ２０００  ＥＶ−ＤＯ、暫定規格２０００（ＩＳ−２０００）、暫定規格９５（ＩＳ−９５）、暫定規格８５６（ＩＳ−８５６）、移動通信用グローバルシステム（ＧＳＭ（登録商標）：Global System for Mobile communications）、ＧＳＭエボリューション用エンハンストデータレート（ＥＤＧＥ：Enhanced Data rates for GSM Evolution）、ＧＳＭ  ＥＤＧＥ（ＧＥＲＡＮ）等々を実装することが可能である。
【００９３】
図４Ａでの基地局１１４ｂは、例えば、ワイヤレスルータ、ホームノードＢ、ホームｅノードＢ、またはアクセスポイントであり得、任意の適切なＲＡＴを利用することを、ワイヤレス接続性を、局限されたエリア、例えるなら、仕事の場所、ホーム、乗物、構内等々で容易にするために行うことが可能である。１つの実施形態では、基地局１１４ｂ、およびＷＴＲＵ１０２ｃ、１０２ｄは、無線技術、例えるならＩＥＥＥ８０２．１１を実装して、ワイヤレスローカルエリアネットワーク（ＷＬＡＮ）を確立することが可能である。別の実施形態では、基地局１１４ｂ、およびＷＴＲＵ１０２ｃ、１０２ｄは、無線技術、例えるならＩＥＥＥ８０２．１５を実装して、ワイヤレスパーソナルエリアネットワーク（ＷＰＡＮ）を確立することが可能である。さらに別の実施形態では、基地局１１４ｂ、およびＷＴＲＵ１０２ｃ、１０２ｄは、セルラーで基礎付けられたＲＡＴ（例えば、ＷＣＤＭＡ、ＣＤＭＡ２０００、ＧＳＭ、ＬＴＥ、ＬＴＥ−Ａ等）を利用して、ピコセルまたはフェムトセルを確立することが可能である。図４Ａに示されるように基地局１１４ｂは、インターネット１１０への直接接続を有し得る。したがって基地局１１４ｂは、インターネット１１０に、コアネットワーク１０６を経由してアクセスするようには求められ得ない。
【００９４】
ＲＡＮ１０４は、コアネットワーク１０６と通信状態にあり得るものであり、そのコアネットワーク１０６は、任意のタイプのネットワークであり得、そのネットワークは、ボイス、データ、アプリケーション、および／または、ボイスオーバインターネットプロトコル（ＶｏＩＰ）サービスを、ＷＴＲＵ１０２ａ、１０２ｂ、１０２ｃ、１０２ｄのうちの１または複数に提供するように構成されるものである。例えばコアネットワーク１０６は、呼制御、課金サービス、移動位置で基礎付けられたサービス、プリペイド呼、インターネット接続性、ビデオ分配等を提供すること、および／または、高レベルセキュリティ機能、例えるならユーザ認証を遂行することが可能である。図４Ａには示されないが、ＲＡＮ１０４および／またはコアネットワーク１０６は、他のＲＡＮと直接または間接の通信状態にあり得るものであり、それらの他のＲＡＮは、ＲＡＮ１０４と同じＲＡＴを、または異なるＲＡＴを用いるものであるということが十分認識されよう。例えば、Ｅ−ＵＴＲＡ無線技術を利用している場合があるＲＡＮ１０４に接続されていることに加えて、コアネットワーク１０６は、ＧＳＭ無線技術を用いる別のＲＡＮ（図示せず）ともまた通信状態にあり得る。
【００９５】
コアネットワーク１０６は、ゲートウェイとしてサービングすることもまた可能であり、そのゲートウェイは、ＷＴＲＵ１０２ａ、１０２ｂ、１０２ｃ、１０２ｄが、ＰＳＴＮ１０８、インターネット１１０、および／または、他のネットワーク１１２にアクセスするためのものである。ＰＳＴＮ１０８は回線交換電話ネットワークを含み得るものであり、それらの電話ネットワークは、簡易電話サービス（ＰＯＴＳ：plain old telephone service）を提供するものである。インターネット１１０は、相互接続されたコンピュータネットワークおよびデバイスのグローバルシステムを含み得るものであり、それらのコンピュータネットワークおよびデバイスは、共通通信プロトコル、例えるなら、送信制御プロトコル（ＴＣＰ）、ユーザデータグラムプロトコル（ＵＤＰ）、およびインターネットプロトコル（ＩＰ）を、ＴＣＰ／ＩＰインターネットプロトコルスイートの形で使用するものである。ネットワーク１１２は、有線またはワイヤレス通信ネットワークを含み得るものであり、それらの通信ネットワークは、他のサービスプロバイダにより所有される、および／または動作させられるものである。例えばネットワーク１１２は、１または複数のＲＡＮに接続される別のコアネットワークを含み得るものであり、それらのＲＡＮは、ＲＡＮ１０４と同じＲＡＴを、または異なるＲＡＴを用い得る。
【００９６】
通信システム１００内のＷＴＲＵ１０２ａ、１０２ｂ、１０２ｃ、１０２ｄの一部またはすべては、マルチモード能力を含み得るものであり、すなわちＷＴＲＵ１０２ａ、１０２ｂ、１０２ｃ、１０２ｄは、多重のトランシーバを、異なるワイヤレスネットワークと、異なるワイヤレスリンクを介して通信するために含み得る。例えば図４Ａに示されるＷＴＲＵ１０２ｃは、基地局１１４ａと通信するように構成され得、その基地局１１４ａは、セルラーで基礎付けられた無線技術を用い得るものであり、ＷＴＲＵ１０２ｃは、基地局１１４ｂと通信するように構成され得るものであり、その基地局１１４ｂは、ＩＥＥＥ８０２無線技術を用い得るものである。
【００９７】
図４Ｂは、例であるＷＴＲＵ１０２のシステム図である。図４Ｂに示されるようにＷＴＲＵ１０２は、プロセッサ１１８、トランシーバ１２０、送信／受信要素１２２、スピーカ／マイクロホン１２４、キーパッド１２６、ディスプレイ／タッチパッド１２８、取り外し不能メモリ１３０、取り外し可能メモリ１３２、電力ソース１３４、グローバルポジショニングシステム（ＧＰＳ）チップセット１３６、および、他の周辺装置１３８を含み得る。ＷＴＲＵ１０２は、前述の要素の任意の副組み合わせを含むことが、実施形態と矛盾しないままで可能であるということが十分認識されよう。
【００９８】
プロセッサ１１８は、汎用プロセッサ、特殊目的プロセッサ、従来型プロセッサ、デジタル信号プロセッサ（ＤＳＰ）、複数のマイクロプロセッサ、ＤＳＰコアと関連状態にある１または複数のマイクロプロセッサ、コントローラ、マイクロコントローラ、特定用途向け集積回路（ＡＳＩＣ）、フィールドプログラマブルゲートアレイ（ＦＰＧＡ）回路、任意の他のタイプの集積回路（ＩＣ）、状態機械等々であり得る。プロセッサ１１８は、信号符号化、データ処理、電力制御、入出力処理、および／または、ＷＴＲＵ１０２がワイヤレス環境で動作することを可能にする任意の他の機能性を遂行することが可能である。プロセッサ１１８はトランシーバ１２０に結合され得るものであり、そのトランシーバ１２０は送信／受信要素１２２に結合され得る。図４Ｂはプロセッサ１１８およびトランシーバ１２０を別々の構成要素として図示しているが、プロセッサ１１８およびトランシーバ１２０は、一体に電子パッケージまたはチップ内に集積され得るということが十分認識されよう。
【００９９】
送信／受信要素１２２は、信号を基地局（例えば、基地局１１４ａ）に送信することを、または、信号をその基地局から受信することを、エアインターフェース１１６を介して行うように構成され得る。例えば１つの実施形態では送信／受信要素１２２は、ＲＦ信号を送信および／または受信するように構成されるアンテナであり得る。別の実施形態では送信／受信要素１２２は、例えばＩＲ信号、ＵＶ信号、または可視光信号を、送信および／または受信するように構成される放射器／検出器であり得る。さらに別の実施形態では送信／受信要素１２２は、ＲＦ信号および光信号の両方を、送信および受信するように構成され得る。送信／受信要素１２２は、ワイヤレス信号の任意の組み合わせを送信および／または受信するように構成され得るということが十分認識されよう。
【０１００】
加えて、送信／受信要素１２２は、図４Ｂに単一の要素として図示されているが、ＷＴＲＵ１０２は、任意の数の送信／受信要素１２２を含み得る。より具体的にはＷＴＲＵ１０２は、ＭＩＭＯ技術を用いることが可能である。したがって１つの実施形態ではＷＴＲＵ１０２は、ワイヤレス信号を、エアインターフェース１１６を介して送信および受信するために、２つ以上の送信／受信要素１２２（例えば、多重のアンテナ）を含むことがあり得る。
【０１０１】
トランシーバ１２０は、信号を変調するように構成され得、それらの信号は、送信／受信要素１２２により送信されることになるものであり、かつトランシーバ１２０は、信号を復調するように構成され得、それらの信号は、送信／受信要素１２２により受信されるものである。上記で記載されたようにＷＴＲＵ１０２は、マルチモード能力を有し得る。したがってトランシーバ１２０は、ＷＴＲＵ１０２が、多重のＲＡＴ、例えるならＵＴＲＡ、および例えばＩＥＥＥ８０２．１１によって通信することを可能にするために、多重のトランシーバを含み得る。
【０１０２】
ＷＴＲＵ１０２のプロセッサ１１８は、スピーカ／マイクロホン１２４、キーパッド１２６、および／または、ディスプレイ／タッチパッド１２８（例えば、液晶ディスプレイ（ＬＣＤ）ディスプレイユニット、または、有機光放射ダイオード（ＯＬＥＤ）ディスプレイユニット）に結合され得るものであり、ユーザ入力データを、それらのスピーカ／マイクロホン１２４、キーパッド１２６、および／または、ディスプレイ／タッチパッド１２８から受信することが可能である。プロセッサ１１８は、ユーザデータを、スピーカ／マイクロホン１２４、キーパッド１２６、および／または、ディスプレイ／タッチパッド１２８に出力することもまた可能である。加えてプロセッサ１１８は、任意のタイプの適切なメモリ、例えるなら、取り外し不能メモリ１３０および／または取り外し可能メモリ１３２からの情報にアクセスし、かつデータをそのメモリに記憶することが可能である。取り外し不能メモリ１３０は、ランダムアクセスメモリ（ＲＡＭ）、読み出し専用メモリ（ＲＯＭ）、ハードディスク、または、任意の他のタイプのメモリ記憶デバイスを含み得る。取り外し可能メモリ１３２は、加入者識別モジュール（ＳＩＭ）カード、メモリスティック、セキュアデジタル（ＳＤ）メモリカード等々を含み得る。他の実施形態ではプロセッサ１１８は、メモリからの情報にアクセスし、かつデータをそのメモリに記憶することが可能であり、そのメモリは、ＷＴＲＵ１０２上に物理的に配置されない、例えるなら、サーバまたはホームコンピュータ（図示せず）上のメモリである。
【０１０３】
プロセッサ１１８は、電力を電力ソース１３４から受信することが可能であり、ＷＴＲＵ１０２内の他の構成要素に対する電力を分配および／または制御するように構成され得る。電力ソース１３４は、ＷＴＲＵ１０２に電力供給するための任意の適切なデバイスであり得る。例えば電力ソース１３４は、１または複数のドライセルバッテリ（例えば、ニッケルカドミウム（ＮｉＣｄ）、ニッケル亜鉛（ＮｉＺｎ）、ニッケル金属水素化物（ＮｉＭＨ）、リチウムイオン（Ｌｉイオン）等）、ソーラーセル、燃料セル等々を含み得る。
【０１０４】
プロセッサ１１８は、ＧＰＳチップセット１３６にもまた結合され得るものであり、そのＧＰＳチップセット１３６は、ＷＴＲＵ１０２の現在の位置に関する位置情報（例えば、経度および緯度）を提供するように構成され得るものである。ＧＰＳチップセット１３６からの情報に加えて、またはその情報の代わりに、ＷＴＲＵ１０２は、位置情報を、エアインターフェース１１６を介して基地局（例えば、基地局１１４ａ、１１４ｂ）から受信すること、および／または、その位置を、信号のタイミングに基づいて決定することが可能であり、それらの信号は、２つ以上の付近の基地局から受信されているものである。ＷＴＲＵ１０２は、位置情報を、任意の適切な位置決定方法によって取得することが、実施形態と矛盾しないままで可能であるということが十分認識されよう。
【０１０５】
プロセッサ１１８は、他の周辺装置１３８にさらに結合され得るものであり、それらの周辺装置１３８は、１または複数のソフトウェアおよび／またはハードウェアモジュールを含み得るものであり、それらのモジュールは、追加的な特徴、機能性、および／または、有線もしくはワイヤレス接続性を提供するものである。例えば周辺装置１３８は、加速度計、電子コンパス、衛星トランシーバ、デジタルカメラ（写真またはビデオ用）、ユニバーサルシリアルバス（ＵＳＢ）ポート、振動デバイス、テレビトランシーバ、ハンズフリーヘッドセット、Ｂｌｕｅｔｏｏｔｈ（登録商標）モジュール、周波数変調（ＦＭ）無線ユニット、デジタル音楽プレーヤ、メディアプレーヤ、ビデオゲームプレーヤモジュール、インターネットブラウザ等々を含み得る。
【０１０６】
図４Ｃは、実施形態によるＲＡＮ１０４およびコアネットワーク１０６のシステム図である。上記で記載されたようにＲＡＮ１０４は、Ｅ−ＵＴＲＡ無線技術を用いて、ＷＴＲＵ１０２ａ、１０２ｂ、１０２ｃとエアインターフェース１１６を介して通信することが可能である。ＲＡＮ１０４はさらに、コアネットワーク１０６と通信状態にあり得る。
【０１０７】
ＲＡＮ１０４は、ｅノード−Ｂ１４０ａ、１４０ｂ、１４０ｃを含み得るが、ＲＡＮ１０４は、任意の数のｅノード−Ｂを含むことが、実施形態と矛盾しないままで可能であるということが十分認識されよう。ｅノード−Ｂ１４０ａ、１４０ｂ、１４０ｃは各々、１または複数のトランシーバを、ＷＴＲＵ１０２ａ、１０２ｂ、１０２ｃとエアインターフェース１１６を介して通信するために含み得る。１つの実施形態ではｅノード−Ｂ１４０ａ、１４０ｂ、１４０ｃは、ＭＩＭＯ技術を実装することが可能である。したがってｅノード−Ｂ１４０ａは、例えば、多重のアンテナを使用して、ワイヤレス信号をＷＴＲＵ１０２ａに送信し、かつワイヤレス信号をＷＴＲＵ１０２ａから受信することが可能である。
【０１０８】
ｅノード−Ｂ１４０ａ、１４０ｂ、１４０ｃの各々は、特定のセル（図示せず）に関連付けられ得るものであり、無線リソース管理判断、ハンドオーバ判断、アップリンクおよび／またはダウンリンクでのユーザのスケジューリング等々に対処するように構成され得る。図４Ｃに示されるようにｅノード−Ｂ１４０ａ、１４０ｂ、１４０ｃは、相互にＸ２インターフェースを介して通信することが可能である。
【０１０９】
図４Ｃに示されるコアネットワーク１０６は、モビリティ管理ゲートウェイ（ＭＭＥ：mobility management gateway）１４２、サービングゲートウェイ１４４、および、パケットデータネットワーク（ＰＤＮ）ゲートウェイ１４６を含み得る。前述の要素の各々はコアネットワーク１０６の部分として図示されているが、これらの要素の任意のものが、コアネットワークオペレータ以外のエンティティにより所有される、かつ／または動作させられる場合があるということが十分認識されよう。
【０１１０】
ＭＭＥ１４２は、ＲＡＮ１０４内のｅノード−Ｂ１４０ａ、１４０ｂ、１４０ｃの各々に、Ｓ１インターフェースによって接続され得るものであり、制御ノードとしてサービングすることが可能である。例えばＭＭＥ１４２は、ＷＴＲＵ１０２ａ、１０２ｂ、１０２ｃのユーザを認証すること、ベアラアクティブ化／非アクティブ化、特定のサービングゲートウェイをＷＴＲＵ１０２ａ、１０２ｂ、１０２ｃの初期アタッチの間に選択すること等々に対して責任を負う場合がある。ＭＭＥ１４２は、制御プレーン機能を、ＲＡＮ１０４と他のＲＡＮ（図示せず）との間で交換するためにさらに提供することが可能であり、それらの他のＲＡＮは、他の無線技術、例えるならＧＳＭまたはＷＣＤＭＡを用いるものである。
【０１１１】
サービングゲートウェイ１４４は、ＲＡＮ１０４内のｅノードＢ１４０ａ、１４０ｂ、１４０ｃの各々に、Ｓ１インターフェースによって接続され得る。サービングゲートウェイ１４４は一般的には、ＷＴＲＵ１０２ａ、１０２ｂ、１０２ｃへの／からのユーザデータパケットをルーティングおよび転送することが可能である。サービングゲートウェイ１４４は、他の機能、例えるなら、ユーザプレーンをｅノードＢ間ハンドオーバ中にアンカリングすること、ページングを、ダウンリンクデータがＷＴＲＵ１０２ａ、１０２ｂ、１０２ｃに対して利用可能であるときにトリガすること、ＷＴＲＵ１０２ａ、１０２ｂ、１０２ｃのコンテキストを管理および記憶すること等々を遂行することもまた可能である。
【０１１２】
サービングゲートウェイ１４４は、ＰＤＮゲートウェイ１４６にもまた接続され得るものであり、そのＰＤＮゲートウェイ１４６は、ＷＴＲＵ１０２ａ、１０２ｂ、１０２ｃに、パケット交換ネットワーク、例えるならインターネット１１０へのアクセスを提供して、ＷＴＲＵ１０２ａ、１０２ｂ、１０２ｃと、ＩＰ対応のデバイスとの間の通信を容易にすることが可能である。
【０１１３】
コアネットワーク１０６は、他のネットワークとの通信を容易にすることが可能である。例えばコアネットワーク１０６は、ＷＴＲＵ１０２ａ、１０２ｂ、１０２ｃに、回線交換ネットワーク、例えるならＰＳＴＮ１０８へのアクセスを提供して、ＷＴＲＵ１０２ａ、１０２ｂ、１０２ｃと従前の固定電話通信デバイスとの間の通信を容易にすることが可能である。例えばコアネットワーク１０６は、ＩＰゲートウェイ（例えば、ＩＰマルチメディアサブシステム（ＩＭＳ）サーバ）を含み得る、または、そのＩＰゲートウェイと通信し得るものであり、そのＩＰゲートウェイは、コアネットワーク１０６とＰＳＴＮ１０８との間のインターフェースとしてサービングするものである。加えてコアネットワーク１０６は、ＷＴＲＵ１０２ａ、１０２ｂ、１０２ｃに、ネットワーク１１２へのアクセスを提供することが可能であり、それらのネットワーク１１２は、他の有線またはワイヤレスネットワークを含み得るものであり、それらの有線またはワイヤレスネットワークは、他のサービスプロバイダにより所有される、かつ／または動作させられるものである。
【０１１４】
セルでのＴＤＤ  ＵＬ／ＤＬ構成は、ＵＬおよびＤＬサブフレームのある比率を提供し得るものであり、その比率は、例えば最適に、ある時間にサービングされているＷＴＲＵの必要性と整合し得るものである。トラフィックが変化し得るとき、ＤＬ対ＵＬサブフレーム比率を変化させて、より良好にＷＴＲＵにサービングすることが望ましい場合がある。ＤＬ対ＵＬ比率の急速な切替、または、急速な切替をサポートすることが可能であるＷＴＲＵに対するＴＤＤ  ＵＬ／ＤＬ構成を提供し、一方で、急速な切替をサポートすることが可能でないＷＴＲＵへの影響を最小化するための手段が、有用であり得る。
【０１１５】
本明細書では、ＷＴＲＵ固有の、は、ＷＴＲＵまたはＷＴＲＵのグループに固有であることを意味し得る。ＷＴＲＵ固有のシグナリングまたは構成は、そのようなシグナリングまたは構成が、ＷＴＲＵもしくはＷＴＲＵのグループに対して、または、ＷＴＲＵもしくはＷＴＲＵのグループのために提供され得るものであり、そのようなシグナリングまたは構成が、セルブロードキャストにより提供され得ない、または、システム情報ブロック（ＳＩＢ）、例えるならＳＩＢ１で提供され得ないということを意味し得る。ＷＴＲＵ固有の、および、専用化された、は、互換的に使用され得る。
【０１１６】
セル固有の情報または構成は、セル内のすべてのＷＴＲＵに対して提供され得る、それらのＷＴＲＵのために提供され得る、それらのＷＴＲＵにより受信され得る、それらのＷＴＲＵにより受信されることが意図され得る、または、それらのＷＴＲＵにより使用されることが意図され得る、情報もしくは構成、および／または、システム情報により、例えるなら、１もしくは複数のＳＩＢで、または、ブロードキャストシグナリングにより提供され得る、情報もしくは構成を意味し得る。
【０１１７】
用語、動的ＴＤＤセル、および、動的ＴＤＤ対応セルは、そのＴＤＤ  ＵＬ／ＤＬ構成の動的再構成をサポートすることが可能であるセルに言及するために使用され得るものであり、その再構成は、本明細書では動的ＴＤＤ再構成とも呼ばれる。動的ＴＤＤ再構成は、再構成が、ＵＬ／ＤＬ構成を変化させる以外の手段を使用して遂行され得るということを意味し得るものであり、そのＵＬ／ＤＬ構成は、セルブロードキャストシグナリングおよび／またはＳＩＢ、例えるならＳＩＢ１で指示され得るものであり、それらのセルブロードキャストシグナリングおよび／またはＳＩＢは、例えば、既存のシステム情報修正手順、例えるならＬＴＥシステム情報修正手順によって変化させられ得るものである。
【０１１８】
用語、ＴＤＤ  ＵＬ／ＤＬ構成、および、ＵＬ／ＤＬ構成は、互換的に使用され得る。ＴＤＤは、本明細書では例として使用され得るものであり、実施形態の適用可能性を制限することは意図されない。
【０１１９】
用語、ネットワーク、ネットワークノード、ｅＮＢ、および、セルは、互換的に使用され得る。構成要素キャリアおよびサービングセルは、互換的に使用され得る。
【０１２０】
ＰＤＣＣＨは、ＰＤＣＣＨおよび／またはＥＰＤＣＣＨを含み得る、または、ＰＤＣＣＨおよび／またはＥＰＤＣＣＨを表すために使用され得る。割り当て、グラント、および、割り振りは、互換的に使用され得る。
【０１２１】
用語、準静的ＴＤＤセル、非動的ＴＤＤセル、および、非動的ＴＤＤ対応セルは、そのＵＬ／ＤＬ構成を再構成することを、ＵＬ／ＤＬ構成を変化させることにより行い得る、または行うのみであり得るセルに言及するために使用され得るものであり、そのＵＬ／ＤＬ構成は、セルブロードキャストシグナリングおよび／またはＳＩＢ、例えるならＳＩＢ１で、例えば、既存のシステム情報修正手順、例えるならＬＴＥシステム情報修正手順によって指示されるものである。
【０１２２】
レガシーＷＴＲＵは、ある機能性をサポートすることが可能でないＷＴＲＵ、例えるなら、ＴＤＤをサポートすることは可能であるが、動的ＴＤＤ再構成をサポートすることが可能でないＷＴＲＵを指し得る。レガシーＷＴＲＵは、ある機能性をサポートすることが可能でないＷＴＲＵ、例えるなら、ＵＬ／ＤＬ構成をサポートすることは可能であるが、そのＵＬ／ＤＬ構成の動的再構成をサポートすることが可能でないＷＴＲＵを指し得る。レガシーＷＴＲＵは、あるリリースまたはバージョン、例えるなら、３ＧＰＰまたはＬＴＥ規格リリースまたはバージョンに準拠し得るＷＴＲＵを指し得る。例えば、あるリリース、例えるならリリース１１より後では決してあり得ない、３ＧＰＰまたはＬＴＥ規格リリースに準拠し得るＷＴＲＵは、レガシーＷＴＲＵと考えられ得る。動的ＴＤＤ  ＷＴＲＵは、動的ＴＤＤ再構成をサポートするＷＴＲＵを指し得る。本明細書でＵＬ／ＤＬサブフレーム方向に関して定義される方法、手順、および実施形態は、ＷＴＲＵ固有の、および／または手順固有のＴＤＤ  ＵＬ／ＤＬ構成に適用され得るものであり、その逆も同様である。
【０１２３】
以下の説明は、測定、例えば、アイドルモード測定、および／または、接続されたモード測定に関係する。ＷＴＲＵのサービングセルおよび隣接セルは、異なるＵＬ／ＤＬ構成を有し得るものであり、それらの構成は変化し得るので、ＷＴＲＵは追加的な情報を必要とする場合があり、その情報は、それが、適正に隣接セルを検出および測定すること、ならびに／または、不必要な電力消費動作、例えるなら、測定を隣接物のＵＬサブフレームで行うことを回避することを可能にするためのものである。例えばＷＴＲＵは、１または複数の隣接セルのＵＬ／ＤＬ構成を必要とする場合がある。
【０１２４】
例えば、ＷＴＲＵが、サービングセルおよび／または隣接セルのＲＳＲＰおよび／またはＲＳＲＱを、精密に、および／または効率的に測定するために、ＷＴＲＵは、ＤＬサブフレームに関する、サービングセルおよび／または隣接セル測定の目的で使用するための情報を提供されることがあり得る。この情報は、ＷＴＲＵに、例えばｅＮＢにより提供され得るものであり、かつ／または、ＷＴＲＵにより、以下の方途の１または複数で決定され得る。
【０１２５】
ＷＴＲＵは、ＴＤＤ  ＵＬ／ＤＬ構成、例えるなら、ブロードキャストシグナリングにより、例えるならＳＩＢ、例えるならＳＩＢ１で提供され得るＴＤＤ  ＵＬ／ＤＬ構成で指示されるＤＬサブフレームを、それが、サービングセルおよび／または隣接セル測定の目的で使用することが可能である、ＤＬサブフレームに対する参照として使用することが可能である。
【０１２６】
ＷＴＲＵは、ＵＬ／ＤＬ構成を、例えばｅＮＢから受信することが可能であり、その構成は、少なくとも、または具体的には、サービングセルおよび／または隣接セル測定のためのものであり得る。この指示される構成は、セルブロードキャストされた、例えばＳＩＢ１、ＵＬ／ＤＬ構成での構成とは異なる場合があり、または異ならない場合がある。ＷＴＲＵは、測定ＵＬ／ＤＬ構成での任意のＤＬサブフレームを、サービングセルおよび／または隣接セル測定の目的で使用することが可能である。ＷＴＲＵは、測定のためにそれらのサブフレームに存することが必要とされるＤＬ信号、例えば、セル固有の参照信号（ＣＲＳ：cell-specific reference signal）を、少なくともサービングセル測定に対して予測することが可能である。
【０１２７】
ＷＴＲＵは、サブフレームパターンを、例えばｅＮＢから受信することが可能であり、そのパターンは具体的には、ＤＬサブフレームを指示し得るものであり、それらのＤＬサブフレームは、サービングセルおよび／または隣接セルを測定するために使用され得るものである。「測定可能」サブフレームとして指示されるＤＬサブフレームでは、ＷＴＲＵは、測定のために存することが必要とされるＤＬ信号を、少なくともサービングセル測定に対して予測することが可能である。他のサブフレーム、例えば非測定可能サブフレームは、時にはＤＬサブフレームであり得るが、セルの動的ＴＤＤ再構成に起因して変化し得る。
【０１２８】
ＷＴＲＵは、それがサービングセルおよび／または隣接セル測定のために使用することが可能であるサブフレームを決定することを、ネットワークからの指示なしで、例えば、ＤＬおよび／または特殊サブフレームとしてあらかじめ定義され得る、または、ＤＬおよび／または特殊サブフレームであることが知られ得るサブフレームに基づいて行うことが可能である。例としてＴＤＤ構成は、すべての構成に対して一貫してＤＬサブフレームである２つのサブフレーム、例えるならサブフレーム０および５、常に特殊サブフレームである１つのサブフレーム、例えるならサブフレーム１、および、ＵＬ／ＤＬ構成に基づいて、ＤＬまたは特殊サブフレームであり得る１つのサブフレーム、例えるならサブフレーム６によって定義され得る。この例ではサブフレーム｛０，１，５，６｝が、全部の、または部分的なサブフレームのいずれかで、セルから送信されるＣＲＳを有するための機会を有し得る。ＷＴＲＵは、それ自体が、これらのサブフレームのすべてを使用してセル測定を遂行すべきか、または、これらのサブフレームのサブセットを使用してセル測定を遂行すべきかを決定することが可能である。
【０１２９】
ＷＴＲＵは、例えばｅＮＢから、ＤＬサブフレーム情報またはＵＬ／ＤＬ構成、例えるなら上記で説明されたものを、１または複数の隣接セルの各々、または隣接セルのグループに対して、例えば、隣接セル測定の目的で受信することが可能である。この情報は、ＷＴＲＵによりシステム情報の部分として受信され得るものであり、そのシステム情報は、ｅＮＢにより、例えるならブロードキャストにより、例えば、周波数内および／もしくは周波数間測定ならびに／またはセル再選択情報のために、例えば、ＳＩＢ３、ＳＩＢ４、ＳＩＢ５、および／またはＳＩＢ６のうちの１または複数で送信され得るものである。情報はさらに、または代わりに、具体的にはＷＴＲＵに対して意図される、および／または、ＷＴＲＵにより受信される、専用化された情報として提供され得る。この事例では、専用化された情報は、セルブロードキャストされるシステム情報によって受信される情報に代わるものとなり得る。ＤＬサブフレームの受信される隣接セルセット、サブフレームパターン、またはＵＬ／ＤＬ構成は、以下の範囲の１または複数を有し得る。ＤＬサブフレームのセット、サブフレームパターン、またはＵＬ／ＤＬ構成は、隣接セルに対して固有であり得るものであり、周波数内または周波数間隣接セルリストで提供され得る。ＤＬサブフレームのセット、サブフレームパターン、またはＵＬ／ＤＬ構成は、同じキャリア周波数に属する隣接セルのセットに対して固有であり得る。ＤＬサブフレームのセット、サブフレームパターン、またはＵＬ／ＤＬ構成は、すべてのセルに適用可能であり得、それらのすべてのセルは、自律的にＷＴＲＵにより検出され得るものであり、周波数内または周波数間隣接セルリストに含まれ得ないものである。この情報は、ＤＬサブフレームのデフォルトセットとして適用することが可能であり、そのセットに対してＷＴＲＵは、測定を、検出された隣接セルに対して遂行することが可能である。暗黙にＷＴＲＵにより導出され得る、または、明示的にＷＴＲＵにシグナリングされ得る、ＤＬサブフレームのセット、サブフレームパターン、またはＵＬ／ＤＬ構成は、すべての隣接セルに適用することが可能である。
【０１３０】
ＷＴＲＵは有効時間の指示を受信することが可能であり、その有効時間は、ＵＬ／ＤＬ構成、ＤＬサブフレームのセット、またはサブフレームパターンに関連付けられ得るものであり、それらのＵＬ／ＤＬ構成、ＤＬサブフレームのセット、またはサブフレームパターンは、隣接セル測定に適用可能であり得るものである。動的に変化するＴＤＤ  ＵＬ／ＤＬ構成を伴うセルは、それらのＵＬ／ＤＬ構成を変化させることを、隣接セル情報を搬送するＳＩＢが変化し得るより頻繁に、または、更新される隣接セル情報を伴うシグナリングがＷＴＲＵに提供され得るより頻繁に行うことが可能である。したがって、動的ＴＤＤ再構成をサポートするサービングセルを伴うＷＴＲＵは、時として無効情報を使用して隣接セル測定を遂行している場合がある。ＷＴＲＵは、測定のために使用されることになる、ＤＬサブフレームの受信される隣接セルセット、サブフレームパターン、またはＵＬ／ＤＬ構成を、指定される有効時間の後で無効化することが可能である。この有効時間持続時間は、ＤＬサブフレームのセット、サブフレームパターン、またはＵＬ／ＤＬ構成とともに提供され得るものであり、情報が適用する範囲に適用することが可能である。有効性タイマ満了の際にＷＴＲＵは、測定を、対応する隣接セルまたはセルのセットに対して、更新される情報が受信され得るまで停止することが可能である。ＷＴＲＵは、ＳＩＢ１および／またはＳＩＢ２を、検出された隣接セルに対して読み出すことを試行することが可能であり、その隣接セルに対しては、有効性タイマが満了しており、そのことによって、最新のＳＩＢ１で指定されるＵＬ／ＤＬ構成が、隣接セルに対して、例えば測定の目的で読み出され得る。ＷＴＲＵはさらに、または代わりに、ＳＩＢ２を、および場合によっては具体的には、ＳＩＢ２内のＰＣＣＨ−ｃｏｎｆｉｇ  ＩＥを読み出して、例えば、更新される測定構成の有効性を、その隣接セルに対して決定することが可能である。
【０１３１】
セル選択および再選択に関して、一部のＷＴＲＵ（例えば、動的ＴＤＤ再構成をサポートすることが可能であるＷＴＲＵ）は、動的ＴＤＤセルを非動的ＴＤＤセルより上に優先度設定することが可能である。一部のＷＴＲＵ（例えば、動的ＴＤＤ再構成をサポートすることが可能でないＷＴＲＵ）は、非動的ＴＤＤセルを動的ＴＤＤセルより上に優先度設定することが可能である。ＷＴＲＵは、情報を受信することが可能であり、その情報は、ＴＤＤセルが、動的再構成を、動的ＴＤＤセルからのブロードキャストされるシステム情報の部分としてサポートするかどうかに関するものである。動的ＴＤＤ再構成をサポートするＷＴＲＵは、動的ＴＤＤセルを例えばサービングセルとして選択すること（例えば、選択することのみ）が可能である。動的ＴＤＤセルは、ＳＩＢ、例えるならＳＩＢ１に、１または複数のしきい値またはパラメータ値、例えるなら、非ゼロＱ−ｒｘｌｅｖｍｉｎまたはＱ−ｑｕａｌｍｉｎｏｆｆｓｅｔ  ＩＥ値を含み得るものであり、それらの値は優先度設定で使用され得る。例えばこれらの１または複数の値は、レガシーＷＴＲＵが、より高い測定されるＲＳＲＰまたはＲＳＲＱ値を求めて、動的ＴＤＤセルを適切と考えるという結果になる場合がある。動的ＴＤＤ再構成をサポートするＷＴＲＵに対しては、ＷＴＲＵがセルを動的ＴＤＤセルとして検出することが可能である場合、ＷＴＲＵは、１または複数のしきい値またはパラメータ値（例えば、オフセット）を無視する場合があり、それらの値は、ＷＴＲＵが、より低いセル選択基準（例えば、Ｓ基準）を必要とするという結果になる場合があり、その基準は、この動的ＴＤＤセルが適切なセルと考えられるために満たされるべきものである。
【０１３２】
一部のＷＴＲＵ（例えば、動的ＴＤＤ再構成をサポートするもの）は、動的ＴＤＤ対応セルを非動的ＴＤＤ対応セルより上に優先度設定することが可能である。動的ＴＤＤ対応セルは、セルのクラスタの形で配備され得る。
【０１３３】
ＷＴＲＵは、より高いセル再選択周波数優先度を、１または複数の動的ＴＤＤ対応セルに対して受信することが可能である。ＷＴＲＵは、より低いセル再選択周波数優先度を、１または複数の非動的ＴＤＤセルに対して受信することが可能である。
【０１３４】
ＷＴＲＵは、周波数間隣接セル情報を受信することが可能であり、その情報は、セルごとを基本として定義される、場合によっては異なるＱ−ｑｕａｌｍｉｎまたはＱ−ｒｘｌｅｖｍｉｎを伴うものであり、かつ／または、それは、動的ＴＤＤセルに対して固有であるセル選択基準（例えば、Ｓ基準）評価のために使用され得る値を受信することが可能であり、例えば、動的ＴＤＤ再構成をサポートするＷＴＲＵにより使用され得る値は、セル再選択基準が、動的ＴＤＤセルを準静的ＴＤＤセルより、より高い優先度周波数隣接物の中で優遇し得るというようなものであり得る。
【０１３５】
ＷＴＲＵは、セルごとのオフセット、例えばＱｏｆｆｓｅｔｓ，ｎを受信することが可能である。例えば、周波数内隣接セル、または、等しい、もしくはより低い優先度周波数間隣接セルを有する事例では、一部のＷＴＲＵ（例えるなら、動的ＴＤＤ再構成をサポートするもの）は、動的ＴＤＤセルを、準静的ＴＤＤセルより高いランクによって優先度設定することが可能である。ＷＴＲＵは、専用化された情報を受信することが可能であり、その情報は、関係付けられた構成を破棄する場合があり、その構成は、システムブロードキャスト情報でセルから提供されたものである。
【０１３６】
ＷＴＲＵは自律的に、動的ＴＤＤセルを有する周波数の優先度を増大することを、または、動的ＴＤＤセル自体の優先度を増大することを、例えば、Ｓ基準評価のためのオフセット値を変化させることにより、動的ＴＤＤセルの以前の測定知識に基づいて、または、隣接セル測定による動的ＴＤＤセルの検出によって行うことが可能である。これは、閉じられた加入者グループ（ＣＳＧ）セルおよびマルチメディアブロードキャスト／マルチキャストサービス（ＭＢＭＳ）セルの自律的な再優先度設定と同様であり得る。
【０１３７】
ＤＲＸおよびページングに関して、特定のサブフレーム、例えばサブフレーム６上のページング能力は、そのサブフレームが正規のＤＬサブフレームであること、または特殊サブフレームであることに依存し得る。例えばＵＬ／ＤＬ再構成に起因して、サブフレーム、例えるならサブフレーム６が正規のＤＬサブフレームであるか、または特殊サブフレームであるかを知らない場合があるＷＴＲＵは、ページングオケージョンを逃す場合がある。
【０１３８】
以下のことの１または複数が、任意の組み合わせで、および任意の順序で適用され得る。ＷＴＲＵは、いかなるページングも予測し得ないものであり、そのページングは、それに対してサブフレーム６で意図され得るものであり、そのことは、ｅＮＢがページングメッセージをそのサブフレームで送信することが可能であるかどうかに関わらないものであり得る。ＷＴＲＵは、ＷＴＲＵ固有のＴＤＤ  ＵＬ／ＤＬ構成を受信することが可能であり、その構成は、ＤＬサブフレーム６を特殊サブフレームとしてセットすることが可能である。ネットワークは、サブフレーム６をページングオケージョンとして割り振らない場合がある。例としてこれは、「ｎＢ」パラメータを４＊Ｔにセットしないことにより達成され得るものであり、その結果、すべての４つのサブフレームオケージョンがページングのために使用され得るとは限らない。ＷＴＲＵは、参照構成を受信することが可能であり、それは、ページング、および／または、１もしくは複数の他の手順のために、その構成にしたがう（または、その構成を使用する）ことが可能である。
【０１３９】
ＷＴＲＵは、上記の手順にしたがって（または、その手順を使用して）、ＰＤＳＣＨ領域、または、システム情報（ＳＩ）メッセージをサブフレーム６で受信することに対する可能性を決定することが可能である。ＷＴＲＵは、ＰＤＳＣＨ送信をこのサブフレームで受信することが可能であり、そのサブフレームは、ブロードキャストメッセージのそれとは異なるＰＲＢサイズを使用することが可能である。ＰＤＣＣＨでのアドレッシングされた割り当て、例えるなら、システム情報またはページング情報を搬送するＰＤＳＣＨに対する割り当てを受信するために、ＷＴＲＵは、ＳＩ−ＲＮＴＩまたはＰ−ＲＮＴＩを伴う、ＰＤＣＣＨに対して監視すべき（または、ＰＤＣＣＨを内包し得る）サブフレームを決定するためのＳＩＢ１  ＵＬ／ＤＬ構成、または、構成される動的ＴＤＤ  ＵＬ／ＤＬ構成を使用することが可能である。上記の説明に関して、ＥＰＤＣＣＨがＰＤＣＣＨの代わりに適用可能であり得る。
【０１４０】
ハンドオーバに関して、ターゲットセルでの動的ＴＤＤ再構成に気付かない場合があるＷＴＲＵは、適正にそのセルにハンドオーバされない場合がある。ＷＴＲＵは、シグナリング、例えるならＲＲＣシグナリングを受信することが可能であり、そのＲＲＣシグナリングはＲＲＣメッセージを含み得るものであり、そのＲＲＣメッセージは、ｍｏｂｉｌｉｔｙＣｏｎｔｒｏｌＩｎｆｏ  ＩＥを伴う、ソースｅＮＢからの、ターゲットセルへのハンドオーバをトリガするためのＲＲＣ再構成メッセージであり得るものであり、そのターゲットセルは、メッセージ内で識別され得るものである。シグナリング、例えばＲＲＣメッセージまたは別のメッセージは、以下のものの１または複数を内包し得るものであり、以下のものとは、セル固有の、例えばＳＩＢ１で指定されるＴＤＤ構成、例えば、ターゲットセルのＴＤＤ  ＵＬ／ＤＬ構成；ターゲットセルが動的ＴＤＤセルであるか否か（例えば、それがＴＤＤ  ＵＬ／ＤＬ構成の動的再構成をサポートするか否か）に関する指示；１または複数のＷＴＲＵ固有の、または手順固有のＴＤＤ  ＵＬ／ＤＬ構成、例えるなら、現在のＷＴＲＵ固有の、または手順固有の、ＴＤＤ  ＵＬ／ＤＬ構成または複数の構成であって、場合によっては、ターゲットセルが動的ＴＤＤセルであり得る事例に対しての、またはその事例に対してのみのものである構成；可能であるＴＤＤ構成のセットであって、ターゲットセルが、現在のＵＬ／ＤＬ構成からのその再構成の間に使用することが可能であり、場合によっては、ターゲットセルが動的ＴＤＤセルである事例に対しての、またはその事例に対してのみのものであるセットである。
【０１４１】
ＷＴＲＵは、ＴＤＤ構成の現在の、および場合によっては他のセットを使用して、適正にリソースを選定することを、ターゲットセルとの同期、および／または、ハンドオーバ手順を完了するためのシグナリングのために行うことが可能である。あるいはＷＴＲＵは、セル固有の（例えるなら、ＳＩＢ１）ＵＬ／ＤＬ構成を使用することを、リソース（例えば、ＤＬサブフレーム）をターゲットセルとの同期のために、および／または、リソース（例えば、ＰＲＡＣＨリソース）を、ハンドオーバ手順の完了をシグナリングするために決定するために行うことが可能である。ハンドオーバ手順が、ＷＴＲＵ固有の、または手順固有のＴＤＤ  ＵＬ／ＤＬ構成を使用する何らかのステップで失敗する事例では、ＷＴＲＵは、ターゲットセルのＳＩＢ１で指定されるＴＤＤ  ＵＬ／ＤＬ構成にフォールバックし、同期および／またはハンドオーバ完了プロセスを再試行することが可能である。
【０１４２】
例えば無線リンク失敗、または、関係付けられたタイマ、例えるならＴ３０４の満了に起因するＷＴＲＵハンドオーバ失敗の事例では、ＷＴＲＵは、ソースセルへのそのＲＲＣ接続を、以前に使用された構成に戻って再確立することを試行することが可能である。この事例ではＷＴＲＵは、再確立手順の部分として、ソースセルと再同期することを、その以前に構成されたＷＴＲＵ固有の、または手順固有の構成に基づいて試行することが可能であり、それが失敗するならば、ＷＴＲＵは、セル固有の（例えば、ＳＩＢ１）構成を使用することにフォールバックすることが可能である。あるいはＷＴＲＵは、セル固有の（例えば、ＳＩＢ１）ＴＤＤ  ＵＬ／ＤＬ構成を再確立のために使用することを、いずれの以前に構成されたＷＴＲＵ固有の、または手順固有の構成にも関わりなしに行うことが可能である。ＵＬ／ＤＬ構成を使用することは、以下のものの１または複数をＵＬ／ＤＬ構成に基礎付けることを含み得るものであり、以下のものとは、サブフレームの方向、スケジューリングおよびＨＡＲＱに対するＵＬおよびＤＬの各々に対するタイミング、ｓｙｎｃチャネルおよび参照信号の位置、ＰＲＡＣＨリソースの割り振り等々である。
【０１４３】
セミパーシステントスケジューリング（ＳＰＳ）にＴＤＤで対処することに関して、ＳＰＳ構成は、一部の事例ではＵＬ／ＤＬ構成に依存的であり得、そのことが、動的ＴＤＤセルでの混乱という結果になり得る。ＷＴＲＵは、セル固有の（例えば、ＳＩＢ１で指定される）ＵＬ／ＤＬ構成を受信することが可能であり、かつ／または、１または複数のＷＴＲＵ固有のＵＬ／ＤＬ（または場合によっては、ＤＬのみの）構成を受信することが可能である。
【０１４４】
ＴＤＤセル、例えば動的ＴＤＤセルのＵＬ／ＤＬ構成へのＳＰＳプロセス依存性が与えられると、ＷＴＲＵは、明示的な指示を受信することが可能であり、その指示は、どのＵＬ／ＤＬ構成を、参照として、ＵＬ  ＳＰＳプロセスおよびＤＬ  ＳＰＳプロセスの両方に対して、および／または、各々のプロセスに対して非依存的に使用すべきかに関するものである。例えばＷＴＲＵは、指示を受信することが可能であり、その指示はＳＰＳ構成に含まれ得るものであり、そのＳＰＳ構成はＲＲＣシグナリングにより提供され得るものであり、その指示は、どのＵＬ／ＤＬ構成を使用すべきかに関するものである。ＷＴＲＵは、指示を受信して、セル固有の（例えば、ＳＩＢ１で指定される）ＵＬ／ＤＬ構成を、ＵＬ  ＳＰＳプロセスおよび／またはＤＬ  ＳＰＳプロセスに対して使用することが可能である。
【０１４５】
ＷＴＲＵは、ＳＰＳ構成を指示する固有のＵＬ／ＤＬ構成値を受信することが可能であり、それは、そのＳＰＳ構成をＳＰＳプロセスに適用することが可能である。ＷＴＲＵは、サブフレーム０および５をＤＬ  ＳＰＳプロセスに対して、ならびに、サブフレーム２をＵＬ  ＳＰＳプロセスに対して使用することが可能であり、その結果、それが、ＵＬ／ＤＬ構成に依存的でない場合がある。
【０１４６】
ＷＴＲＵは、セル固有の（例えば、ＳＩＢ１で指定される）ＴＤＤ  ＵＬ／ＤＬ構成を、ＵＬ  ＳＰＳプロセスに対して、例えば、ＵＬ  ＳＰＳタイミング関係性に対して、例えるならＨＡＲＱおよび再送信に対して使用することが可能である。
【０１４７】
ＷＴＲＵは、ＷＴＲＵ固有の、または手順固有のＴＤＤ  ＵＬ／ＤＬ構成を、ＤＬ  ＳＰＳプロセスに対して、例えば、ＤＬ  ＳＰＳタイミング関係性に対して、例えるならＨＡＲＱおよび再送信に対して使用することが可能である。構成は、ＷＴＲＵにより、ＤＬ  ＰＤＳＣＨ（例えば、ＤＬ  ＰＤＳＣＨスケジューリング）に対して、および、その関連付けられるＤＬ  ＨＡＲＱに対して（例えば、ＤＬ  ＰＤＳＣＨスケジューリングおよびＤＬ  ＨＡＲＱのタイミングに対して）使用され得るものと同じであり得る。
【０１４８】
ＵＬ／ＤＬ再構成に起因して、現在構成されるＳＰＳプロセスが、もはや有効でなくなり得る、例えば、ＳＰＳに対するＵＬサブフレームが、今やＤＬサブフレームになった、またはその逆になったということは起こることがあり得る。再構成は例えば、セル固有の（例えば、ＳＩＢ１で指定される）ＵＬ／ＤＬ構成の再構成、ＷＴＲＵ固有の、もしくは手順固有のＵＬ／ＤＬ構成の再構成の結果であり得、または、サブフレームの方向の変化に起因するものであり得る。
【０１４９】
ＷＴＲＵは、以下のことの１または複数を遂行することが可能である。ＷＴＲＵは、現在のＳＰＳ構成の明示的な解放を受信することが可能であり、そのことは、新しいＳＰＳ構成または複数の構成の受信とともにであり得るものであり、または、それらの新しいＳＰＳ構成または複数の構成の受信により追随され得るものであり、それらの新しいＳＰＳ構成は、新しいＵＬ／ＤＬ構成に適用可能であり得、ＷＴＲＵは、ＳＰＳ構成を適宜解放および／または適用することが可能である。ＳＰＳ構成および適用可能なＵＬ／ＤＬ構成に基づいて、ＷＴＲＵが、意図されるアクションと対向する方向を有するサブフレームで送信または受信し得るものであり、ＳＰＳ解放が受信されていないおそれがある場合、ＷＴＲＵは、そのサブフレームで送信すること、または、受信することを試行することは可能でない。ＷＴＲＵは、現在のＳＰＳ構成を、ＵＬ／ＤＬ構成を受信する際に（または、受信する結果として）解放することが可能である。ＷＴＲＵは、自律的にＳＰＳ構成を解放することが可能であり、その構成は、ＵＬ／ＤＬ構成の変化、または、サブフレームの方向の変化に起因して無効になったおそれがあるものである。ＷＴＲＵは、ＳＰＳを非アクティブとして、新しい構成がｅＮＢから受信されるまで考えることが可能である。ＷＴＲＵが、ＷＴＲＵ固有のＵＬ／ＤＬ構成によって構成されているならば、それは、指示を受信することがさらに可能であり、その指示は、セル固有の（例えば、ＳＩＢ１で指定される）ＵＬ／ＤＬ構成にフォールバックすることを、ＤＬおよび／またはＵＬ  ＳＰＳに対して行うためのものである。ＷＴＲＵは、ＳＰＳ手順のＰＤＣＣＨで命じられるアクティブ化を受信して、ＳＰＳを再度開始することを、ＵＬ／ＤＬ構成の再構成の際に、またはその再構成に続いて行うことが可能である。
【０１５０】
ＵＬ／ＤＬ構成不整合が、隣接するセルとＷＴＲＵとの間で存在し得るシナリオでは、ＷＴＲＵは、一部の測定、例えばＲＳＲＰ測定を適正に遂行することが可能ではない場合がある。接続されたモードでのＷＴＲＵは、情報を受信することが可能であり、その情報は、ＵＬ／ＤＬ構成またはサブフレームパターンに関する、周波数内および周波数間測定に対する、ｅＮＢからのＲＲＣシグナリング内のＭｅａｓＯｂｊｅｃｔＥＵＴＲＡＮによるものである。ＷＴＲＵは、異なるＭｅａｓＯｂｊｅｃｔＥＵＴＲＡＮによって、例えば、隣接するセルのＵＬ／ＤＬ構成が変化するときに再構成され得る。
【０１５１】
ＷＴＲＵは、隣接セルシステム情報、例えるならＳＩＢ１を読み出して、隣接セルのセル固有のＵＬ／ＤＬ構成を得ることを、例えば効率的な隣接セル測定の目的で行うことが可能である。ＷＴＲＵは、セルのセットを、例えば測定対象内でそのサービングセルから受信することが可能であり、そのセットに対してＷＴＲＵは、ＳＩＢ１を、例えばその測定手順の部分として読み出すことが可能であり、そのため、固有の動的ＴＤＤセルまたは複数のセルの、ＳＩＢ１で基礎付けられたＵＬ／ＤＬ構成が索出され得る。
【０１５２】
ＷＴＲＵは、隣接動的ＴＤＤセルを含み得るセルブラックリストを受信することを、測定対象をレガシーＷＴＲＵに対して構成するときに行うことが可能である。このブラックリストは例えば、レガシーＷＴＲＵのモビリティを動的ＴＤＤセルに対して制御するために使用され得る。
【０１５３】
ＰＣｅｌｌおよび／またはＳＣｅｌｌ  ＴＤＤ  ＵＬ／ＤＬ構成が変化していることがあり得る場合、あるＤＲＸタイマのＰＤＣＣＨサブフレーム計数の間で不整合が存在し得る。そのような不整合は、混乱を、ＷＴＲＵにより知覚される非アクティブ時間と、ｅＮＢにより想定される非アクティブ時間との間で生み出す場合がある。解決策として、２つのＴＤＤ  ＵＬ／ＤＬ構成の間の遷移期間の間、ＷＴＲＵは、一部またはすべてのＤＲＸに関係付けられたタイマを一時停止する場合があり、新しいＵＬ／ＤＬ構成が実効を生じさせてしまうまでアクティブのままである場合があり、そのことは、シグナリングおよびアクティブ化手順に、全体を通して説明されたように基礎付けられ得るものである。ＷＴＲＵは、通知を受信することが可能であり、その通知は、ＷＴＲＵ固有のＵＬ／ＤＬ構成を使用すべきか、それともＳＩＢ１固有のＵＬ／ＤＬ構成を使用すべきかの、ＤＲＸ動作に対するものである。ＤＲＸサイクルの開始ではＷＴＲＵは、何らかの情報を受信することが可能であり、その情報は、どのＵＬ／ＤＬ構成を参照のためにＤＲＸ動作に対して使用すべきかに関するものである。これは、ＷＴＲＵによりＭＡＣ  ＣＥの形式で受信され得るものであり、または、明示的にＷＴＲＵにＲＲＣシグナリングによってシグナリングされ得る。
【０１５４】
ＷＴＲＵは、ＰＤＣＣＨを任意のダウンリンクサブフレームで受信することが可能であり、そのサブフレームは、ＷＴＲＵ固有のＴＤＤ  ＵＬ／ＤＬ構成により指示されるものである。
【０１５５】
１つの実施形態では、ＤＲＸ動作（例えば、構成されるならば）の目的で、例えばＲＲＣ接続されたモードで、ＷＴＲＵ固有のＴＤＤ  ＵＬ／ＤＬ構成によって構成され得るＷＴＲＵは、ＷＴＲＵ固有のＴＤＤ  ＵＬ／ＤＬ構成によればダウンリンクサブフレームであるサブフレームを、ＰＤＣＣＨサブフレームとして考えることが可能である。ＰＤＣＣＨサブフレームは、ＰＤＣＣＨおよび／またはＥＰＤＣＣＨ（例えば、ＥＰＤＣＣＨが構成されるならば）を搬送することが可能であるサブフレームを指し得る。ＰＤＣＣＨサブフレームは、アクティビティ、非アクティビティ等々をＤＲＸの目的で決定するときに計数され得るサブフレームであり得る。これは例えば、その間にＷＴＲＵ固有のＴＤＤ  ＵＬ／ＤＬ構成がアクティブ化および／または使用され得る期間に対して適用すること、または、適用することのみが可能である。
【０１５６】
サブフレームがダウンリンクサブフレームのみであり得る別の実施形態では、ＷＴＲＵ固有のＴＤＤ  ＵＬ／ＤＬ構成は、ＰＤＣＣＨサブフレームとしては、ＤＲＸ動作の目的で、例えばＲＲＣ接続されたモードでは考えられ得ない。
【０１５７】
ＷＴＲＵは、ＤＲＸ、およびその関連付けられるタイマに関係付けられる、以下の手順の１または複数を遂行することを、ＴＤＤ  ＵＬ／ＤＬ構成の再構成をｅＮＢから受信する際に行うことが可能である。１または複数の進行中のＨＡＲＱプロセスが、古い構成から新しい構成への遷移の間に解消または一時停止されていたならば、ＷＴＲＵは、ＰＤＳＣＨ受信に基づいて以前のフレームで古いＵＬ／ＤＬ構成によって開始させられていた場合があるＨＡＲＱ−ＲＴＴタイマを停止および／もしくはリセットすること；進行中のｄｒｘ−再送信タイマを停止および／もしくはリセットすること；または、ｏｎＤｕｒａｔｉｏｎタイマを再度開始することを、進行中の短い、または長いＤＲＸサイクルを再度開始することに基づいて行うことが可能である。このタイマの再度開始することに基づいて、ＷＴＲＵは、アクティブ時間に戻ることが、すでにその状態でないならば可能である。
【０１５８】
１または複数の進行中のＨＡＲＱプロセスが、遷移の間に継続されていたならば、ＷＴＲＵは、ＤＲＸプロセス、および関連付けられるタイマを中断されずに継続すること；以前のＵＬ／ＤＬ構成に基づくＨＡＲＱ  ＲＴＴタイマをいずれの進行中のＨＡＲＱプロセスに対しても継続することであって、新しいＤＬグラントに基づく新しいＨＡＲＱプロセスは、新しいＵＬ／ＤＬ構成に基づくＨＡＲＱ  ＲＴＴタイマを開始することが可能である、継続すること；新しいＵＬ／ＤＬ構成に基づくｄｒｘ−再送信タイマをセットすること；または、任意のタイマを、フレームで、遷移の後に、新しいＵＬ／ＤＬ構成に基づいて、参照として、開始もしくは再度開始することを、両方とも任意のタイマ持続時間に対して、例えば、ＰＤＣＣＨサブフレームについてのＨＡＲＱ−ＲＴＴタイマのために行うことが可能である。
【０１５９】
ＷＴＲＵは、ＴＤＤ  ＵＬ／ＤＬ構成の再構成の間に、ＤＲＸコマンドＭＡＣ  ＣＥを同じ時間に受信することもまた可能である。例えば、ＷＴＲＵに、ＰＤＣＣＨによって給送され得るＴＤＤ  ＵＬ／ＤＬ構成とともに、ＷＴＲＵは、ＰＤＳＣＨの指示を受信することが可能であり、その指示は、ＤＲＸコマンドに対するＭＡＣ  ＣＥを内包し得るものである。ＤＲＸコマンドの受信の際に、ＷＴＲＵは、いずれの進行中のＤＲＸ手順も停止および／または一時停止することが可能である。ＷＴＲＵがＤＲＸによって構成され得るが、ＤＲＸサイクルまたはタイマが開始されていないならば、ＷＴＲＵは、このコマンドの受信の際に、短い、または長いＤＲＸサイクルを開始することが可能である。ＷＴＲＵは、新しいＴＤＤ  ＵＬ／ＤＬ構成を、参照として、ＰＤＣＣＨサブフレームに対して、ＤＲＸに関係付けられるタイマに対して使用することが可能である。
【０１６０】
ある動作に対して、例えるなら、ＷＴＲＵがＵＬ／ＤＬ構成を使用することが可能であり、その構成が、ｅＮＢが直近で構成し得たＵＬ／ＤＬ構成とは異なり得るものであるとき、ＷＴＲＵは、ＤＲＸ動作を一時停止し、すべての進行中のＤＲＸタイマをリセットすることが可能である。ＷＴＲＵは、アクティブ時間でのままであり得るものであり、ＰＤＣＣＨサブフレームの計数を一時停止することを、ＵＬ／ＤＬ構成更新が、ｅＮＢから、場合によっては、ＲＲＣ、ＰＤＣＣＨ、または他の指示機構により受信されてしまうまで行うことが可能である。ＷＴＲＵは、ＤＲＸ動作を一時停止することを継続することを、ＤＲＸコマンドＭＡＣ  ＣＥがｅＮＢから受信され得るまで行うことが可能であり、そのポイントでＷＴＲＵは、ＤＲＸ動作を再度開始することを、初期状態から、短い、または長いＤＲＸサイクルの始まりで、構成されるように行うことが可能である。
【０１６１】
動的ＴＤＤ対応セルは、アドバンストＷＴＲＵ（例えば、動的ＴＤＤ  ＷＴＲＵ）およびレガシーＷＴＲＵの両方をサポートする場合がある（または、サポートしなければならない場合がある）。レガシーＷＴＲＵにより動的ＴＤＤ手順に課される制限が、ＴＤＤ  ＵＬ／ＤＬ再構成がレガシーＷＴＲＵに適用され得る場合に存在し得る。例えば再構成期間は、遅い、および／または、レガシーＷＴＲＵの限度内である場合がある（または、そうである必要がある場合がある）。別の例として、望ましくない場合があるサービス中断が、レガシーＷＴＲＵにより遭遇されることが、例えば、再構成が出現し得る、または適用され得るときにあり得る。部分的に、または完全に、レガシーＷＴＲＵにより課され得る１または複数の制限を取り外すことが可能である解決策は、関心のものであり得る。
【０１６２】
例えばセルに対するＳＩＢ１は、ＴＤＤ固有の構成情報、例えるなら、セルに対するＴＤＤ  ＵＬ／ＤＬ構成を含み得る。一部の実施形態ではＳＩＢ１  ＵＬ／ＤＬ構成は、セルに対するセル固有のＴＤＤ  ＵＬ／ＤＬ構成であると考えられ得る。あるＷＴＲＵ、例えるならレガシーＷＴＲＵに対しては、ＳＩＢ１  ＵＬ／ＤＬ構成は、セルに対する唯一のＴＤＤ  ＵＬ／ＤＬ構成であると考えられ得る。
【０１６３】
一部のＷＴＲＵは、セル固有のＴＤＤ  ＵＬ／ＤＬ構成に対応するタイミングおよび手順にしたがう（または、それらのタイミングおよび手順を使用する）ことが可能であり、その構成は、例えばｅＮＢにより、セルによって、例えばＳＩＢ１により、またはＳＩＢ１内でブロードキャストされ得るものであり、あるＷＴＲＵ、例えるなら、いずれかのＷＴＲＵまたはすべてのＷＴＲＵにより受信可能であり得るものであり、または、それらのＷＴＲＵによる受信に対して意図され得るものである。
【０１６４】
一部のＷＴＲＵは、１または複数のサブフレームを、例えば、セル、例えるならサービングセルに対して、ＤＬサブフレームとして考え得るものであり、それらのＤＬサブフレームがＵＬサブフレームとして指示されることが、他のＷＴＲＵに対して、例えば同じセルに対して、少なくとも１つまたは若干の動作手順、例えばＰＤＳＣＨ  ＨＡＲＱ（例えば、ＰＤＳＣＨ  ＨＡＲＱタイミング）等々に対してあり得る。
【０１６５】
一部のシナリオでは、例えるなら一部の実施形態では、または一部の手続に対して、特殊サブフレームは、ＤＬサブフレームとして扱われ得る、または、ＤＬサブフレームであると考えられ得る。例えば、ＤＬ制御チャネル、例えるならＰＤＣＣＨまたはＥＰＤＣＣＨを、監視すること、または復号することを試行することを行うべきかどうかを決定することは、サブフレームがＤＬであり得るかどうかを決定することに基づき得るものであるが、その、行うべきかどうかを決定することのために、ＷＴＲＵは、特殊サブフレームをＤＬサブフレームとして考え得る、または扱い得る。
【０１６６】
ＵＬサブフレームとしてセル固有のＴＤＤ  ＵＬ／ＤＬ構成では考えられ得るものであり、ＤＬサブフレームとして、例えば同じセルに対して、少なくともＷＴＲＵの手順の１つに対して、考えられ得る、または潜在的に（ただし、必ずしもではない）考えられ得るものであるサブフレームは、そのＷＴＲＵに対して「競合するサブフレーム」と呼ばれ得る。競合するサブフレームは、ＵＬサブフレームとして、セル固有のＴＤＤ  ＵＬ／ＤＬ構成で指示される場合があり、または、常に指示される場合がある。例えばＷＴＲＵ、例えるなら、動的ＴＤＤ再構成をサポートするＷＴＲＵは、１または複数のサブフレームをＤＬサブフレームとして考えることを、例えば、セル、例えるならサービングセルに対して行い得るものであり、それらのサブフレームは、ＵＬサブフレームとして（例えば、ＳＩＢ１で）指示されること、および、ＵＬサブフレームとして考えられることが、例えば同じセルに対して、ある他のＷＴＲＵ、例えるなら、レガシーＷＴＲＵ、または、動的ＴＤＤ再構成をサポートしないＷＴＲＵにより、少なくとも１つまたは若干の動作手順、例えるなら、ＰＤＣＣＨ監視、ＰＤＳＣＨ  ＨＡＲＱ（例えば、ＰＤＳＣＨ  ＨＡＲＱタイミング）等々に対してあり得るものである。
【０１６７】
一部の実施形態では、ＤＬサブフレームとしてセル固有のＴＤＤ  ＵＬ／ＤＬ構成では考えられ得るものであり、ＵＬサブフレームとして、例えば同じセルに対して、少なくともＷＴＲＵの手順の１つに対して、考えられ得る、または潜在的に（ただし、必ずしもではない）考えられ得るものであるサブフレームは、そのＷＴＲＵに対して「競合するサブフレーム」と呼ばれ得る。
【０１６８】
ＷＴＲＵは、１または複数のＴＤＤ  ＵＬ／ＤＬ構成の、例えばあるセルに対するものによって構成され得、それらの構成は、セル固有のＴＤＤ  ＵＬ／ＤＬ構成の、例えばそのあるセルに対するものに加えてのものであり得、その場合、そのような構成されたＵＬ／ＤＬ構成は、セル固有のＵＬ／ＤＬ構成とは異なり得る。これらの追加的なＴＤＤ  ＵＬ／ＤＬ構成は、ＷＴＲＵ固有のＴＤＤ  ＵＬ／ＤＬ構成と呼ばれ得る。
【０１６９】
ｅＮＢは、ＷＴＲＵ固有のＴＤＤ  ＵＬ／ＤＬ構成の、例えばあるセル、例えるならサービングセルに対するものの指示を、提供もしくは送信することが可能であり、かつ／または、ＷＴＲＵはその指示を受信することが可能であり、その構成は、セル固有のＴＤＤ  ＵＬ／ＤＬ構成の、例えばそのセルに対するものとは異なり得、ＷＴＲＵ固有のＴＤＤ  ＵＬ／ＤＬ構成の指示は、以下のものの少なくとも１つであり得る、または、以下のものの少なくとも１つを内包し得る。ＴＤＤ  ＵＬ／ＤＬ構成の、適用可能であり得るセルに対するもののサブセットへのインデックス、または、ＴＤＤ  ＵＬ／ＤＬ構成自体のインデックス、構成番号、もしくは他の識別情報が、指示に含まれ得る。デフォルト構成は、最も低いインデックスに、例えばＳＩＢ１での構成に関連付けられ得る。デフォルト構成は、ｅＮＢにより提供されること、および／または、ＷＴＲＵにより受信されることが、制御シグナリングで行われ得るものであり、そのシグナリングは、ＴＤＤ  ＵＬ／ＤＬ構成を修正して、例えば、ある、または与えられた、無線フレームまたはサブフレームから開始して使用するために使用され得るものである。シグナリングされる構成に対する有効時間が、指示に含まれ得る。有効時間は、制御シグナリングで、ｅＮＢにより提供され、および／または、ＷＴＲＵにより受信され得、そのシグナリングは、ＴＤＤ  ＵＬ／ＤＬ構成を修正して、例えば、ある、または与えられた、無線フレームまたはサブフレームから開始して使用するために使用される。有効性が満了するとき、ＷＴＲＵは、構成を放棄すること、および／または、セル固有の構成に戻ることが可能である。例えばあるセルに対して適用可能であり得る、１または複数のＴＤＤ  ＵＬ／ＤＬ構成のサブセットが、指示に含まれ得る。サブセット内の各々の構成は、その構成番号、または、ＩＥフィールド、例えるなら、ＴＤＤ−Ｃｏｎｆｉｇ  ＩＥ内のｓｕｂｆｒａｍｅＡｓｓｉｇｎｍｅｎｔにより表され得る。サブセットは、ＴＤＤ−Ｃｏｎｆｉｇ  ＩＥ（または、そのｓｕｂｆｒａｍｅＡｓｓｉｇｎｍｅｎｔのみ）のインデックス付きのシーケンスであり得る。ＴＤＤ  ＵＬ／ＤＬ構成の可能であるサブセットの例は、以下のようなものであり得、以下のようなものとは、［＃０，＃３，＃６］（例えば、ＰＲＡＣＨリソースが、サブフレーム＃４で、ＰＲＡＣＨ  ｃｏｎｆｉｇインデックス０によって構成されることを可能にし得る）、［＃１，＃４］（例えば、ＰＲＡＣＨリソースが、サブフレーム＃３で、ＰＲＡＣＨ  ｃｏｎｆｉｇインデックス０によって構成されることを可能にし得る）、［＃２，＃５］（例えば、ＰＲＡＣＨリソースが、サブフレーム＃２で、ＰＲＡＣＨ  ｃｏｎｆｉｇインデックス０によって構成されることを可能にし得る）、すべてのＴＤＤ構成である。
【０１７０】
ＷＴＲＵは、ＷＴＲＵ固有のＴＤＤ／ＵＬ構成の指示を、セル固有の、および／または、一部の以前に決定されたＷＴＲＵ固有のＴＤＤ  ＵＬ／ＤＬ構成（例えば、明示的なシグナリングによって提供される）から導出することが可能である。例えばルックアップ表が、ＷＴＲＵにより使用されて、１または複数のＷＴＲＵ固有のＴＤＤ  ＵＬ／ＤＬ構成を、セル固有のＴＤＤ  ＵＬ／ＤＬ構成に基づいて決定する。
【０１７１】
送信のＵＬ／ＤＬ方向に関して、ＷＴＲＵ固有のＴＤＤ  ＵＬ／ＤＬ構成は、競合するサブフレームのそれ自体のセットを有し得る。これらの競合するサブフレームは、ＵＬサブフレームとして、セル固有のＴＤＤ  ＵＬ／ＤＬ構成で、例えばあるセルに対して指示され、ＤＬサブフレームとして、例えば同じセルに対するものであり得る、そのＷＴＲＵ固有のＴＤＤ  ＵＬ／ＤＬ構成で指示されるサブフレームであり得る。
【０１７２】
ＷＴＲＵは、データおよび／またはシグナリングをサブフレームで、受信すること（または、受信することを試行すること）、または、受信することのみ（または、受信することを試行することのみ）が可能であり、それらのサブフレームは、（例えば、ＷＴＲＵにより）ＤＬサブフレームとして（または、ＤＬサブフレームであると）、例えばあるセル、例えるならサービングセルに対して決定され得るものである。ＷＴＲＵは、データおよび／またはシグナリングをサブフレームで、送信すること、または、送信することのみが可能であり、それらのサブフレームは、（例えば、ＷＴＲＵにより）ＵＬサブフレームとして（または、ＵＬサブフレームであると）、例えばあるセル、例えるならサービングセルに対して決定され得るものである。
【０１７３】
ＤＬにおいてサブフレームで、受信すること、または、受信することを試行することは、ＰＤＣＣＨを監視すること、ＥＰＤＣＣＨを監視すること、ＰＨＩＣＨを復号すること、および、ＰＤＳＣＨを復号することの少なくとも１つを含み得る。
【０１７４】
ｅＮＢは、データおよび／またはシグナリングを、例えばあるセルに対して、１または複数のＷＴＲＵ（例えるなら、動的ＴＤＤ  ＷＴＲＵ）へ、またはそれらのＷＴＲＵに対して意図されて、サブフレームで送信することが可能であり、それらのサブフレームは、ＵＬサブフレームとして、例えば、そのセルのセル固有のＴＤＤ  ＵＬ／ＤＬ構成で指示され得るものであり、その構成は、ｅＮＢまたはセルにより、例えばＳＩＢ、例えるならＳＩＢ１でブロードキャストされ得るものである。ｅＮＢは、データおよび／またはシグナリングを、例えばあるセルに対して、１または複数のＷＴＲＵ（例えるなら、動的ＴＤＤ  ＷＴＲＵ）からサブフレームで受信する（または、受信することを試行する）ことが可能であり、それらのサブフレームは、ＤＬサブフレームとして、例えば、そのセルのセル固有のＴＤＤ  ＵＬ／ＤＬ構成で指示され得るものであり、その構成は、ｅＮＢまたはセルにより、例えばＳＩＢ、例えるならＳＩＢ１でブロードキャストされ得るものである。
【０１７５】
本明細書でのある説明および実施形態では、セル固有のＴＤＤ  ＵＬ／ＤＬ構成の１または複数、１または複数のＷＴＲＵ固有のＴＤＤ  ＵＬ／ＤＬ構成、および、サブフレームのＵＬ／ＤＬ方向に言及するとき、そのような言及は、あるセルに対するものであり得、そのあるセルは、サービングセルであり得、および／または、言及の一部、例えるならすべての言及に対して同じセルであり得る。
【０１７６】
ＷＴＲＵは、サブフレームの１つまたはセットのＵＬ／ＤＬ方向を、例えばあるセル、例えるならサービングセルに対して、以下の技法の１つまたは組み合わせを使用することにより決定することが可能である。ＷＴＲＵは、サブフレームの送信の方向を、セル固有のＴＤＤ  ＵＬ／ＤＬ構成により指示されるものと同じであるように、例えばセルに対して決定することが可能である。ＷＴＲＵは、サブフレームの送信の方向を、ＷＴＲＵ固有のＴＤＤ  ＵＬ／ＤＬ構成により指示されるものと同じであるように、例えばセルに対して決定することが可能である。ＷＴＲＵは、サブフレームの送信の方向を、セル固有の、および／または、１もしくは複数のＷＴＲＵ固有のＴＤＤ  ＵＬ／ＤＬ構成に応じて、例えばセルに対して決定することが可能である。ＷＴＲＵは、送信の方向を、競合するサブフレームの指示の受信の部分として、例えばセルに対して受信することが可能である。ＷＴＲＵは、例えばセルに対して、特定のサブフレームをＤＬサブフレームであると、一部のプロセスに対して考えることが可能であり、（場合によっては、同じ時間に）同じサブフレームをＵＬサブフレームであると、一部の他のプロセスに対して考えることが可能である。
【０１７７】
ＷＴＲＵは、送信の方向を、例えばセル、例えるならサービングセルに対して、明示的な、および／または暗黙のシグナリングの部分として決定することが可能であり、そのシグナリングは、１または複数の連続的な無線フレームに適用され得るものである。例えばＷＴＲＵは、無線フレームの第１の半分のすべてのＵＬサブフレームをＤＬサブフレームとして、それが、例えば反対を指示する明示的なシグナリングを受信し得るまで考えることが可能である（例えばシグナリングは、ＵＬ／ＤＬ遷移の第１の出現を、無線フレーム、例えるならサブフレーム＃１で制御することが可能である）。ＷＴＲＵは、無線フレームの第２の半分のすべてのＵＬサブフレームをＤＬサブフレームとして、それが、例えば反対への明示的なシグナリングを受信し得るまで考えることが可能である（例えばシグナリングは、ＵＬ／ＤＬ遷移の第２の出現を、無線フレーム、例えるならサブフレーム＃６で制御することが可能である）。ＷＴＲＵは、連続的なＵＬサブフレームの任意のセットをＤＬサブフレームとして、それが、例えば反対への明示的なシグナリングを受信し得るまで考えることが可能である（例えば遷移ポイントは、明示的にシグナリングされ得る）。
【０１７８】
ＷＴＲＵは、サブフレームのＵＬ／ＤＬ方向の１または複数の指示を、より高い層および／または物理層シグナリングによって受信することが可能である。例としてＷＴＲＵは、そのような指示を、ＤＣＩフォーマットまたはメッセージによって、受信すること、または、受信することを予測することが可能であり、それらのＤＣＩフォーマットまたはメッセージは、例えばｅＮＢにより、あらかじめ定義された、または、あらかじめ構成された時間、例えるなら、あるサブフレームで、各々の無線フレーム、無線フレームの各々のセット、または、無線フレームのパターンの内部で送信され得るものである。例えばＷＴＲＵは、ＵＬ／ＤＬ方向の指示を、ｎ個の無線フレームごとの、または、ｎ個の無線フレームの各々のあらかじめ構成されたセットの、サブフレームｍで受信すること、または、受信することを予測することが可能である。ｎの値は、固定されたもの、例えるなら１または４であり得、または、構成され得る。ｍの値は、固定されたもの、例えるなら０または１（例えば、無線フレームの第１のサブフレーム）であり得、または、構成され得る。ＷＴＲＵは、より高い層シグナリング、例えばＲＲＣシグナリングにより、どのフレーム、および／または、どのサブフレーム、例えるなら、それらのフレーム内のどのサブフレームによって、ＷＴＲＵが、ＵＬ／ＤＬ方向の指示を受信すること、または、受信することを予測することが可能であるかで構成され得る。
【０１７９】
ＷＴＲＵは、ＵＬ／ＤＬ送信方向または方向パターンの新しく受信される指示を、以下のものの１つまたは組み合わせを使用して適用することが可能である。
【０１８０】
ＷＴＲＵは、ＵＬ／ＤＬ送信方向または方向パターンを、サブフレームに対して、ある数の、場合によってはあらかじめ構成された数のサブフレームまたは無線フレームの期間に対して、例えば、ＵＬ／ＤＬ送信方向の指示の受信に続いて、変化させることは可能でない。この期間は、再構成期間と呼ばれ得る。ＵＬ／ＤＬ送信方向が、周期的に、送信される、受信される、受信されるようにスケジューリングされる、または、受信に対して意図される場合、各々の期間は再構成期間であり得る。
【０１８１】
ＷＴＲＵは、サブフレームのＵＬ／ＤＬ方向を変化させることを、それが、サブフレームのＵＬ／ＤＬ方向を指示するシグナリングを受信し得る後に間もなく、例えば直ちに行うことが可能である。例えば、そのようなシグナリングを、サブフレーム、例えるなら、再構成期間の無線フレーム、例えるなら第１の無線フレームのサブフレーム＃０で受信することが可能であるＷＴＲＵは、潜在的に、新しいＵＬ／ＤＬ方向を同じ再構成期間に適用することが可能である。例えばＷＴＲＵは、潜在的に、新しいＵＬ／ＤＬ方向を同じフレームで適用することを、サブフレーム（例えるなら、サブフレーム＃３）から、同じフレームで、もしくは次のフレームで開始して、または、シグナリングが受信されるフレームからの固定されたフレームオフセットｋで開始して行うことが可能である。ｅＮＢは、サブフレームのＵＬ／ＤＬ方向の指示を、複数回（例えば、多重のフレームおよび／またはサブフレームで）、再構成期間内で送信して、例えば、複数の機会を提供することを、ＷＴＲＵが正しく指示を受信するために行うことが可能である。
【０１８２】
サブフレームのＵＬ／ＤＬ方向を指示するシグナリングを、現在の再構成期間で受信すると、ＷＴＲＵは、サブフレームの受信されたＵＬ／ＤＬ方向を適用すること、または、サブフレームのＵＬ／ＤＬ方向を変化させることを、次の再構成期間から、例えば、次の再構成期間の始まりから開始して行うことが可能である。
【０１８３】
ＷＴＲＵは、サブフレームをＤＬサブフレームとして、１または複数の無線フレームで考えることが可能であるが、それをＵＬサブフレームとして、他の無線フレームで考えることが可能である。ＷＴＲＵは、送信の方向をＤＬとして決定することを、それが、何らのＵＬ送信要求もそのサブフレームに対して、例えば、ＵＬスケジューリンググラントを、その、またはそれらのサブフレームに対して受信し得ない場合に行うことが可能である。ＷＴＲＵは、送信の方向をＤＬとして決定することを、それが、ＵＬ信号をそのサブフレームで、例えば、ＰＵＣＣＨを、その、またはそれらのサブフレームで送信することを求められ得ない場合に行うことが可能である。ＷＴＲＵは、送信の方向をＵＬとして決定することを、それが、少なくとも１つのＵＬ送信要求をそのサブフレームに対して、例えるならＵＬスケジューリンググラントを、受信し得る場合に行うことが可能である。ＷＴＲＵは、送信の方向をＵＬとして決定することを、それが、ＵＬ信号をそのサブフレームで、例えばＰＵＣＣＨを、送信することを求められ得る場合に行うことが可能である。
【０１８４】
ＷＴＲＵは、サブフレームの送信の方向を、他のサブフレームの送信に応じて決定することが可能である。例として、ＰＤＳＣＨ割り振りまたはグラントを、ＷＴＲＵにより、サブフレームで受信および／または検出すると、ＷＴＲＵは、すべての次の競合するサブフレームをＤＬサブフレームであると、次の特殊に指示されるサブフレームまで考えることが可能である。特殊に指示されるサブフレームに対する例は、特殊サブフレームを含み得るものであり、それらの特殊サブフレームは、セル固有のＴＤＤ  ＵＬ／ＤＬ構成で、ＷＴＲＵ固有のＴＤＤ  ＵＬ／ＤＬ構成で、競合するサブフレームの指示のセットにより等々で指示されるものである。別の例として、２つのＤＬサブフレームの間の１または複数のサブフレームは、ＤＬサブフレームとして考えられ得る。２つのＵＬサブフレームの間の１または複数のサブフレームは、ＵＬサブフレームとして考えられ得る。
【０１８５】
ＷＴＲＵがサブフレームをＤＬサブフレームとして決定し得ることになると、それは、情報をそのサブフレームで送信することを試み得ない。ＷＴＲＵがサブフレームをＵＬサブフレームとして決定し得ることになると、それは、情報をそのサブフレームで受信することを試み得ない。
【０１８６】
ＷＴＲＵは、サブフレームのＵＬ／ＤＬ方向を、１もしくは複数の構成パラメータ、および／または、サブフレームのＵＬ／ＤＬ方向の指示に応じて決定することが可能である。そのような指示の例は、方向のために使用され得る、ＴＤＤ  ＵＬ／ＤＬ構成、例えるなら参照ＴＤＤ  ＵＬ／ＤＬ構成のインデックスまたは他の指示、ＵＬおよび／またはＤＬサブフレームを指示するビットマップ等々であり得る。サブフレームのＵＬ／ＤＬ方向は、サブフレームのＵＬ／ＤＬ方向の指示の関数であり得るものであり、その指示は、より高い層シグナリングおよび／または物理層シグナリング、セル固有のＴＤＤ  ＵＬ／ＤＬ構成、１または複数のＷＴＲＵ／手順固有のＴＤＤ  ＵＬ／ＤＬ構成等々によって提供されるものである。
【０１８７】
例えばあるセル、例えるならサービングセルに対する、ＷＴＲＵ固有のＴＤＤ  ＵＬ／ＤＬ構成は、１または複数のＷＴＲＵに送信され得る、かつ／または、それらのＷＴＲＵにより受信され得る。少なくとも１つのＷＴＲＵ固有のＴＤＤ  ＵＬ／ＤＬ構成、例えば、セル固有のＴＤＤ  ＵＬ／ＤＬ構成の、例えば同じセルに対するものとは異なり得るＴＤＤ  ＵＬ／ＤＬ構成を受信することが可能である、もしくは受信したことがあり得る、かつ／または、そのＷＴＲＵ固有のＴＤＤ  ＵＬ／ＤＬ構成によって構成され得るＷＴＲＵは、以下の機構の少なくとも１つを遂行することが可能である。
【０１８８】
ＷＴＲＵは、ＷＴＲＵ固有のＴＤＤ  ＵＬ／ＤＬ構成に対応する１または複数のルールを、１または複数の個別の手順に適用することが可能である。ＷＴＲＵは、異なるＷＴＲＵ固有のＴＤＤ  ＵＬ／ＤＬ構成のルールを、異なる手順に適用することが可能である。あるシナリオ、例えるならこのシナリオでは、ＷＴＲＵ固有のＴＤＤ  ＵＬ／ＤＬ構成は、手順固有のＴＤＤ  ＵＬ／ＤＬ構成として扱われ得る、または考えられ得る。「ＷＴＲＵ固有のＴＤＤ  ＵＬ／ＤＬ構成」、「手順固有のＴＤＤ  ＵＬ／ＤＬ構成」、および、「ＷＴＲＵ／手順固有のＴＤＤ  ＵＬ／ＤＬ構成」は、互換的に使用され得る。例えばＷＴＲＵは、タイミング関係性および／またはフォーマットを導出することを、ＵＬおよび／もしくはＤＬ  ＨＡＲＱフィードバックの送信に対して、ならびに／または、ＵＬスケジューリング（例えば、グラント）および／もしくはＤＬ受信に対して、手順固有のＴＤＤ  ＵＬ／ＤＬ構成に基づいて行うことが可能である（例えば、異なる、場合によっては両立するＵＬ／ＤＬ  ＴＤＤ割り当てまたはタイミング関係性の、セル固有の構成のものに加えてのもの）。別の例としてＷＴＲＵは、ＤＬ受信、測定、および／または、与えられたサービングセルに対する適用可能なタイマの対処に関係付けられる、１または複数の手順を遂行することを、ＷＴＲＵが、ＷＴＲＵ固有のＴＤＤ  ＵＬ／ＤＬ構成によって構成され得るときに行うことが可能であり、その場合そのような手順は、ＷＴＲＵによりサブフレームで遂行され得るものであり、そのサブフレームは、ＤＬサブフレームとしてＷＴＲＵ固有のＴＤＤ  ＵＬ／ＤＬ構成で指示され得るものである。
【０１８９】
ＷＴＲＵは、１または複数のＷＴＲＵ／手順固有のＴＤＤ  ＵＬ／ＤＬ構成のルールに準拠することを、セル固有の構成に対応する一部またはすべてのルールを破棄することにより行うことが可能である。ＷＴＲＵは、セル固有のＴＤＤ  ＵＬ／ＤＬ構成に対応する１つまたは若干のルールを、１または複数の手順に適用することが可能である。例えばＷＴＲＵは、セル固有のＴＤＤ  ＵＬ／ＤＬ構成のタイミング関係性を、ＵＬスケジューリングおよび／またはＰＵＳＣＨ  ＨＡＲＱタイミングに適用することが可能である。セル固有のＴＤＤ  ＵＬ／ＤＬ構成は、手順固有のＴＤＤ  ＵＬ／ＤＬ構成であると、あるＷＴＲＵ、例えるなら、動的ＴＤＤ再構成をサポートするものに対して考えられ得る。
【０１９０】
異なるＷＴＲＵは、異なるＷＴＲＵ／手順固有のＴＤＤ  ＵＬ／ＤＬ構成のルールにしたがう（または、それらのルールを使用する、もしくは適用する）ことを、１または複数の手順に対して行うことが可能である。
【０１９１】
ＷＴＲＵは、適用可能なＤＬ物理制御チャネル（例えば、ＰＤＣＣＨおよび／またはＥＰＤＣＣＨ）のブラインド復号することを遂行すること（例えば、そのチャネルを監視すること、および／または、復号することを試行すること）を、サービングセルで、サブフレームで行うことが可能であり、それらのサブフレームは、ＤＬとしてＷＴＲＵ固有のＴＤＤ  ＵＬ／ＤＬ構成で指示され得るものであり、その構成は、それによってＷＴＲＵが構成され得るものである。ＷＴＲＵは、ＤＣＩに対するブラインド復号することを遂行すること（例えば、それらのＤＣＩを監視すること、および／または、復号することを試行すること）を行い得る、または行うのみであり得、それらのＤＣＩは、ＤＬ送信に関係付けられ、例えば、ＤＬ  ＰＤＳＣＨ割り当て、非周期的なＣＳＩ要求、ＤＬ  ＳＰＳアクティブ化等々に対するものである。ＷＴＲＵは、一部の手順のルールを、セル固有のＴＤＤ  ＵＬ／ＤＬ構成、および／または、１もしくは複数のＷＴＲＵ／手順固有のＴＤＤ  ＵＬ／ＤＬ構成に応じて決定することが可能である。例えば、セル固有の、および、少なくとも１つのＷＴＲＵ／手順固有のＴＤＤ  ＵＬ／ＤＬ構成を伴うＷＴＲＵは、より少ないＵＬサブフレームを有する構成によるＴＤＤ  ＵＬ／ＤＬ構成のＰＤＳＣＨ  ＨＡＲＱタイミングにしたがう（または、そのタイミングを使用する）ことが可能である。
【０１９２】
ＷＴＲＵは、１または複数のＷＴＲＵ／手順固有のＴＤＤ  ＵＬ／ＤＬ構成を、受信および／または決定することが可能である。そのような構成は、参照ＴＤＤ  ＵＬ／ＤＬ構成として、１または複数の特定の手順に対して、例えば、一部またはすべてのＵＬに関係付けられた手順に対して、一部またはすべてのＤＬに関係付けられた手順に対して、サブフレームのＵＬ／ＤＬ方向の決定に対して、一部またはすべての測定手順に対して等々で使用され得る。
【０１９３】
ＷＴＲＵは、正規のサブフレームを特殊サブフレームとして、またはその逆に解釈することを、以下の機構の少なくとも１つに基づいて行うことが可能である。ＷＴＲＵは、特殊サブフレームの状態を（例えば、無線フレームの第２の半分に対して、例えるならサブフレーム＃６に対して）通常のＤＬサブフレームに（および、その逆に）変化させる（または、トグルする）ことが可能である。ＷＴＲＵは、競合するサブフレーム（Ｘ）を特殊サブフレームとして扱うことを、それが、サブフレーム（Ｘ）をＤＬサブフレームとして決定し、それが、サブフレーム（Ｘ＋１）をＵＬサブフレームとして決定する場合に行うことが可能である。ＷＴＲＵは、ＵＬサブフレームとしてセル固有の構成によって指示されるサブフレームが、通常のＤＬサブフレームに（例えば、無線フレームの第２の半分のサブフレーム、例えるならサブフレーム＃７、＃８、および／または＃９に対して）（および、その逆に）変化させられ得るということを考えることが可能である。
【０１９４】
ＷＴＲＵは、情報を受信することを、サブフレームのＯＦＤＭシンボルの一部またはすべてで、場合によっては、以下の手順の１つまたは組み合わせを使用して行うことが可能である。ＷＴＲＵは、ＤＬサブフレームとして、セル固有のＴＤＤ  ＵＬ／ＤＬ構成、または、ＷＴＲＵ固有のＴＤＤ  ＵＬ／ＤＬ構成のいずれかで指示されるサブフレームを、特殊サブフレームとして扱うことが可能である。この事例ではＷＴＲＵは、情報を、サブフレームのＯＦＤＭシンボルのサブセットのみで受信することが可能である。
【０１９５】
ＷＴＲＵは、正規のＤＬサブフレームを、修正されたサブフレームとして扱うことが可能であり、その修正されたサブフレームは、正規のＤＬ、ＵＬ、または特殊サブフレームとは異なり得るものである。例として、このサブフレームでのＤＬ  ＯＦＤＭシンボルの数は、正規のＤＬサブフレームのもの未満であり得、かつ／または、サブフレームは、２つの部分からなり得、その場合、サブフレームの第１の部分、例えば、サブフレームの始まりでのある数の連続的なＯＦＤＭシンボルは、ＤＬ  ＯＦＤＭシンボルとして（特殊サブフレームでのＤｗＰＴＳと同様に）考えられ得るものであり、かつ／もしくは、サブフレームの第２の部分、例えば、サブフレームの終わりでのある数の連続的なＯＦＤＭシンボルは、ＷＴＲＵにより使用され得ないものであり、ガード期間等々として扱われ得る。
【０１９６】
異なる修正されたサブフレームの他の例は、以下のものを含み得るが、それらに制限され得ない。ＣＲＳが、ＰＢＣＨで検出されるアンテナポートの数に無関係に送信され得ないサブフレーム、例えば、ＣＲＳのないサブフレーム、例えるなら、あるキャリア、例えるならＬＴＥ新しいキャリアタイプ（ＮＣＴ：new carrier type）の一部の動作モードでサポートされ得るもの。ＣＲＳオーバーヘッドが、何らかの方途で、通常のサブフレームと比較される際に低減され得るサブフレーム、例えば、ＣＲＳが最小化されたサブフレーム、例えるなら、あるキャリア、例えるならＮＣＴの一部の動作モードでサポートされ得るもの。サブフレームの部分が通常のサブフレームとして定義され得るものであり、他の部分がＮＣＴサブフレームとして定義され得るサブフレーム、例えば、通常およびＮＣＴサブフレームの混合物。
【０１９７】
ＷＴＲＵは、異なるサブフレームタイプを使用することを、異なるサブフレームに対して無線フレームで、ＤＬ受信および／またはＵＬ送信に対して行うことが可能である。以下では、修正されたサブフレームの定義および動作が説明される。
【０１９８】
ＷＴＲＵは、修正されたサブフレームのフォーマットを、以下の技法の１つまたは組み合わせを使用することにより決定することが可能である。ＷＴＲＵは、特殊サブフレームに対して構成されるＧＰの長さを使用することが可能であり、その長さは、現在のセルのＴＤＤ−ｃｏｎｆｉｇで、修正されたサブフレームのＧＰ長さとしてシグナリングされ得る。ＷＴＲＵは、修正されたサブフレームの構成を、ｅＮＢにより指定されるＤｗＰＴＳまたはＧＰの長さとともに使用することが可能である。ＷＴＲＵは、決定論的な、またはあらかじめ構成された構成を、修正されたサブフレームに対して使用することが可能である。
【０１９９】
ＷＴＲＵが、特殊サブフレームに対して構成されるＧＰの長さを使用し、その長さが、現在のセルのＴＤＤ−ｃｏｎｆｉｇで、修正されたサブフレームのＧＰ長さとしてシグナリングされ得るならば、ＷＴＲＵは、ＤｗＰＴＳの長さを、対応する特殊サブフレーム構成のＤｗＰＴＳおよびＵｐＰＴＳの和として決定することが可能である。例えば、ＳＩＢ１のＴＤＤ−ｃｏｎｆｉｇで告知される、通常のＣＰを伴う特殊サブフレームｃｏｎｆｉｇ＃４に対して、ＷＴＲＵは、修正されたサブフレームが、１３個のＯＦＤＭシンボルをＤｗＰＴＳとして、および１つのＯＦＤＭシンボルをＧＰとして有するということを理解することが可能である。
【０２００】
ＷＴＲＵは、ＤＭ−ＲＳのパターンを、修正されたサブフレームに対して決定することが可能であり、そのパターンは、ＴＭ８、ＴＭ９、またはＥＰＤＣＣＨに対して、もしあれば、以下の技法の１つまたは組み合わせを使用することにより使用され得るものである。ＷＴＲＵは、特殊サブフレームに対して構成されるＤＭ−ＲＳのパターンを使用することが可能であり、そのパターンは、現在のセルのＴＤＤ−ｃｏｎｆｉｇで、修正されたサブフレームのＤＭ−ＲＳのパターンとしてシグナリングされ得るものである。ＷＴＲＵは、固定されたＤＭ−ＲＳパターンを、修正されたサブフレームに対して使用することが可能であり、それらのサブフレームは、しきい値以下のＧＰ長さを有し得るものである。例えば、通常のＣＰを伴う特殊サブフレーム構成３、４、および８に対するＤＭ−ＲＳパターンが、通常のＣＰを伴う修正されたサブフレームで使用されることが、修正されたサブフレームのＧＰ長さ≦３つのＯＦＤＭシンボルである場合にあり得る。
【０２０１】
ＷＴＲＵは、特殊サブフレームに対して構成されるＤＭ−ＲＳの同じパターンを使用することが可能であり、そのパターンは、最も短いＵｐＰＴＳをすべての特殊サブフレーム構成の中で有するものであり、それらのすべての特殊サブフレーム構成は、それらに対して、ＧＰの長さが、修正されたサブフレームのそれと等しくあり得るものである。
【０２０２】
ＷＴＲＵは、ｅＮＢによりシグナリングされるＤＭ−ＲＳパターンを使用することが可能である。パターンは、特殊サブフレーム構成の１つで使用されるパターンに対応し得る。
【０２０３】
ＷＴＲＵは、実効的なＰＲＢの数を決定することが可能であり、その数は、修正されたサブフレームでの割り当てられたＰＲＢの数以下であり得る。修正されたサブフレームでの第１のＨＡＲＱ受信の際に、ＷＴＲＵは、少なくとも、実効的なＰＲＢの数、およびトランスポートブロックサイズ（ＴＢＳ）インデックスを使用して、ＰＤＳＣＨのＴＢＳを決定することが可能である。ＷＴＲＵは、以下のステップの少なくとも１つまたは組み合わせを、任意の順序で遂行して、実効的なＰＲＢの数を決定することが可能である。ＷＴＲＵは、ＰＲＢの実効的な数を、特殊サブフレームであるかのように決定することが可能である。ＷＴＲＵは、ＰＲＢの実効的な数を決定することを、乗算因子（例えば、通常のＣＰでは、ＤｗＰＴＳシンボルの＃／１４、通常のＣＰでは、ＤｗＰＴＳシンボルの＃／１６）を、ＰＲＢの割り当てられた数に適用することにより行うことが可能である。
【０２０４】
ＷＴＲＵは、ＰＲＢの実効的な数を決定することを、与えられたＧＰ長さに対して定義された乗算因子を、ＰＲＢの割り当てられた数に適用することにより行うことが可能である。マッピング表が、異なるＧＰに対して、ＷＴＲＵが因子を決定するために求められる場合がある。
【０２０５】
ＷＴＲＵが、ＰＲＢの実効的な数を、特殊サブフレームであるかのように決定することが可能である場合、ＷＴＲＵは、どの特殊サブフレーム構成かを決定することを、以下の技法の１つまたは組み合わせを使用することにより行うことが可能である。使用される特殊サブフレーム構成は、現在のセルのＴＤＤ−ｃｏｎｆｉｇでシグナリングされる特殊サブフレーム構成と同じであり得る。使用される特殊サブフレーム構成は、最も短いＵｐＰＴＳをすべての特殊サブフレーム構成の中で有し得る、特殊サブフレーム構成の１つであり得、それらのすべての特殊サブフレーム構成は、それらに対して、ＧＰの長さが、修正されたサブフレームのそれと等しくあり得るものである。
【０２０６】
ＷＴＲＵは、サブフレームタイプの指示を、１または複数のサブフレームに対して受信することを、以下の手順および／または技法のうちの１つまたは組み合わせを使用して行うことが可能である。ＷＴＲＵは、サブフレームタイプの指示を受信することが可能であり、その指示は、ＷＴＲＵの現在の構成および／または動作想定を、破棄する場合があり、または破棄しない場合がある。例としてＷＴＲＵは、サブフレームを特殊サブフレームとして扱うように通知され得るものであり、その場合、そのＷＴＲＵによりしたがわれる（または、使用される）ことになるＴＤＤ  ＵＬ／ＤＬ構成では、そのサブフレームは、正規のサブフレーム、例えるなら正規のＤＬサブフレームとして、特色付けられ得る、または識別され得る。
【０２０７】
ＷＴＲＵは、サブフレームタイプ指示を、ＵＬおよび／またはＤＬグラントの部分として受信することが可能である。例としてＷＴＲＵは、指示をグラントで受信することが可能であり、その指示は、指示されるサブフレームが特殊サブフレームとして扱われるべきか否かを指示するものである。
【０２０８】
ＷＴＲＵは、サブフレームタイプの指示を受信することが可能であり、その指示は、サブフレームの第１の部分、例えば、サブフレームの始まりでのある数の連続的なＯＦＤＭシンボルが、ＤＬとして考えられ得るものであり、かつ／または、サブフレームの第２の部分、例えば、サブフレームの終わりでのある数の連続的なＯＦＤＭシンボルが、ＵＬ  ＯＦＤＭシンボルとして考えられ得るということを指示するものである。ある数の連続的なＯＦＤＭシンボルが、前に述べられた第１の部分と第２の部分との間に存在し得るものであり、それらのＯＦＤＭシンボルは、ガード時間に割り振られ、潜在的には、ＲＦ交換、伝搬遅延等々に対して使用されるためのものである。ガードＯＦＤＭシンボルの数は、差として算出され得るものであり、その差は、サブフレームでのＯＦＤＭシンボルの総数から、先に説明されたような第１の部分および第２の部分でのＯＦＤＭシンボルの総和を引いた間のものである。
【０２０９】
ＷＴＲＵは、１または複数のパラメータを、修正されたサブフレームのフォーマットに対して受信することを、シグナリング手段、例えるなら本明細書で説明されるものにより（例えば、ＲＲＣブロードキャスト、ＲＲＣ専用化されたシグナリング、または、物理層シグナリングによって、例えるなら、ＰＤＣＣＨまたはＥＰＤＣＣＨによって）行うことが可能である。
【０２１０】
修正されたサブフレームに対してシグナリングされ得るパラメータは、以下のパラメータの１つまたは組み合わせの、値、指示、および／またはインデックスを含み得るものであり、以下のパラメータとは、ＧＰ長さ、ＤｗＰＴＳ長さ、ＤＭ−ＲＳパターン、および、ＰＲＢの実効的な数を決定するための乗算因子である。
【０２１１】
修正されたサブフレームに対して指示され得るパラメータ値（例えば、ＧＰの長さ、またはＤＭ−ＲＳパターン）は、値のサブセットに制約され得るものであり、その値のサブセットは、同じパラメータに対して特殊サブフレーム構成で定義され得るものである。
【０２１２】
ＷＴＲＵは、１または複数のパラメータを、修正されたサブフレームのフォーマットに対して、ＤＬグラントとともに受信することが可能であり、そのＤＬグラントは、現在のサブフレームを修正されたサブフレームとして指示するものであり、その場合ＤＬグラントは、ＰＤＣＣＨまたはＥＰＤＣＣＨによって提供され得る。
【０２１３】
ｅＮＢは、例えば動的に、および／または明示的に、ＷＴＲＵに、現在のサブフレームが特殊サブフレームまたは修正されたサブフレームであるということをシグナリングすることを、以下の技法の１つまたは組み合わせを使用することにより行うことが可能である。信号は、ＤＬグラントで搬送され得る。信号は、サブフレームが、修正されたサブフレーム、特殊サブフレーム、または通常のＤＬサブフレームであるかどうかを指示することが可能である。信号は、修正されたサブフレームの１または複数のフォーマットパラメータを搬送することが可能である。信号は、特殊サブフレーム構成を、特殊サブフレームがスケジューリングされる場合に搬送することが可能である。
【０２１４】
ｅＮＢは、サブフレームタイプを、修正されたサブフレーム、または特殊サブフレームとして、競合するサブフレームでシグナリングし得る、またはシグナリングするのみであり得るものであり、それらの競合するサブフレームは、それらの次のサブフレームが、セル固有のＴＤＤ  ＵＬ／ＤＬ構成ではＵＬであり得るものである。ＷＴＲＵは、暗黙に、および／または自律的に、現在のサブフレームを特殊サブフレームまたは修正されたサブフレームとして決定することを、以下の技法の１つまたは組み合わせを使用することにより行うことが可能である。次のサブフレームが、セル固有の構成ではＵＬサブフレームであり得、現在のサブフレームが、競合するサブフレーム（例えば、セル固有の構成ではＵＬまたは特殊サブフレーム、および、ＷＴＲＵ固有の構成ではフレキシブルまたはＤＬ）であり得るならば、ＷＴＲＵは、現在のサブフレームを、修正されたサブフレーム、または特殊サブフレームとして決定することが可能である。
【０２１５】
現在のサブフレームが、セル固有の構成ではＳＲＳサブフレームであり得、現在のサブフレームが、ＷＴＲＵ固有の構成では競合するサブフレームであり得る（例えば、セル固有の構成ではＵＬまたは特殊サブフレーム、および、ＷＴＲＵ固有の構成ではフレキシブルまたはＤＬ）ならば、ＷＴＲＵは、現在のサブフレームを、特殊サブフレームとして決定することが可能である。
【０２１６】
ＷＴＲＵは、ある説明される技法を適用し得る、または適用するのみであり得るものであり、それらの技法は、例えば暗黙に、および／または自律的に、制御信号（例えば、ＥＰＤＣＣＨ）を搬送するＲＢのフォーマットおよび／またはＤｗＰＴＳ長さを決定するためのものであり、一方で、ＰＤＳＣＨを搬送するＲＢのフォーマットおよび／またはＤｗＰＴＳ長さは、明示的に、例えばＥＰＤＣＣＨにより指示されるＤＬグラントにより指示され得る。修正されたサブフレームのフォーマットは、すべてのサブフレームに対して同じである場合があり、それらのすべてのサブフレームは、明示的に、または暗黙に、ＷＴＲＵにより、修正されたサブフレームとして決定されるものである。修正されたサブフレームのフォーマットは、すべてのサブフレームの中で異なる場合があり、それらのすべてのサブフレームは、明示的に、または暗黙に、ＷＴＲＵにより、修正されたサブフレームとして決定されるものである。例えばＧＰの長さは、サブフレーム数、および／または、ＳＦＮ、ｅＮＢにより用いられるＸ２による干渉軽減技法、および／または、個別のサブフレームの可能とされるｅＮＢ送信電力の関数であり得る。隣接セルおよび／またはクラスタが、次のサブフレームをＵＬとして使用する公算が、より大きくあり得る（または、より小さくあり得る）ならば、ｅＮＢは、ある＃のサブフレームを、より長い（または、より短い）ＧＰによって構成することが可能である。
【０２１７】
ＷＴＲＵが、暗黙に、または明示的に、現在の競合するサブフレームを、修正されたサブフレームまたは特殊サブフレームとして決定することが可能であるならば、および、ＣＲＳ送信が現在のサブフレームで存在し得るならば、ＷＴＲＵは、ＣＲＳを、無線リンク監視（ＲＬＭ）、または、無線リソース管理（ＲＲＭ）に関係付けられた測定のために使用し得ない。
【０２１８】
ＷＴＲＵは、ＵＬ方向で、サブフレームで送信することが可能であり、そのサブフレームは、ＤＬサブフレームとして考えられるということが、１または複数のＷＴＲＵに対して、またはそれらのＷＴＲＵにより、場合によっては、以下の手順の１つまたは組み合わせを使用してあり得る。ＷＴＲＵは、サブフレームで送信することが可能であり、そのサブフレームは、そのＷＴＲＵにより、潜在的なＵＬ送信サブフレームとして考えられ得る。そのような潜在的なＵＬ送信サブフレームは、ＷＴＲＵには、セル固有の、および／またはＷＴＲＵ固有のＴＤＤ  ＵＬ−ＤＬ構成の部分として指示され得る。ＷＴＲＵは、サブフレームで送信することが可能であり、そのサブフレームは、マルチメディアブロードキャストマルチキャストサービス単一周波数ネットワーク（ＭＢＳＦＮ：Multimedia Broadcast multicast service Single Frequency Network）サブフレームとして、ｅＮＢにより、あるいは、１または複数のＷＴＲＵに対して、またはそれらのＷＴＲＵにより考えられ得るものである。ＷＴＲＵは、サブフレームで送信することを、暗黙に、または明示的に、ＵＬ送信を遂行することを求められ得る場合に行うことが可能である。例えばＷＴＲＵは、ＰＵＣＣＨを提供する必要がある場合があり、その理由でそれは、ＵＬ送信を特定のサブフレームで起動する場合がある。別の例としてＷＴＲＵは、明示的な情報を受信することが可能であり、その情報は、どのサブフレームをＵＬ送信に対して使用すべきかに関するものである。ＷＴＲＵは、サブフレームで送信することが可能ではなく、そのことは、それが、そのサブフレームがＭＢＳＦＮとして構成され得る、および／または、サブフレームがＤＬ情報を１または複数のＷＴＲＵに搬送することを、例えば、マルチキャストデータが、ＷＴＲＵのすべてまたはサブセットに、ＭＢＳＦＮサブフレームによって送信され得るときに行うことが可能であるということを決定する場合のことである。
【０２１９】
ＷＴＲＵは、サブフレームの一部またはすべてのＯＦＤＭシンボルで送信することを、以下の手順の１つまたは組み合わせを使用して行うことが可能である。ＷＴＲＵは、１または複数の近接のＯＦＤＭシンボルを、送信するときにスキップすることが可能である。スキップされるＯＦＤＭシンボルは、サブフレームの始まりで、および／または、終わりであり得る。ＷＴＲＵは、ある数のＯＦＤＭシンボルをＵＬ送信でスキップするように構成され得る。スキップされるシンボルの構成される数は、そのＷＴＲＵの一部またはすべてのＵＬサブフレームに対して、同じである、または異なる場合がある。ＷＴＲＵは暗黙に、ＯＦＤＭシンボルの数を決定して、ＵＬ送信でスキップすることが可能である。例としてＷＴＲＵは、ある数の近接のＯＦＤＭシンボルを、サブフレームのＵＬ送信の始まりでスキップすることが可能であり、そのことは例えば、サブフレームが、ＭＢＳＦＮサブフレームとして構成されること、または、ＭＢＳＦＮサブフレームとして考えられることが、１つまたは若干のＷＴＲＵに対して行われ得る場合のことである。ＯＦＤＭシンボルのスキップされる数は、１または複数の要因の関数であり得るものであり、それらの要因は、例えるなら、ＭＢＳＦＮ制御チャネルサイズ、ＲＦ交換時間、伝搬遅延、セルサイズ、セル固有のＵＬ−ＤＬ構成等々であるが、それらに制限されない。
【０２２０】
以下は、例に関係するものであり、その例ではＷＴＲＵは、１または複数のＷＴＲＵ固有のＴＤＤ  ＵＬ／ＤＬ構成にしたがう（または、それらの構成を使用する）ことを、ある手順に対して行うことが可能であり、サブフレームで送信することが可能であり、それらのサブフレームは、セル固有のＴＤＤ  ＵＬ／ＤＬ構成によればＤＬであり得るものである。提案される機構および技法の例の実施形態は、以下のようなものであり、それらの機構および技法の部分は、全体的に、または部分的に、および任意の順序で遂行され得る。ＷＴＲＵは、ＴＤＤ  ＵＬ／ＤＬ構成ｃｏｎｆｉｇ＿ｃｅｌｌをＳＩＢ１によって受信することが可能である。一部のＷＴＲＵ、例えば動的ＴＤＤ  ＷＴＲＵは、ＷＴＲＵ／手順固有のＴＤＤ  ＵＬ／ＤＬ構成、例えばｃｏｎｆｉｇ＿ｗｔｒｕ＿１を受信することが可能であり、そのｃｏｎｆｉｇ＿ｗｔｒｕ＿１は、ｃｏｎｆｉｇ＿ｃｅｌｌとは異なり得るものである。例えば、ｃｏｎｆｉｇ＿ｃｅｌｌおよびｃｏｎｆｉｇ＿ｗｔｒｕ＿１対は、ｃｏｎｆｉｇ＿ｗｔｒｕ＿１により指示されるＤＬサブフレームが、ｃｏｎｆｉｇ＿ｃｅｌｌにより指示されるＤＬサブフレームのサブセットであり得るという方途で選択され得る。競合するサブフレームは、ＤＬとｃｏｎｆｉｇ＿ｃｅｌｌで、およびＵＬとｃｏｎｆｉｇ＿ｗｔｒｕ＿１で特色付けられ得るサブフレームからなり得る。一部のＷＴＲＵ、例えばレガシーＷＴＲＵは、ＭＢＳＦＮサブフレームとしてのサブフレーム３、４、７、８、および／または９のうちの１または複数によって構成され得る。一部のＷＴＲＵ、例えば動的ＴＤＤ  ＷＴＲＵは、ｃｏｎｆｉｇ＿ｗｔｒｕ＿１タイミングおよび／または機会ルールを、ＵＬスケジューリングおよび／またはＰＵＳＣＨ  ＨＡＲＱタイミングおよび／またはＰＤＳＣＨ  ＨＡＲＱタイミングに対して使用することが可能である。一部のＷＴＲＵ、例えば動的ＴＤＤ  ＷＴＲＵは、第１のＸ個のＯＦＤＭシンボル（例えば、Ｘは４個のＯＦＤＭシンボルに対応し得る）を、それらのＵＬサブフレームでスキップすることを、それらのサブフレームが、他のＷＴＲＵ、例えばレガシーＷＴＲＵに対しての告知されるＭＢＳＦＮサブフレームに対応する場合に行うように構成され得る。一部のＷＴＲＵ、例えば動的ＴＤＤ  ＷＴＲＵは、ＵＬサブフレーム（例えば、ｃｏｎｆｉｇ＿ｗｔｒｕ＿１による）で送信することは可能でなく、それらのサブフレームは、ＤＬとしてセル固有のＴＤＤ  ＵＬ−ＤＬ構成で指示され得るものであり、ＭＢＳＦＮサブフレームとして、ＷＴＲＵ、例えばレガシーＷＴＲＵのすべてまたはサブセットに対して告知され得ないものである。一部のＷＴＲＵ、例えばレガシーＷＴＲＵにより、ＵＬサブフレームとして考えられ得る、または常に考えられ得る、あるサブフレームは、ＤＬサブフレームとして、一部の他のＷＴＲＵ、例えば動的ＴＤＤ  ＷＴＲＵにより考えられ得る、または常に考えられ得る。
【０２２１】
ＵＬ  ＨＡＲＱプロセスは、連続的なＰＵＳＣＨ送信、および、それらの対応するＰＵＳＣＨ  ＨＡＲＱ受信の、ＷＴＲＵによるもののシリーズからなり得るものであり、それらの送信および受信は、いくつものフレームに対して、ｅＮＢがＰＵＳＣＨの成功裏の受信を確認し得るまで持続し得るものである。これらのＰＵＳＣＨ送信とＰＵＳＣＨ  ＨＡＲＱ受信との間のタイミングは、初期ＵＬグラントおよびＴＤＤ  ＵＬ／ＤＬ構成のサブフレームの関数であり得る。進行中のＵＬ  ＨＡＲＱプロセスを考えると、現在のフレームに対するＴＤＤ  ＵＬ／ＤＬ構成が、次の利用可能なフレームに対してと同じではない場合があるとき、進行中のＵＬ  ＨＡＲＱプロセスのタイミングに、その、次の利用可能なフレームで対処するための手段が必要とされ得る。同様の問題が、ＤＬ  ＨＡＲＱプロセスに対して出現することが、ＷＴＲＵがＰＤＳＣＨを１つのフレームで受信し、対応するＰＤＳＣＨ  ＨＡＲＱが送信され得る、次の利用可能なフレームに対するＴＤＤ  ＵＬ／ＤＬ構成が、ＰＤＳＣＨが受信され得るフレームのそれとは異なり得るときにあり得る。
【０２２２】
解決策として、必要とされ得る、意図され得る、または使用され得る適応時間スケールに依存して、異なる手段（例えば、システム情報シグナリング、ＲＲＣシグナリング、ＭＡＣ制御要素シグナリング、物理層シグナリング等々）が、ＴＤＤ  ＵＬ／ＤＬ再構成に対して考えられ得る。シグナリング手段に関わらず、１つのＴＤＤ  ＵＬ／ＤＬ構成の、別のＴＤＤ  ＵＬ／ＤＬ構成への遷移が、無線フレーム境界で、例えば同期的にＷＴＲＵおよびｅＮＢで出現し得る。
【０２２３】
本出願で提供されるいずれの解決策および／または機構も、ＷＴＲＵおよび／またはｅＮＢに、いかなる随意の組み合わせおよび／または順序でも適用され得る。
【０２２４】
ＷＴＲＵの視点からは、ＵＬ  ＨＡＲＱプロセスは、初期ＰＵＳＣＨグラントの受信、ＰＵＳＣＨの送信、ＰＵＳＣＨ  ＨＡＲＱの、ＰＨＩＣＨによるＤＬでの受信、再送信ＵＬグラントの受信、および、それらの関係付けられたタイミングの少なくとも１つからなり得る。ＵＬ  ＨＡＲＱプロセスは、１つまたはいくつもの連続的な無線フレームに対して持続し得る。ＷＴＲＵのＴＤＤ  ＵＬ／ＤＬ構成、例えるなら、セル固有の、および／またはＷＴＲＵ固有のＵＬ／ＤＬ構成の変化の際に、ＷＴＲＵは、１つまたは若干の進行中のＵＬ  ＨＡＲＱプロセスを、１または複数の無線フレーム、例えるなら、以前のＴＤＤ  ＵＬ／ＤＬ構成の最後の、および／または最後から２番目の無線フレームで、終結させること、または、それらのプロセスの終結を想定することが可能である。
【０２２５】
ＷＴＲＵは、以前のＴＤＤ  ＵＬ／ＤＬ構成のＵＬ  ＨＡＲＱプロセスに関係付けられた１つまたは若干のデータバッファを一掃することを、新しいＴＤＤ  ＵＬ／ＤＬ構成の第１の無線フレームを開始する前に行うことが可能である。ＷＴＲＵは、１つまたは若干のＵＬ  ＨＡＲＱプロセスを、１つまたは若干の連続的な無線フレームに対して一時停止することが可能である。
【０２２６】
例えば無線フレーム（ｎ＋１）から開始する、１つまたは若干のＵＬ  ＨＡＲＱプロセスの一時停止に続いて、ＵＬ  ＨＡＲＱプロセスが、例えばフレーム（ｎ＋ｋ）で、ただしｋは２以上の任意の整数値であり得るとして再開され得ることになると、ＷＴＲＵは、ＵＬ  ＨＡＲＱタイミングの、無線フレームｎからの継続を想定することが可能であり、その継続は、すべての一時停止されたフレームを無視することを、例えば、無線フレーム（ｎ＋ｋ）でのＵＬ  ＨＡＲＱプロセスタイミングが、無線フレーム（ｎ＋１）においてのものに関してと正確な同じタイミングによって送信されることになるかのように行うものである。
【０２２７】
あるいは、例えば無線フレーム（ｎ＋１）から開始する、ＵＬ  ＨＡＲＱプロセスの一時停止に続いて、ＵＬ  ＨＡＲＱプロセスが、例えばフレーム（ｎ＋ｋ）で、ただしｋは２以上の任意の整数値であり得るとして再開され得ることになると、ＷＴＲＵは、ＵＬ  ＨＡＲＱタイミングの、無線フレームｎからの継続を想定することが可能であり、その継続は、一時停止期間の間のそのＵＬ  ＨＡＲＱプロセスに対応するすべての送信および受信機会を計数することを、例えば、すべてのそれらの一時停止された無線フレームが、ＰＵＳＣＨ再送信、およびＰＵＳＣＨ  ＨＡＲＱ（例えば、ＮＡＣＫ）受信を内包していたかのように行うものである。
【０２２８】
１つまたは若干のＵＬ  ＨＡＲＱプロセスが、１または複数の無線フレームに対して一時停止されることが、１つのＴＤＤ  ＵＬ／ＤＬ構成の、別のＴＤＤ  ＵＬ／ＤＬ構成への遷移の間に、場合によっては、先に説明されたＵＬ  ＨＡＲＱプロセス一時停止機構の１つまたは組み合わせを使用して行われ得る。例えば、ＴＤＤ  ＵＬ／ＤＬ構成の変化要求の受信の際に、ＷＴＲＵは、ＵＬ  ＨＡＲＱプロセスを、１または複数の無線フレームに対して、例えば（ｋ−１）個の無線フレームに対して一時停止することが可能であり、ただしｋは２以上の任意の整数値であり得る。例えば、以前のＴＤＤ  ＵＬ／ＤＬ構成に対応する最後の無線フレームが無線フレームｎであるならば、新しいＴＤＤ  ＵＬ／ＤＬ構成に対応する次の（例えば、第１の）利用可能な無線フレームは、無線フレーム（ｎ＋ｋ）であり得る。
【０２２９】
進行中のＵＬ  ＨＡＲＱプロセスの、以前のＴＤＤ  ＵＬ／ＤＬ構成の最後の無線フレームから、新しいＴＤＤ  ＵＬ／ＤＬ構成の次の（例えば、第１の）利用可能な無線フレームへの、１つまたは若干のＵＬ  ＨＡＲＱプロセスを一時停止することを伴う遷移手順は、以前のＴＤＤ  ＵＬ／ＤＬ構成、例えば構成Ｘ、および、新しいＴＤＤ  ＵＬ／ＤＬ構成、例えば構成Ｙからなる構成の対に依存し得る。ＴＤＤ  ＵＬ／ＤＬ構成の対（Ｘ，Ｙ）は、遷移対と呼ばれ得る。本明細書で説明されるように、一部の解決策は、遷移対の異なるセットに対して提供され得る。
【０２３０】
ＴＤＤ  ＵＬ／ＤＬ構成遷移対（Ｘ，Ｙ）を考えると、ＰＵＳＣＨの、ＴＤＤ  ＵＬ／ＤＬ構成Ｘの最後の無線フレームのＵＬサブフレームｉでの、ＷＴＲＵによる送信の際に、その送信に対してＷＴＲＵは、その対応するＨＡＲＱを、次の無線フレームのサブフレームｊで、ＴＤＤ  ＵＬ／ＤＬ構成Ｘのタイミングによって受信することを予測し得たが、ＷＴＲＵは、以下の少なくとも１つまたは組み合わせを遂行することが可能である。ＷＴＲＵは、ＰＵＳＣＨ  ＨＡＲＱ、例えばＰＨＩＣＨを受信することを予測しない場合があり、および／または、対応するＰＵＳＣＨ  ＨＡＲＱプロセスを終結させることが可能である。ＷＴＲＵは、成功裏の送信をそのＨＡＲＱプロセスに対して想定することが可能である。
【０２３１】
ＷＴＲＵは、しかしながら依然として、対応するデータをバッファに、場合によっては将来送信のために維持し得る。例として、サブフレームｊが次のＴＤＤ  ＵＬ／ＤＬ構成ＹでＤＬサブフレームであり得ないならば、ＷＴＲＵは、対応するＨＡＲＱプロセスを終結させることが可能であり、ＡＣＫをそのプロセスに対して想定することが可能である。別の例として、サブフレームｉが次のＴＤＤ  ＵＬ／ＤＬ構成ＹでＵＬサブフレームであり得ないならば、ＷＴＲＵは、対応するＨＡＲＱプロセスを終結させることが可能であり、ＡＣＫをそのプロセスに対して想定することが可能である。
【０２３２】
サブフレームｊがＴＤＤ  ＵＬ／ＤＬ構成ＹでＤＬサブフレームであり得るならば、ＷＴＲＵは、対応するＰＵＳＣＨ  ＨＡＲＱフィードバックを、次の利用可能な無線フレーム、例えば、新しいＴＤＤ  ＵＬ／ＤＬ構成Ｙの第１の利用可能な無線フレームのＤＬサブフレームｊで受信することを予測することが可能である。ＰＨＩＣＨの、次のフレームのサブフレームｊでの受信に基づいて、ＷＴＲＵは、構成ＹのＨＡＲＱタイミングプロセスをＰＵＳＣＨの送信に対して、再送信の事例で使用することが可能である。
【０２３３】
新しいＵＬ／ＤＬ構成Ｙ  ＨＡＲＱタイミングプロセスに基づいて、対応するＰＨＩＣＨリソースが、以前のフレームからのＰＵＳＣＨ送信に対して、追随するフレームのサブフレームｊで存在し得ないならば、ＷＴＲＵは、以下のようなものである、ＵＬサブフレームの利用可能性に依存する、対応する手順にしたがう（または、それらの手順を使用する）ことが可能である。ＵＬ／ＤＬ構成Ｙへの変化に続いて、ＷＴＲＵは、ＨＡＲＱタイミングの目的で、以前の構成、例えばＵＬ／ＤＬ構成Ｘにしたがう（または、その構成を使用する）ことを、サブフレームｊでのＰＨＩＣＨ受信に基づくＰＵＳＣＨ送信のために行うことが可能である。ＷＴＲＵは、以前のＵＬ／ＤＬ構成にしたがう（または、その構成を使用する）ことを継続することを、１つのフレームまたは１つのフレームのみに対して、または、以前の構成からの何らかの進行中のＨＡＲＱプロセスが完了されてしまうということが可能であるまで行うことが可能である。ＷＴＲＵは、構成Ｙに基づくＰＨＩＣＨ受信タイミングにしたがう（または、そのタイミングを使用する）ことが可能であり、ＨＡＲＱフィードバックを次のＤＬサブフレームで予測することが可能であり、そのサブフレームは、それに対して、割り振られたＰＨＩＣＨリソースが、構成Ｙに基づいて存在し得るものである。ＷＴＲＵは、ＰＨＩＣＨの、次のフレームでの受信を伴わないＨＡＲＱプロセスを終結させることが可能である。
【０２３４】
例としてＷＴＲＵは、ＵＬ／ＤＬ構成の、現在のフレームｎでの構成０から、次のフレーム、フレームｎ＋１での構成１への変化によって指示され得る。フレームｎではＷＴＲＵは、以前のＵＬグラントまたはＰＨＩＣＨ受信に基づいて、ＰＵＳＣＨをサブフレーム４で送信することが可能である。構成０  ＨＡＲＱタイミングに基づいて、ＰＵＳＣＨ送信に対応するＰＨＩＣＨは、ＷＴＲＵにより、次のフレーム、ｎ＋１のサブフレーム０で受信され得る。新しい構成Ｙ  ＨＡＲＱタイミングにフレームｎ＋１で基づいて、ＰＨＩＣＨリソースはサブフレーム０に対して存在し得ないので、ＷＴＲＵは、ＰＨＩＣＨをＤＬサブフレーム１で予測することが可能であり、そのＤＬサブフレーム１は、ＰＨＩＣＨ割り振りをＨＡＲＱ−ＡＣＫフィードバックに対して有し得るものである。ＷＴＲＵは次いで、対応するＰＵＳＣＨを送信することを（例えば、ＰＨＩＣＨがＮＡＣＫを指示するならば）構成ＹのＨＡＲＱタイミングに基づいて行うことが可能である。
【０２３５】
サブフレームｉがＴＤＤ  ＵＬ／ＤＬ構成ＹでＵＬサブフレームであり得るならば、ＷＴＲＵは、対応するＰＵＳＣＨ  ＨＡＲＱフィードバックを、ＤＬサブフレームで、ＴＤＤ  ＵＬ／ＤＬ構成ＹのＰＵＳＣＨ  ＨＡＲＱプロセスのタイミングによって受信することを予測することが可能であり、そのタイミングは、ＵＬサブフレームｉでのＰＵＳＣＨ送信を含み得るものである。
【０２３６】
ＷＴＲＵが、対応するＰＵＳＣＨ  ＨＡＲＱフィードバック、例えばＰＨＩＣＨを受信することを、新しいＴＤＤ  ＵＬ／ＤＬ構成Ｙの第１の無線フレーム（例えば、次の利用可能な無線フレーム）のＤＬサブフレームで行うことが可能になると、ＷＴＲＵは、ＴＤＤ  ＵＬ／ＤＬ構成ＹのＰＵＳＣＨ  ＨＡＲＱプロセスタイミングにしたがう（または、そのタイミングを使用する）ことが可能であり、そのタイミングは、そのＤＬサブフレームで受信されるＰＵＳＣＨ  ＨＡＲＱフィードバックの受信を含み得るものである。
【０２３７】
第１の実施形態では、（Ｘ，Ｙ）のＴＤＤ  ＵＬ／ＤＬ構成対を考えるものであり、その場合ＷＴＲＵは、指示を受信して、ＴＤＤ  ＵＬ／ＤＬ構成ＸからＴＤＤ  ＵＬ／ＤＬ構成Ｙに交換することが可能である。ＰＵＳＣＨの、ＴＤＤ  ＵＬ／ＤＬ構成Ｘの最後の無線フレームのＵＬサブフレームｉでの、ＷＴＲＵによる送信の際に、その送信に対してＷＴＲＵは、その対応するＨＡＲＱを、次の無線フレームのサブフレームｊで、ＴＤＤ  ＵＬ／ＤＬ構成Ｘのタイミングによって受信することを予測し得たが、ＷＴＲＵは、以下の少なくとも１つまたは組み合わせを遂行することが可能である。
【０２３８】
表６ａは、ＴＤＤ  ＵＬ／ＤＬ構成遷移対（Ｘ，Ｙ）の例を例示するものであり、それらの対に対して、ＴＤＤ  ＵＬ／ＤＬ構成ＸのＵＬサブフレームは、ＴＤＤ  ＵＬ／ＤＬ構成ＹのＵＬサブフレームのサブセットである。ＴＤＤ  ＵＬ／ＤＬ構成ＸのＵＬサブフレームのセットが、構成ＹのＵＬサブフレームのサブセットであり得るならば（および／または、ＴＤＤ  ＵＬ／ＤＬ構成ＸのＤＬサブフレームのセットが、構成Ｙのそれらのスーパーセットであり得るならば）、例えば、表６ａでリスト化された１または複数の遷移対（Ｘ，Ｙ）によれば、ＷＴＲＵは、対応するＰＵＳＣＨ  ＨＡＲＱフィードバックを、ＤＬサブフレームで、ＴＤＤ  ＵＬ／ＤＬ構成ＹのＰＵＳＣＨ  ＨＡＲＱプロセスのタイミングによって受信することを予測することが可能であり、そのタイミングは、ＵＬサブフレームｉでのＰＵＳＣＨ送信を含み得るものである。
【０２３９】
表６ｂは、ＴＤＤ  ＵＬ／ＤＬ構成遷移対（Ｘ，Ｙ）の例を例示するものであり、それらの対に対して、ＴＤＤ  ＵＬ／ＤＬ構成ＹのＵＬサブフレームは、ＴＤＤ  ＵＬ／ＤＬ構成ＸのＵＬサブフレームのサブセットである。ＴＤＤ  ＵＬ／ＤＬ構成ＸのＵＬサブフレームのセットが、構成ＹのＵＬサブフレームのスーパーセットであり得るならば（および／または、ＴＤＤ  ＵＬ／ＤＬ構成ＸのＤＬサブフレームのセットが、構成Ｙのそれらのサブセットであり得るならば）、例えば、表６ｂでリスト化された１または複数の遷移対（Ｘ，Ｙ）によれば、ＷＴＲＵは、対応するＰＵＳＣＨ  ＨＡＲＱフィードバックを、次の利用可能な無線フレーム、例えば、新しいＴＤＤ  ＵＬ／ＤＬ構成Ｙの第１の利用可能な無線フレームのＤＬサブフレームｊで受信することを予測することが可能である。
【０２４０】
【表６】
0006043876.tif 000022
【０２４１】
【表７】
0006043876.tif 000023
【０２４２】
ＴＤＤ  ＵＬ／ＤＬ構成遷移対（Ｘ，Ｙ）を考えると、ＰＵＳＣＨ（再）送信トリガ（ＵＬ（再）送信グラント、および／または、ＰＵＳＣＨ  ＨＡＲＱ  ＮＡＣＫのいずれかによる）の、ＴＤＤ  ＵＬ／ＤＬ構成Ｘの最後の無線フレームのＤＬサブフレームｉでの、ＷＴＲＵによる受信の際に、その受信に対してＷＴＲＵは、対応するＰＵＳＣＨを、次の無線フレームのサブフレームｊで、ＴＤＤ  ＵＬ／ＤＬ構成Ｘのタイミングによって送信し得たが、ＷＴＲＵは、以下の少なくとも１つまたは組み合わせを遂行することが可能である。
【０２４３】
ＷＴＲＵは、ＰＵＳＣＨ（再）送信トリガを無視することが可能であり、かつ／または、対応するＰＵＳＣＨ  ＨＡＲＱプロセスを終結させることが可能である。ＷＴＲＵは、成功裏の送信をそのＨＡＲＱプロセスに対して想定することが可能である。ＷＴＲＵは、しかしながら依然として、対応するデータをバッファに、場合によっては将来送信のために維持し得る。例として、サブフレームｊが次のＴＤＤ  ＵＬ／ＤＬ構成ＹでＵＬサブフレームであり得ないならば、ＷＴＲＵは、ＰＵＳＣＨ（再）送信要求を無視することが可能であり、かつ／または、対応するＨＡＲＱプロセスを終結させることが可能であり、かつ／または、ＰＵＳＣＨの成功裏の送信を、そのＨＡＲＱプロセスの最後の送信に対して想定することが可能である。別の例として、サブフレームｉが次のＴＤＤ  ＵＬ／ＤＬ構成ＹでＤＬサブフレームであり得ないならば、ＷＴＲＵは、ＰＵＳＣＨ（再）送信要求を無視することが可能であり、かつ／または、対応するＨＡＲＱプロセスを終結させることが可能であり、かつ／または、ＰＵＳＣＨの成功裏の送信を、そのＨＡＲＱプロセスの最後の送信に対して想定することが可能である。
【０２４４】
サブフレームｉがＴＤＤ  ＵＬ／ＤＬ構成ＹでＤＬサブフレームであり得るならば、ＷＴＲＵは、ＰＵＳＣＨを、ＵＬサブフレームで、ＴＤＤ  ＵＬ／ＤＬ構成ＹのＰＵＳＣＨ  ＨＡＲＱプロセスのタイミングによって送信することが可能である。ＰＵＳＣＨ  ＨＡＲＱプロセスは、ＰＵＳＣＨ送信トリガを、ＴＤＤ  ＵＬ／ＤＬ構成ＹのＤＬサブフレームｉで搬送する可能性を含み得るものであり得る。
【０２４５】
サブフレームｊがＴＤＤ  ＵＬ／ＤＬ構成ＹでＵＬサブフレームであり得るならば、ＷＴＲＵは、対応するＰＵＳＣＨを、ＴＤＤ  ＵＬ／ＤＬ構成Ｙの第１の利用可能な無線フレームのＵＬサブフレームｊで、上記で説明されたように送信することが可能である。
【０２４６】
ＷＴＲＵが、対応するＰＵＳＣＨを、新しいＴＤＤ  ＵＬ／ＤＬ構成Ｙの第１の無線フレーム（例えば、次の利用可能な無線フレーム）のＵＬサブフレームで送信することが可能であると、ＷＴＲＵは、ＰＵＳＣＨ  ＨＡＲＱプロセスタイミングにしたがう（または、そのタイミングを使用する）ことが可能であり、そのタイミングは、ＰＵＳＣＨの、ＴＤＤ  ＵＬ／ＤＬ構成ＹのそのＵＬサブフレームでの送信に対応するものである。
【０２４７】
説明される解決策の実施形態として、（Ｘ，Ｙ）のＴＤＤ  ＵＬ／ＤＬ構成対を考えるものであり、その場合ＷＴＲＵは、指示を受信して、ＴＤＤ  ＵＬ／ＤＬ構成ＸからＴＤＤ  ＵＬ／ＤＬ構成Ｙに交換することが可能である。この事例では、ＰＵＳＣＨ（再）送信（ＵＬ（再）送信グラント、および／または、ＰＵＳＣＨ  ＨＡＲＱ  ＮＡＣＫのいずれかによる）の、ＴＤＤ  ＵＬ／ＤＬ構成Ｘの最後の無線フレームのＤＬサブフレームｉでの、ＷＴＲＵによる受信の際に、その受信に対してＷＴＲＵは、対応するＰＵＳＣＨを、次の無線フレームのサブフレームｊで、ＴＤＤ  ＵＬ／ＤＬ構成Ｘのタイミングによって送信し得たが、ＷＴＲＵは、以下の少なくとも１つまたは組み合わせを遂行することが可能である。
【０２４８】
ＴＤＤ  ＵＬ／ＤＬ構成ＸのＵＬサブフレームのセットが、構成Ｙのそれらのサブセットであり得るならば（および／または、ＴＤＤ  ＵＬ／ＤＬ構成ＸのＤＬサブフレームのセットが、構成Ｙのそれらのスーパーセットであり得るならば）、例えば、表６ａでリスト化された１または複数の遷移対（Ｘ，Ｙ）によれば、ＷＴＲＵは、対応するＰＵＳＣＨを、ＴＤＤ  ＵＬ／ＤＬ構成Ｙの第１の利用可能な無線フレームのＵＬサブフレームｊで、上記で説明されたように送信することが可能である。ＴＤＤ  ＵＬ／ＤＬ構成ＸのＵＬサブフレームのセットが、構成Ｙのそれらのスーパーセットであり得るならば（および／または、ＴＤＤ  ＵＬ／ＤＬ構成ＸのＤＬサブフレームのセットが、構成Ｙのそれらのサブセットであり得るならば）、例えば、表６ｂでリスト化された１または複数の遷移対（Ｘ，Ｙ）によれば、ＷＴＲＵは、ＰＵＳＣＨを、ＵＬサブフレームで、ＴＤＤ  ＵＬ／ＤＬ構成ＹのＰＵＳＣＨ  ＨＡＲＱプロセスのタイミングによって送信することが可能であり、そのタイミングは、ＤＬサブフレームｉでのＰＵＳＣＨ送信トリガを、上記で説明されたように含み得るものである。
【０２４９】
ＰＲＡＣＨリソース割り振りに関して、ＷＴＲＵは、プリアンブルをＰＲＡＣＨリソースで送信することが可能であり、そのＰＲＡＣＨリソースは、セルのセル固有のＰＲＡＣＨリソースでない場合があるものであり、そのことは例えば、ＷＴＲＵが、ＷＴＲＵ固有のＴＤＤ  ＵＬ／ＤＬ構成によって構成され得るものであり、その構成が、セル固有のＴＤＤ  ＵＬ／ＤＬ構成とは異なり得る場合のことである。セル固有のＰＲＡＣＨリソースは、システム情報で提供され得る（または、システム情報により提供されるパラメータに基づき得る）もの、および／または、レガシーＷＴＲＵを含み得る任意のＷＴＲＵにより使用され得るものであり得る。
【０２５０】
ＴＤＤ  ＵＬ／ＤＬ構成は、サービングセルごとに適用可能であり得る。同様にＰＲＡＣＨリソース割り振りは、サービングセルごとに適用可能であり得る。
【０２５１】
本明細書で説明される方法および手順は、ＷＴＲＵの構成のサービングセルに対して適用可能であり得、例えば、説明される方法および手順は、ＷＴＲＵの構成のＰＣｅｌｌ上の、および／またはＳＣｅｌｌ上の動作に対して適用可能であり得る。説明される方法および手順は、複数のサービングセルに対して、例えば、セルの特有のグループ、例えるならタイミングアドバンスグループ（ＴＡＧ：timing advance group）に属し得るサービングセルに、または、ＷＴＲＵの構成のすべてのセルに対して適用可能であり得る。ＴＡＧはサービングセルのグループを指し得るものであり、それらのサービングセルは、ＲＲＣにより構成され得るものであり、そのＲＲＣは、構成されたＵＬを伴うセルに対して、同じタイミング参照セル、および／または、同じタイミングアドバンス値を使用し得るものである。
【０２５２】
用語「ＷＴＲＵ固有のＤＬサブフレーム」は、無線フレームでのサブフレームを指し得るものであり、そのサブフレームは、セル固有のＴＤＤ  ＵＬ／ＤＬ構成によるＵＬサブフレームに対応し得るものであり、その構成は、あるセルに適用可能であり得るものである。サブフレームは、ＷＴＲＵに、ＤＬサブフレームとして、ＷＴＲＵ固有のＴＤＤ  ＵＬ／ＤＬ構成で、および／または、ＵＬ／ＤＬサブフレーム方向の指示で指示され得る。
【０２５３】
ＰＲＡＣＨリソースはセル固有のリソースであり得るものであり、その理由は、それらはパラメータから導出され得るものであり、それらのパラメータはシステム情報の部分であり得るものであり、その情報はブロードキャストされ得るものであるからというものである。リソースの割り振りおよびインデックス付けは、少なくとも部分的に、ＵＬ／ＤＬ  ＴＤＤ構成の関数であり得る。
【０２５４】
ＴＤＤによって、与えられたＰＲＡＣＨ構成に対して、以下のことの各々はＴＤＤ  ＵＬ／ＤＬ構成の関数であり得るものであり、以下のこととは、周波数多重化が、与えられたサブフレームに対して使用され得るか否か；周波数多重化が使用され得る場合の、与えられたサブフレームにあり得るＰＲＡＣＨリソースの数；および、ＰＲＡＣＨリソースが存し得る無線フレームでのＵＬサブフレームである。
【０２５５】
例えば、ＰＲＡＣＨ構成インデックス０が、ＳＩＢ２（最も低いＰＲＡＣＨ密度の１つを表し得る）でシグナリングされ得る場合に、以下の結果が得られ得るものであり、以下の結果とは、ＴＤＤ  ＵＬ／ＤＬ構成０、３、または６が使用され得るならば、単一のＰＲＡＣＨリソースが無線フレームごとにサブフレーム＃４に存在し得る；ＴＤＤ  ＵＬ／ＤＬ構成１または４が使用され得るならば、単一のＰＲＡＣＨリソースが無線フレームごとにサブフレーム＃３に存在し得る；ＴＤＤ  ＵＬ／ＤＬ構成２または５が使用され得るならば、単一のＰＲＡＣＨリソースが無線フレームごとにサブフレーム＃２に存在し得るということである。
【０２５６】
実施形態では、１または複数のＷＴＲＵ固有のＴＤＤ  ＵＬ／ＤＬ構成の、例えばｅＮＢによる、セルでの使用のための選択は、ＰＲＡＣＨリソース割り振りの関数であり得る。選択は、ＵＬ／ＤＬ  ＴＤＤ構成が、ＷＴＲＵのサブセット（例えば、動的ＴＤＤ  ＷＴＲＵ）に対して変化させられることが、ＰＲＡＣＨ割り振りを一定に、すべてのＷＴＲＵに対してセル内で維持しながら行われ得るというようなものであり得る。これは、可能とされるＴＤＤ  ＵＬ／ＤＬ構成をセットに制約し得るものであり、そのセットは、その中でＰＲＡＣＨ割り振りが構成の間で同様であり得るものである（例えば、間で交換が遂行され得るＵＬ／ＤＬ構成のセットは、［０，３，６］であり得る）。これは、低いＰＲＡＣＨ密度を伴うセルに対しては容認可能であり得るが、他の場合には制限となり得る。
【０２５７】
選択されるＷＴＲＵ固有のＴＤＤ  ＵＬ／ＤＬ構成は、ＰＲＡＣＨリソース割り振りの関数であり得るものであり、そのことは、これらの構成の対応するＷＴＲＵ固有のＰＲＡＣＨリソースが、セル固有のＰＲＡＣＨリソースのサブセットであるか、またはセル固有のＰＲＡＣＨリソースに等しいかのいずれかであるということが、コンテンションで基礎付けられたランダムアクセス（ＣＢＲＡ：contention based random access）が、関わらせられたＷＴＲＵに対して可能であり得る場合にあり得るというようなものである。これは、例えば、ＷＴＲＵが、レガシーＷＴＲＵからのいずれのＵＬ送信とも、ＣＢＲＡがそれらのＷＴＲＵに対して可能であり得るならば干渉し得ないということを確実にするために有用であり得る。
【０２５８】
セル内のすべてのＷＴＲＵが、ＰＲＡＣＨリソース割り振りを決定することを、同じＴＤＤ  ＵＬ／ＤＬ構成、および、同じＰＲＡＣＨ構成インデックスを使用して行うことが可能であるとき、あいまいさは存在し得ない。問題は、この関係性が破られ得る場合に出現し得る（例えば、セル固有の構成対ＷＴＲＵ固有の構成、および／または、ＴＤＤ  ＵＬ／ＤＬ構成の変化のタイミング対ＰＲＡＣＨ構成の変化のタイミング）。
【０２５９】
与えられたセル内のＷＴＲＵ集団の少なくとも部分が、自律的に、プリアンブルの送信をＰＲＡＣＨリソース上で起動することを、リソースが、セル固有の構成とは異なり得るＴＤＤ  ＵＬ／ＤＬ構成から導出され得る場合に行い得るならば、影響が存在し得る。例えば、アイドルモードで動作するレガシーＷＴＲＵは、ＰＲＡＣＨリソースをセル固有のＵＬ／ＤＬ  ＴＤＤ構成から導出することが可能であり、一方で、接続されたモードでの他のＷＴＲＵは、ＰＲＡＣＨリソースを、ＷＴＲＵ固有のＵＬ／ＤＬ  ＴＤＤ構成に基づいて導出することが可能である。
【０２６０】
ＴＤＤ  ＵＬ／ＤＬ構成およびＰＲＡＣＨ構成の異なる組み合わせが、同じＰＲＡＣＨリソース割り振りおよびインデックス付けにつながり得るということは可能であり得るが、ＷＴＲＵが、割り振られるＰＲＡＣＨリソースのセットを決定または再決定することを、ＵＬ／ＤＬ  ＴＤＤ構成が変化し得るときに行う必要がないということを確実にするための方途を有することが有用であり得る。
【０２６１】
１つの実施形態ではＷＴＲＵは、制御シグナリングを受信することが可能であり、そのシグナリングは、ＴＤＤ  ＵＬ／ＤＬ構成を変化させることが可能である。ＴＤＤ  ＵＬ／ＤＬ構成は、ＷＴＲＵ固有であり得、セル固有のＴＤＤ  ＵＬ／ＤＬ構成とは異なり得る。制御シグナリングは、ＰＲＡＣＨ構成もまた含み得る。ＷＴＲＵは、新しいＰＲＡＣＨリソース割り振りを、ＰＲＡＣＨ構成に基づいて決定する。
【０２６２】
別の実施形態では、セル固有のＴＤＤ  ＵＬ／ＤＬ構成から導出され得るセル固有のＰＲＡＣＨ構成によって構成され、ＷＴＲＵ固有のＴＤＤ  ＵＬ／ＤＬによって構成されるＷＴＲＵが、プリアンブルを、コンテンションフリー様式で、ＷＴＲＵ固有のＤＬサブフレームで送信し得る。ＷＴＲＵは、コンテンションで基礎付けられたランダムアクセスを、サブフレームで、ＰＲＡＣＨリソースによって遂行することを、サブフレームがＷＴＲＵ固有の構成によればＤＬサブフレームであり得る場合に、行い得ない、または、行うことを可能とされ得ない。
【０２６３】
別の実施形態では、セル固有のＴＤＤ  ＵＬ／ＤＬ構成から導出され得るセル固有のＰＲＡＣＨ構成によって構成され、ＷＴＲＵ固有のＴＤＤ  ＵＬ／ＤＬによって構成されるＷＴＲＵは、プリアンブルを、ＷＴＲＵ固有のＤＬサブフレームで、ネットワーク起動されるＲＡＣＨ手順に対して送信し得る、または送信するのみであり得る。ＷＴＲＵは、自律的に、プリアンブルを、サブフレームで、ＰＲＡＣＨリソースによって送信することを、サブフレームがＷＴＲＵ固有の構成によればＤＬサブフレームであり得る場合に、行い得ない、または、行うことを可能とされ得ない。
【０２６４】
別の実施形態では、セル固有のＴＤＤ  ＵＬ／ＤＬ構成から導出され得るセル固有のＰＲＡＣＨ構成によって構成され、ＷＴＲＵ固有のＴＤＤ  ＵＬ／ＤＬによって構成されるＷＴＲＵは、プリアンブルを、ＷＴＲＵ固有のＤＬサブフレームで送信し得る。例えばＷＴＲＵは、プリアンブルの送信（または再送信）を、ＰＲＡＣＨリソースで、ＤＬ受信より上に、サブフレームで優先度設定することが可能であり、そのサブフレームは、ＷＴＲＵ固有の構成によればＤＬサブフレームであるものである。
【０２６５】
別の実施形態では、セル固有のＴＤＤ  ＵＬ／ＤＬ構成から導出され得るセル固有のＰＲＡＣＨ構成によって構成され、ＷＴＲＵ固有のＴＤＤ  ＵＬ／ＤＬによって構成されるＷＴＲＵは、追加的に、サブフレーム制約によって、プリアンブル送信に対して構成され得る。そのようなＰＲＡＣＨサブフレーム制約は、事前に知られている場合があり、例えば、サブフレーム＃２以外のいかなるサブフレームも、プリアンブル送信に対して制約され得るものであり、またはそれは、専用化されたシグナリングを使用して構成され得る。ＷＴＲＵは、プリアンブルを、ＰＲＡＣＨリソース上で、セル固有の構成によって、サブフレームで送信し得る、または送信するのみであり得るものであり、そのサブフレームは、プリアンブル送信に対して制約されないものである。ＰＲＡＣＨサブフレーム制約は、ＷＴＲＵ固有のＴＤＤ  ＵＬ／ＤＬ構成ごとに構成され得るものであり、対応するＴＤＤ  ＵＬ／ＤＬ構成がアクティブ化され得るときに、適用され得る、または適用されるのみであり得る。そのようなＰＲＡＣＨサブフレーム制約は、ＷＴＲＵ自律的プリアンブル（再）送信に適用可能であり得る、または、適用可能であるのみであり得る。そのようなＰＲＡＣＨサブフレーム制約は、ランダムアクセス手順に適用可能であり得る、または、適用可能であるのみであり得るものであり、その手順は、コンテンションで基礎付けられたプリアンブルを使用することが可能であるものである。あるいは制約は、ＰＲＡＣＨリソースインデックスごとに（例えば、時間および周波数の両方で）適用され得る。
【０２６６】
別の実施形態ではＷＴＲＵは、ＰＲＡＣＨリソースを決定することを、セル固有のＴＤＤ  ＵＬ／ＤＬ構成に基づいて、何の他のＴＤＤ  ＵＬ／ＤＬ構成によって、それが構成されていたことがあり得るか、および／または、何の方向情報を、それが、競合するサブフレームに関して受信したことがあり得るかに関わらず行うことが可能である。レガシーＷＴＲＵはセル固有のリソースを使用することが可能であるので、レガシーＷＴＲＵはＷＴＲＵ固有の構成と競合し得ないということが想定され得る。
【０２６７】
以下のことは、ＷＴＲＵ固有のＴＤＤ  ＵＬ／ＤＬ構成の管理に関係する。１つの実施形態では、ＷＴＲＵ固有の、または手順固有のＴＤＤ  ＵＬ／ＤＬ構成によって構成されるＷＴＲＵは、構成を非アクティブ化もしくは放棄すること、および／または、セル固有のＴＤＤ  ＵＬ／ＤＬ構成に復帰することを、タイミングアラインメントタイマ（ＴＡＴ：Timing Alignment Timer）が満了し得る、または満了し得たときに行うことが可能である。別の実施形態ではＷＴＲＵは、以前に構成されたＷＴＲＵ／手順固有のＴＤＤ  ＵＬ／ＤＬ構成を非アクティブ化もしくは放棄すること、および／または、セル固有のＴＤＤ  ＵＬ／ＤＬ構成に復帰することを、専用化されたＰＵＣＣＨリソース上のスケジューリング要求失敗（Ｄ−ＳＲ失敗）の際に（または、その失敗の結果として）行うことが可能である。これは、誤ったプリアンブル送信を排除することを、ＰＲＡＣＨ上で、ＷＴＲＵ固有のＤＬサブフレームで行うために有用であり得るものであり、その理由は、ＷＴＲＵは、専用化されたＰＵＣＣＨリソースをスケジューリング要求に対して無効化することを、ＴＡＴが満了し得る、または満了し得たときに行うことが可能であり、その事例では、ＷＴＲＵ自律的プリアンブル送信が可能となり得るからというものである。別の実施形態ではＷＴＲＵは、以前に構成されたＷＴＲＵ／手順固有のＴＤＤ  ＵＬ／ＤＬ構成を非アクティブ化もしくは放棄すること、および／または、セル固有のＴＤＤ  ＵＬ／ＤＬ構成に復帰することを、それが、ＷＴＲＵが無線リンク問題に遭遇している場合があると決定し得るときに（または例えば、ＷＴＲＵがタイマＴ３１０を開始し得るときに）行うことが可能である。別の実施形態ではＷＴＲＵは、以前に構成されたＷＴＲＵ／手順固有のＴＤＤ  ＵＬ／ＤＬ構成を非アクティブ化もしくは放棄すること、および／または、セル固有のＴＤＤ  ＵＬ／ＤＬ構成に復帰することを、ＷＴＲＵが、無線リンク失敗（ＲＬＦ）を決定し得るときに（または例えば、タイマＴ３１０が満了し得るときに）行うことが可能である。これは有用であり得るものであり、その理由は、ＲＬＦは典型的には、ＷＴＲＵ自律的プリアンブル送信を、ＰＲＡＣＨ上で、ＲＲＣ接続再確立手順に対してトリガすることが可能であるからというものである。別の実施形態ではＷＴＲＵは、以前に構成されたＷＴＲＵ／手順固有のＴＤＤ  ＵＬ／ＤＬ構成を非アクティブ化もしくは放棄すること、および／または、セル固有のＴＤＤ  ＵＬ／ＤＬ構成に復帰することを、ＲＲＣが、ＷＴＲＵに対して、接続されたモードから離れる遷移、例えばアイドルモードへの遷移を遂行し得るときに行うことが可能である。これは有用であり得るものであり、その理由は、ＷＴＲＵは、もはや専用化されたＲＲＣ接続をネットワークに対して有し得ないものであり、もはやいかなるＷＴＲＵ固有の構成も使用し得ないからというものである。
【０２６８】
別の実施形態ではＷＴＲＵは、以前に構成されたＷＴＲＵ／手順固有のＴＤＤ  ＵＬ／ＤＬ構成を非アクティブ化もしくは放棄すること、および／または、セル固有のＴＤＤ  ＵＬ／ＤＬ構成に復帰することを、関わらせられたサービングＳＣｅｌｌに対して、ＳＣｅｌｌが非アクティブ化され得るときに行うことが可能である。別の実施形態ではＷＴＲＵは、セル固有のＴＤＤ  ＵＬ／ＤＬ構成を、関わらせられたサービングＳＣｅｌｌに対して、関わらせられたセルのアクティブ化の際に使用し得る、または使用するのみであり得る。あるいはＷＴＲＵが、ＷＴＲＵ／手順固有のＴＤＤ  ＵＬ／ＤＬ構成によって、ＳＣｅｌｌに対して、例えばＳＣｅｌｌアクティブ化の前に構成され得るならば、ＷＴＲＵは、その構成によって、ＳＣｅｌｌのアクティブ化の際に動作し得る（そのことは、セル固有のＴＤＤ  ＵＬ／ＤＬ構成によって動作することに加えてのことであり得る）。
【０２６９】
別の実施形態ではＷＴＲＵは、構成されたＵＬグラントまたは割り振り（例えば、ＵＬ  ＳＰＳ）を、一時停止する、または非アクティブ化する、または削除することを、それがシグナリングを受信することが可能であり、そのシグナリングが、ＷＴＲＵ固有のＴＤＤ  ＵＬ／ＤＬ構成を構成および／もしくはアクティブ化することが可能であり、または、ＵＬ／ＤＬサブフレーム方向を変化させることが可能であるものであるときに行うことが可能である。これは、ＳＰＳ構成または割り振りに対して、適用し得る、または適用するのみであり得るものであり、それらのＳＰＳ構成または割り振りは、ＷＴＲＵ固有のＤＬサブフレームでの送信に、または、方向を、新しい構成またはサブフレーム方向の結果として変化させることが可能であるサブフレームに対応し得るものである。ＷＴＲＵは、構成されたＵＬグラントまたは割り振りを、その構成から取り外すことが可能である。
【０２７０】
１または複数のシナリオ、例えるなら、本明細書で説明されるものに対して、以下のことの１または複数が、適用することが可能であり得る。ＷＴＲＵが、ＷＴＲＵ固有の、または手順固有のＴＤＤ  ＵＬ／ＤＬ構成によって、より高い層シグナリングによって構成され得るならば、ＷＴＲＵは、この構成を使用することを継続することを、条件が出現する後で、例えば、ＴＡＴが満了する、Ｄ−ＳＲ失敗、ＲＬＦ等々の後で行うことが可能である。ＷＴＲＵが、ＷＴＲＵ固有の、もしくは手順固有のＴＤＤ  ＵＬ／ＤＬ構成、またはサブフレーム方向によって、物理層シグナリングによって構成され得るならば、ＷＴＲＵは、条件が出現するとき、セル固有のＴＤＤ  ＵＬ／ＤＬ構成、または、ＷＴＲＵ固有の、もしくは手順固有のＴＤＤ  ＵＬ／ＤＬ構成に復帰することが可能であり、それらの構成は、より高い層シグナリングによって、例えば、ＴＡＴが満了する、Ｄ−ＳＲ失敗、ＲＬＦ等々のときに、またはそれらの後に提供されていたものであり得るものである。
【０２７１】
以下のことは、手段に関係するものであり、その手段は、それによりＷＴＲＵが、競合するサブフレーム、競合するサブフレームの方向、手順固有の、および／またはＷＴＲＵ固有のＴＤＤ  ＵＬ／ＤＬ構成のうちの１または複数を、受信および／または決定することが可能であるものである。
【０２７２】
ｅＮＢはシグナリングを送信することが可能であり、かつ／または、ＷＴＲＵはそのシグナリングを受信することが可能であり、そのシグナリングは、動的ＴＤＤ制御シグナリングと呼ばれ得るものであり、その動的ＴＤＤ制御シグナリングは、１または複数の、手順固有の、および／もしくはＷＴＲＵ固有のＴＤＤ  ＵＬ／ＤＬ構成、ならびに／またはＵＬ／ＤＬサブフレーム方向、またはパラメータを提供し得るものであり、それらのパラメータは、それらからこれらの構成または方向のうちの１または複数が決定され得るものである。ＷＴＲＵが制御シグナリング（例えば、動的ＴＤＤ制御シグナリング）を受信することが可能である例では、制御シグナリングはｅＮＢにより送信され得る。一部の実施形態では制御シグナリングは、動的ＴＤＤ制御シグナリングであり得る、またはその動的ＴＤＤ制御シグナリングを含み得る。
【０２７３】
ＷＴＲＵは、動的ＴＤＤ制御シグナリングを、以下の手段の少なくとも１つによって受信することが可能である。異なる目的のための（例えば、ＷＴＲＵ固有のＴＤＤ  ＵＬ／ＤＬ構成を提供するための、または、サブフレーム方向を提供するための）動的ＴＤＤ制御シグナリングは、異なる手段を使用し得る。ＷＴＲＵは、動的ＴＤＤ制御シグナリングを、システム情報ブロードキャストから受信することが可能である。これは例えば、ＷＴＲＵに適用可能であり得る、かつ／または、ＷＴＲＵにより受信可能であり得るものであり、それらのＷＴＲＵは、接続されたモードまたはアイドルモードであり得る。動的ＴＤＤ制御シグナリングは、ＳＩＢ更新機構、例えば、ＳＩＢ、例えるならＳＩＢ１以外のものへの更新により受信され得るものであり、ＷＴＲＵにより、またはＷＴＲＵのみにより受信され得るものであり、それらのＷＴＲＵは、そのようなＳＩＢを復号し得る。例えばこれは、ＷＴＲＵに、またはＷＴＲＵのみに適用可能であり得るものであり、それらのＷＴＲＵは、動的ＴＤＤ、または、ＷＴＲＵ固有の、および／もしくは手順固有のＴＤＤ  ＵＬ／ＤＬ構成をサポートし得るものである。ＷＴＲＵは、動的ＴＤＤ制御シグナリングを、ＲＲＣ専用化された、またはＷＴＲＵ固有のシグナリングによって受信することが可能であり、そのＲＲＣ専用化された、またはＷＴＲＵ固有のシグナリングは、ＷＴＲＵの１つまたはグループに向けられ得る、または、それらのＷＴＲＵの１つまたはグループに対して意図され得るものである。例として動的ＴＤＤ制御シグナリングは、ＲＲＣ接続再構成の部分であり得る。動的ＴＤＤ制御シグナリングは、ＷＴＲＵにより、シグナリング無線ベアラを介して受信され得る。動的ＴＤＤ制御シグナリングで受信されるＵＬ／ＤＬ構成は、セル固有の構成を破棄することが可能であり、かつ／または、追加的な制御シグナリング（例えば、追加的な動的ＴＤＤ制御シグナリング）を使用する、後でのアクティブ化のために記憶され得る。動的ＴＤＤ制御シグナリングで受信されるＵＬ／ＤＬ構成は、セル固有の構成に加えて使用され得る、かつ／または、記憶され得る。
【０２７４】
ＷＴＲＵは、動的ＴＤＤ制御シグナリングをＭＡＣ制御要素（ＣＥ）で受信することが可能である。ＭＡＣ  ＣＥは、構成、または、構成に対するアクション（例えば、アクティブ化する、または非アクティブ化する）を指示し得るものであり、それらの構成またはアクションは、ＲＲＣにより（例えば、専用化されたシグナリングを使用して）以前に受信され、記憶された構成に関係し得るものである。
【０２７５】
ＷＴＲＵは、動的ＴＤＤ制御シグナリングを、物理層シグナリングによって、例えるなら、ＰＤＣＣＨまたはＥＰＤＣＣＨによって受信することが可能であり、それらのＰＤＣＣＨまたはＥＰＤＣＣＨは、ＰＤＣＣＨまたはＥＰＤＣＣＨ共通探索空間（ＣＳＳ）にあり得るものである。制御シグナリングは、ＲＮＴＩ（例えば、ＴＤＤ−ＲＮＴＩ）によりスクランブル化されるＤＣＩで受信され得るものであり、そのＲＮＴＩは、共通ＲＮＴＩ、例えば、複数のＷＴＲＵにより使用され得るＲＮＴＩであり得るものであり、そのことによって、ＴＤＤ動的制御シグナリングは、複数のＷＴＲＵにより同じ時間に受信され得る。指示される構成は、ＲＲＣにより（例えば、ブロードキャスト、または、専用化されたシグナリングを使用して）以前に受信され、ＷＴＲＵが記憶していた場合がある、構成に関係し得るものである。これは、ネットワークノード、例えるならｅＮＢが、サービングセル内の複数のＷＴＲＵを制御することを、共通制御シグナリングを使用して行うことを可能にし得る。そのようなシグナリングは、特定のサブフレーム、例えるならサブフレーム＃０で受信され得る、または受信されるのみであり得る。シグナリングは、特定のアグリゲーションレベル（ＡＬ：Aggregation Level）、例えばＡＬ８を、ロバスト性のために使用することが可能である、または常に可能である。あるいは、Ｃ−ＲＮＴＩおよびＷＴＲＵ固有の探索空間が使用され得るものであり、動的ＴＤＤ制御シグナリングは、ＷＴＲＵのＣ−ＲＮＴＩによりスクランブル化されるＤＣＩで受信され得る。ＷＴＲＵは、ＨＡＲＱ  ＡＣＫを、そのようなＤＣＩの成功裏の受信の際に送信することが可能である。物理層シグナリング（共通、またはＷＴＲＵ固有であり得る）は、構成（例えば、ＵＬ／ＤＬ方向）またはアクションを指示し得るものであり、それらの構成またはアクションは、ＲＲＣにより（例えば、専用化されたシグナリングを使用して）以前に受信され、ＷＴＲＵが記憶していた場合がある、構成に関係し得るものである。
【０２７６】
ＷＴＲＵは、ＵＬ／ＤＬ割り当て、および／または、ＵＬ／ＤＬ遷移またはＴＤＤ  ＵＬ／ＤＬ構成の、アクティブ化もしくは非アクティブ化の指示を、以下の技法の１つまたは組み合わせで受信することが可能である。ＷＴＲＵによる受信は、ｅＮＢによる送信を示唆し得る。
【０２７７】
ＷＴＲＵは、ＰＤＣＣＨまたはＥＰＤＣＣＨ  ＤＣＩフォーマットを受信することが可能であり、そのフォーマットは、ＵＬ／ＤＬ遷移、ＵＬ／ＤＬ割り当て、またはＴＤＤ  ＵＬ／ＤＬ構成のうちの１または複数の、アクティブ化または非アクティブ化を指示し得るものである。例えばＵＬ／ＤＬ割り当ては、物理層シグナリングにより、例えば、「ＤＬアクティブ化／非アクティブ化」原理にしたがって制御され得る。これ（例えば、ＵＬ／ＤＬ割り当てのアクティブ化または非アクティブ化）は、サブフレームｎ＋ｘから開始して適用可能であり得るものであり、ただしｘは、固定された処理時間であり得、または、受信されるＤＣＩで指示され得、ｎは、ＤＣＩが受信され得るサブフレーム、または、ＤＣＩ受信が肯定確認され得るサブフレームでよい。アクティブ化または非アクティブ化は、次の無線フレームから開始して（例えば、追加的な適用可能な遅延の部分であり得る、いかなるサブフレームとも重ならずに）適用可能であり得る。ＤＣＩフォーマットは、場合によってはＲＲＣにより構成される特定のＲＮＴＩを使用して受信され得る（例えばこれは、複数のＷＴＲＵに対する１度での交換を可能にし得る）。ＤＣＩは、ＰＤＣＣＨまたはＥＰＤＣＣＨの共通探索空間で受信され得る（例えばこれは、複数のＷＴＲＵに対する１度での交換を可能にし得る）。
【０２７８】
ＷＴＲＵは、ＭＡＣ  ＣＥを受信することが可能であり、そのＭＡＣ  ＣＥは、ＵＬ／ＤＬ遷移、およびＵＬ／ＤＬ割り当て、またはＴＤＤ  ＵＬ／ＤＬ構成のうちの１または複数の、アクティブ化または非アクティブ化を指示し得るものである。例えばＵＬ／ＤＬ割り当ては、ＭＡＣシグナリングにより、例えば、「ＤＬアクティブ化／非アクティブ化」原理にしたがって制御され得る。これ（例えば、ＵＬ／ＤＬ割り当てのアクティブ化または非アクティブ化）は、サブフレームｎ＋ｘから開始して適用可能であり得るものであり、ただしｘは、固定された処理時間であり得、または、受信されるＭＡＣ  ＣＥで指示され得るものであり、ｎは、ＭＡＣ  ＣＥを内包するトランスポートブロックが成功裏に復号され得るサブフレーム、または、ＭＡＣ  ＣＥを内包するトランスポートブロックが肯定確認され得るサブフレームであり得る。あるいはそれは、次の無線フレームから開始して適用可能であり得る。
【０２７９】
ＷＴＲＵは、ＲＲＣシグナリングを受信することが可能であり、そのＲＲＣシグナリングは、ＵＬ／ＤＬ遷移、およびＵＬ／ＤＬ割り当て、またはＴＤＤ  ＵＬ／ＤＬ構成のうちの１または複数の、アクティブ化もしくは非アクティブ化、および／または、構成もしくは再構成を指示し得るものである。例えばＵＬ／ＤＬ割り当ては、ＲＲＣシグナリングにより制御され得る。
【０２８０】
これ（例えば、アクティブ化もしくは非アクティブ化、および／または、構成もしくは再構成）は、次のＳｙｓＩｎｆｏ更新期間の開始から（例えば、シグナリングがＢＣＣＨ上で受信され得る場合）、または、ＳＦＮ  ｍｏｄ  ｘに対応する無線フレームの開始から開始して適用可能であり得るものであり、ただしｘは、固定された値であり得、または、受信されるＲＲＣ  ＰＤＵで指示され得るものである。あるいはこれは、サブフレームｎ＋ｘから開始して適用可能であり得るものであり、ただしｘは、固定された処理時間（例えば、ＲＲＣ  ＰＤＵ処理時間に関係付けられる）であり得、または、受信されるシグナリングで指示され得るものであり、ｎは、ＲＲＣ  ＰＤＵを内包するトランスポートブロックが成功裏に復号され得るサブフレーム、または、ＲＲＣ  ＰＤＵを内包するトランスポートブロックが肯定確認され得るサブフレームであり得る。
【０２８１】
ＵＬ／ＤＬ割り当ては、どのサブフレームがＵＬであり、どれがＤＬであるか（例えば、フレームでのサブフレームの方向）の定めを表すために使用され得るものであり、その定めは、任意の形式でのもの、例えるなら、ＴＤＤ  ＵＬ／ＤＬ構成の識別情報、ＵＬ／ＤＬまたはＤＬ／ＵＬ遷移の識別情報、競合するサブフレームに対する方向の識別情報等々であり得る。
【０２８２】
ＵＬ／ＤＬ割り当てのアクティブ化は、割り当ての使用を可能にすること、割り当ての使用を要求する、もしくは求めること、または、割り当てを使用する、もしくは使用することを開始することを指示することを意味し得る。アクティブ化は、非アクティブ化または別のアクティブ化が受信され得るまで適用可能であり得、またはアクティブ化は、固定された量の時間に対して適用可能であり得、その時間は例えるなら、１つのフレーム（例えば、アクティブ化が受信され得るフレーム、または次のフレーム）、またはｎ個のフレーム（例えば、４つのフレーム）であり、それらのｎ個のフレームは、アクティブ化が受信され得るフレーム、または次のフレームで始まり得るものである。
【０２８３】
ＵＬ／ＤＬ割り当ての非アクティブ化は、割り当ての使用を不能にすること、割り当ての使用を停止することを要求する、もしくは求めること、または、割り当てを使用しないことを指示することを意味し得る。アクティブ化が、固定された量の時間に対して有効であり得るならば、その時間に続いて、ＷＴＲＵは、自律的に割り当てを非アクティブ化することが可能である。
【０２８４】
ＷＴＲＵは、制御シグナリングを受信すること、または、受信することを試行することが可能であり、その制御シグナリングは、動的ＴＤＤ制御シグナリングであり得る、またはその動的ＴＤＤ制御シグナリングを含み得るものであり、その動的ＴＤＤ制御シグナリングは、ＤＬサブフレームでの、以下のことの少なくとも１つによるものである。
【０２８５】
ＷＴＲＵは、制御シグナリングを受信すること、または、受信することを試行することが可能であり、その制御シグナリングは、動的ＴＤＤ制御シグナリングであり得る、またはその動的ＴＤＤ制御シグナリングを含み得るものであり、その動的ＴＤＤ制御シグナリングは、ＤＬサブフレームでの、アクティブＴＤＤ  ＵＬ／ＤＬ構成によるものである。これは、後記の制御シグナリングに対して適用し得る、または適用するのみであり得るものであり、その制御シグナリングは、ＰＤＣＣＨまたはＥＰＤＣＣＨ（ＰＤＣＣＨまたはＥＰＤＣＣＨ  ＷＴＲＵ固有の探索空間にあり得る）によって、Ｃ−ＲＮＴＩによってスクランブル化され得るＤＣＩフォーマットで受信され得るようなものである。
【０２８６】
ＷＴＲＵは、制御シグナリングを受信すること、または、受信することを試行することが可能であり、その制御シグナリングは、動的ＴＤＤ制御シグナリングであり得る、またはその動的ＴＤＤ制御シグナリングを含み得るものであり、その動的ＴＤＤ制御シグナリングは、ＤＬサブフレームでの、またはＤＬサブフレームのみでの、セル固有のＴＤＤ  ＵＬ／ＤＬ構成によるものである。これは、後記の制御シグナリングに対して適用し得る、または適用するのみであり得るものであり、その制御シグナリングは、ＰＤＣＣＨまたはＥＰＤＣＣＨ（ＰＤＣＣＨまたはＥＰＤＣＣＨ  ＷＴＲＵ固有の探索空間にあり得る）によって、Ｃ−ＲＮＴＩによってスクランブル化され得るＤＣＩフォーマットで受信され得るようなものである。
【０２８７】
ＷＴＲＵは、制御シグナリングを受信すること、または、受信することを試行することが可能であり、その制御シグナリングは、動的ＴＤＤ制御シグナリングであり得る、またはその動的ＴＤＤ制御シグナリングを含み得るものであり、その動的ＴＤＤ制御シグナリングは、特定のＤＬサブフレームでの、例えば、サブフレーム＃０での、またはサブフレーム＃５でのものである。これは、後記の制御シグナリングに対して適用し得る、または適用するのみであり得るものであり、その制御シグナリングは、ＰＤＣＣＨまたはＥＰＤＣＣＨ  ＣＳＳによって受信され得るようなものである。
【０２８８】
ＷＴＲＵは、動的ＴＤＤ制御シグナリングに対して復号する（例えば、そのシグナリングに対して監視する、かつ／または、そのシグナリングに対してＤＣＩフォーマットによってＰＤＣＣＨまたはＥＰＤＣＣＨを復号することを試行する）ことを、フレームごとに１度、または、（場合によっては、構成された）期間によって行うことが可能である。これは、後記の制御シグナリングに対して適用し得る、または適用するのみであり得るものであり、その制御シグナリングは、ＰＤＣＣＨまたはＥＰＤＣＣＨ  ＣＳＳによって受信され得るようなものである。
【０２８９】
ＷＴＲＵは、動的ＴＤＤ制御シグナリングに対して復号する（例えば、そのシグナリングに対して監視する、かつ／または、そのシグナリングに対してＤＣＩフォーマットによってＰＤＣＣＨまたはＥＰＤＣＣＨを復号することを試行する）ことを、特定の無線フレームで、例えば、例えばＳＦＮ  ｍｏｄ  Ｘに対応するサブフレームで行うことが可能である（ただしＸは、指定され得る、または構成可能であり得る）。これは、後記の制御シグナリングに対して適用し得る、または適用するのみであり得るものであり、その制御シグナリングは、ＰＤＣＣＨまたはＥＰＤＣＣＨ  ＣＳＳによって受信され得るようなものである。
【０２９０】
ＷＴＲＵは、動的ＴＤＤ制御シグナリングを（例えば、サブフレームｎで）受信することが可能であり、結果的なサブフレーム方向および／またはＴＤＤ  ＵＬ／ＤＬ構成を適用すること、および／または、関わらせられた送信／受信動作をあるタイミングによって調整することが可能である。例えば、シグナリングされる変化は、以下のものの少なくとも１つから開始して適用可能であり得るものであり、以下のものとは、ａ）次のＤＬ対ＵＬ遷移（例えば、サブフレーム＃０で受信される場合、新しい構成はサブフレーム＃１または＃２で適用し得る）、ｂ）次の無線フレームの開始（場合によっては、追加的な遅延の後）、ｃ）サブフレームｎからのＷＴＲＵ処理時間、例えば、確認されないＰＤＣＣＨ信号に対して１ｍｓ、確認されるＰＤＣＣＨ信号に対して４ｍｓ、ＭＡＣ  ＣＥに対して８ｍｓ、ＲＲＣ信号に対して１５ｍｓの後、ｄ）ＷＴＲＵがＡＣＫを対応するシグナリングに対して送信していることがあり得るサブフレームの後のサブフレーム、ｅ）ｅＮＢ処理時間、例えば、ＷＴＲＵが、関わらせられた制御信号に適用可能なＨＡＲＱ  ＡＣＫを送信していることがあり得るサブフレームの４ｍｓ後、ｆ）制御シグナリング自体でシグナリングされ、例えばサブフレームｎから適用され得る遅延の後、または、ｇ）上記のものの組み合わせである。
【０２９１】
１つの実施形態ではＷＴＲＵは、ＷＴＲＵ固有の、および／または手順固有のＴＤＤ  ＵＬ／ＤＬ構成を使用することを、有効時間が満了してしまうまで、適用可能ならば行うことが可能である（例えば、そのことの時間にＷＴＲＵは、デフォルト構成に復帰することが可能であり、そのデフォルト構成は、セル固有のＴＤＤ  ＵＬ／ＤＬ構成であり得るものである）。
【０２９２】
１つの実施形態ではＷＴＲＵは、ＷＴＲＵ固有の、および／または手順固有のＴＤＤ  ＵＬ／ＤＬ構成を使用することを、関わらせられたセルに適用可能なＴＡＴが満了し得る、もしくは満了し得たまで、または何らかのエラー条件が出現するまで行うことが可能である（例えば、そのことの時間にＷＴＲＵは、デフォルト構成に復帰することが可能であり、そのデフォルト構成は、セル固有のＴＤＤ  ＵＬ／ＤＬ構成であり得るものである）。
【０２９３】
ＷＴＲＵは、サブフレーム方向、または、ＷＴＲＵ固有の、もしくは手順固有のＴＤＤ  ＵＬ／ＤＬ構成、例えるなら、サブフレーム方向、または、競合するサブフレームの方向を決定し得るものを、ある時間に、または、ある時間ウィンドウ内で受信することを予測することが可能である。ＷＴＲＵが、予測される情報を受信し得ない事例では、ＷＴＲＵは、あらかじめ決定された（例えば、デフォルト）構成または方向を使用することが可能である。
【０２９４】
例えば、以下のことの１または複数が適用することが可能である。ＷＴＲＵは、１または複数の物理層信号を予測することが可能であり、それらの信号は、ＷＴＲＵ／手順固有の構成、または、ＵＬ／ＤＬサブフレーム方向の指示を、あらかじめ決定された、または、あらかじめ構成された、時間および／もしくは周波数リソースで、ならびに／または、あらかじめ決定された、または、あらかじめ構成された時間ウィンドウ内で搬送するためのものである。ＷＴＲＵは、ＴＤＤ  ＵＬ／ＤＬ構成自体のインデックスもしくは他の識別情報、または、サブフレーム方向を指示するビットマップもしくは他の表現を受信することを予測することが可能である。ＷＴＲＵは、そのような指示を、ＤＣＩフォーマットまたはメッセージによって受信することを予測することが可能であり、それらのＤＣＩフォーマットまたはメッセージは、（例えば、ｅＮＢにより）無線フレーム内の特定のサブフレーム、例えば、各々のｎ個の無線フレームのサブフレームｍ（例えるなら、無線フレームの第１のサブフレームを指示し得る、ｍ＝０）で、または、あらかじめ定義された、もしくは、あらかじめ構成された時間ウィンドウの内で送信され得るものである。別の予測されるパターンが使用され得るものであり、そのパターンは、ＷＴＲＵが、いつ、ＷＴＲＵ／手順固有の構成、または、ＵＬ／ＤＬサブフレーム方向の指示を探し求めるべきかを知ることを可能にし得るものである。
【０２９５】
ＷＴＲＵは、継続的に（例えば、定められたサブフレームで）１または複数の物理層信号をサーチする必要があり得、それらの信号は、１または複数の、ＷＴＲＵ／手順固有のＴＤＤ  ＵＬ／ＤＬ構成、または、ＵＬ／ＤＬサブフレーム方向の指示を搬送するものである。
【０２９６】
ＷＴＲＵ／手順固有のＴＤＤ  ＵＬ／ＤＬ構成、または、ＵＬ／ＤＬサブフレーム方向の指示の受信の際に、ＷＴＲＵは、この受信を確認することを、潜在的に、そのサービングセルにシグナリングする、物理層、および／または、より高い層によって行うことが可能である。
【０２９７】
ＷＴＲＵ／手順固有のＴＤＤ  ＵＬ／ＤＬ構成、または、ＵＬ／ＤＬサブフレーム方向の指示の受信の際に、ＷＴＲＵは、方向、または、構成により指示される方向を適用することを、本明細書で説明されるルールの１または複数によって行うことが可能であり、それらのルールは例えるなら、指示が受信されるフレーム、または次のフレームで開始するためのものである。
【０２９８】
ＷＴＲＵ／手順固有のＴＤＤ  ＵＬ／ＤＬ構成、または、ＵＬ／ＤＬサブフレーム方向を指示する物理層信号を受信することを予測していることが可能であるＷＴＲＵが、そのような指示を受信し得ない、かつ／または、正しく復号し得ないならば、ＷＴＲＵは、以下のことの１つまたは組み合わせを使用して、サブフレーム方向またはＴＤＤ  ＵＬ／ＤＬ構成を決定し得るものであり、それらのサブフレーム方向またはＴＤＤ  ＵＬ／ＤＬ構成は、それが、指示、例えるなら、シグナリングされ得る次の指示を受信し得るまで適用するためのものである。
【０２９９】
ＷＴＲＵは、セル固有のＴＤＤ  ＵＬ／ＤＬ構成を、サブフレーム方向および／または動作（例えば、手順および／またはタイミング）に対して使用することが可能であり、それらのサブフレーム方向および／または動作は、逃されたＷＴＲＵ／手順固有のＴＤＤ  ＵＬ／ＤＬ構成、例えるなら、ＳＩＢ１により提供され得るものに関係付けられるものである。
【０３００】
ＷＴＲＵは、あらかじめ構成されたＷＴＲＵ／手順固有のＴＤＤ  ＵＬ／ＤＬ構成を、サブフレーム方向および／または動作（例えば、手順および／またはタイミング）に対して使用することが可能であり、それらのサブフレーム方向および／または動作は、逃されたＷＴＲＵ／手順固有のＴＤＤ  ＵＬ／ＤＬ構成、例えば、ＲＲＣシグナリングにより提供されるもの、または、ＤＬに関係付けられる手順に対する参照構成として使用され得るものに関係付けられるものであり、その参照構成は、ＲＲＣシグナリング等々により提供され得たものである。
【０３０１】
ＷＴＲＵは、ＵＬ／ＤＬサブフレーム方向、または、ＴＤＤ  ＵＬ／ＤＬ構成を、逃された構成の代わりに使用するために決定することが可能であり、その逃された構成は、そのインデックスにより、いくつもの因子に応じて識別され得るものであり、それらの因子は、例えるなら、１または複数の構成パラメータ、セル固有の構成、１または複数の受信／構成されたＷＴＲＵ／手順固有の構成等々である。
【０３０２】
ＷＴＲＵは、ＷＴＲＵに対して意図されるＰＤＣＣＨまたはＥＰＤＣＣＨに対してブラインド復号する（例えば、それらのＰＤＣＣＨまたはＥＰＤＣＣＨを監視する、かつ／または、復号することを試行する）ことを、すべての、またはあるセル固有のＵＬサブフレームで行って、サブフレームが、ＤＬであることがそのＷＴＲＵに対して意図され得るかどうかを決定することが可能である。あるサブフレームは、それらに対してＷＴＲＵが、ＵＬで送信するようにスケジューリングされ得ないものであり得るものであり、または、本明細書で説明されるルールまたは手順のうちの１または複数によって決定され得る。そのようなＰＤＣＣＨまたはＥＰＤＣＣＨの成功裏の受け取りの際に、ＷＴＲＵは、適宜作動すること、例えば、対応するＰＤＳＣＨを受信することを試行すること、または、対応するＰＵＳＣＨをスケジューリングすること等々が可能である。
【０３０３】
ＷＴＲＵは、１つの、またはある潜在的なＵＬサブフレーム、例えば、それらに対してＷＴＲＵが送信するようにスケジューリングされ得る、かつ／または、それらに対してｅＮＢがＵＬデータおよび／またはシグナリングをＷＴＲＵから受信することを予測し得るサブフレームで、場合によっては、本明細書で説明されるルールおよび機構によって送信することが可能である。
【０３０４】
逃されたシグナリングの事例では、ＷＴＲＵは、決定されたＷＴＲＵ／手順固有のＴＤＤ  ＵＬ／ＤＬ構成、または、ＵＬ／ＤＬサブフレーム方向を、同じルールによって適用することが可能であり、それらのルールは、それが普通にしたがい得るものであり、いつ、シグナリングされたＷＴＲＵ／手順固有のＴＤＤ  ＵＬ／ＤＬ構成、または、ＵＬ／ＤＬサブフレーム方向を適用すべきか（例えば、同じフレーム、次のフレーム、同じ再構成期間、次の再構成期間等々）に対するものである。いつ、決定されたＷＴＲＵ／手順固有のＴＤＤ  ＵＬ／ＤＬ構成、または、ＵＬ／ＤＬサブフレーム方向を適用すべきかを決定するための開始するポイントは、ＷＴＲＵが、それが予測していたものであり得るシグナリングを逃したことがあり得る、または、それがそのシグナリングを逃したことがあり得ると理解し得た、サブフレームまたはフレームであり得る。
【０３０５】
以下のことは、ＨＡＲＱフィードバックリソース割り振りおよびシグナリングに関係する。異なるＷＴＲＵは、異なるＴＤＤ  ＵＬ／ＤＬ構成を想定し得るものであり、一方ですべては、物理リソースのほとんど同じセットにシステムでアクセスすることが可能である。例として２つのＷＴＲＵは、異なるＴＤＤ  ＵＬ／ＤＬ構成を、ＰＵＳＣＨ−ＨＡＲＱに関係付けられた動作に対して使用することが可能である（例えばそれらは、異なるタイミングを、ＵＬグラント、ＰＵＳＣＨ送信、およびＰＨＩＣＨフィードバックに対して使用することが可能である）。この事例では、これらのＷＴＲＵは、それらの対応するＵＬグラントを、異なるサブフレームで受信することが可能であるが、それらのＰＵＳＣＨの送信の際に、それらは、対応するＰＨＩＣＨフィードバックを同じＤＬサブフレームで、および場合によっては、同じＰＨＩＣＨインデックス対上で受信する必要があり得る。同様の状況が、ＰＤＳＣＨ−ＨＡＲＱに関係付けられた動作に対して実在し得、その場合、異なるＷＴＲＵは、ＰＵＣＣＨリソースの同じセットを使用して、それらの対応するＰＤＳＣＨに関係付けられたＨＡＲＱフィードバックを提供する必要があり得る。ＷＴＲＵおよび／またはｅＮＢの挙動は、これらを含み得る状況に対して取り組まされる必要があり得る。以下の機構の１または複数が使用され得る。
【０３０６】
異なるＷＴＲＵは、異なるＴＤＤ  ＵＬ／ＤＬ構成のＰＤＳＣＨ−ＨＡＲＱ動作および／またはタイミングにしたがう（または、それらの動作および／またはタイミングを使用する）ことが可能である。以下の例では、各々が、異なるＴＤＤ  ＵＬ／ＤＬ構成にしたがう（または、その構成を使用する）ことが可能である、ＷＴＲＵの少なくとも２つのグループ、例えばグループ１ＷＴＲＵおよびグループ２ＷＴＲＵが存在し得る。ｅＮＢは、グループ１およびグループ２内のＷＴＲＵをスケジューリングすることを、２つのＷＴＲＵが、それらのＰＵＣＣＨを、同じ正確なＰＵＣＣＨインデックスを使用して同じＵＬサブフレームで送出し得ないという方途で行うことが可能である。ｅＮＢは例えば、異なるＰＵＣＣＨインデックス構成パラメータを、グループ１およびグループ２内のＷＴＲＵに割り当てることが可能である。
【０３０７】
ｅＮＢは、異なるグループ内のＷＴＲＵを、ＰＵＣＣＨリソースの異なるセットによって割り当てることが可能である。例えばＷＴＲＵは、異なるＰＵＣＣＨ帯域幅によって構成され得る。グループ１内のＷＴＲＵ（レガシーＷＴＲＵであり得る）は、
【０３０８】
【数１６】
0006043876.tif 000024
【０３０９】
によって構成され得るものであり、グループ２内のＷＴＲＵ（例えるなら、動的ＴＤＤ  ＷＴＲＵ）は、
【０３１０】
【数１７】
0006043876.tif 000025
【０３１１】
によって構成され得るものであり、その場合、
【０３１２】
【数１８】
0006043876.tif 000026
【０３１３】
および
【０３１４】
【数１９】
0006043876.tif 000027
【０３１５】
は、帯域幅をＲＢに関して表す構成パラメータであり得るものであり、それらのＲＢは、ＰＵＣＣＨによる使用のために利用可能であり得るものである。グループ２ＷＴＲＵは、両方の構成パラメータを受信することが可能である。
【０３１６】
グループ２ＷＴＲＵは、第１の
【０３１７】
【数２０】
0006043876.tif 000028
【０３１８】
ＰＵＣＣＨリソースを、帯域幅の縁部上でスキップすることが可能であり、
【０３１９】
【数２１】
0006043876.tif 000029
【０３２０】
ＰＵＣＣＨリソースを、スキップされるものの後で使用することのみが可能である。ｅＮＢは、いかなるＵＬ送信（例えば、ＰＵＳＣＨ送信）も、ＷＴＲＵのいずれのグループに対しても、ＵＬリソースでスケジューリングし得ないものであり、それらのＵＬリソースは、それらの構成されたＰＵＣＣＨリソース、例えば、
【０３２１】
【数２２】
0006043876.tif 000030
【０３２２】
ＰＵＣＣＨリソースのいずれかと重なり得るものである。
【０３２３】
グループ２ＷＴＲＵは、第１の
【０３２４】
【数２３】
0006043876.tif 000031
【０３２５】
ＰＵＣＣＨリソースを、帯域幅の縁部上でスキップすることが可能であり、
【０３２６】
【数２４】
0006043876.tif 000032
【０３２７】
ＰＵＣＣＨリソースを、スキップされるものの後で使用することのみが可能である。ｅＮＢは、いかなるＵＬ送信（例えば、ＰＵＳＣＨ送信）も、ＷＴＲＵのいずれのグループに対しても、ＵＬリソースでスケジューリングし得ないものであり、それらのＵＬリソースは、それらの構成されたＰＵＣＣＨリソース、例えば、
【０３２８】
【数２５】
0006043876.tif 000033
【０３２９】
のいずれかと重なり得るものである。
【０３３０】
ＰＨＩＣＨ動作に対して、異なるＷＴＲＵは、異なるＴＤＤ  ＵＬ／ＤＬ構成のＰＵＳＣＨ−ＨＡＲＱ動作および／またはタイミングにしたがう（または、それらの動作および／またはタイミングを使用する）ことが可能である。以下の例では、各々が、異なるＴＤＤ  ＵＬ／ＤＬ構成にしたがう（または、その構成を使用する）ことが可能である、ＷＴＲＵの少なくとも２つのグループ、例えばグループ１ＷＴＲＵおよびグループ２ＷＴＲＵが存在し得る。１つの実施形態ではｅＮＢは、グループ１およびグループ２内のＷＴＲＵをスケジューリングすることを、２つのＷＴＲＵが、それらのＰＨＩＣＨを、同じ正確なＰＨＩＣＨインデックス対上で、同じＵＬサブフレームで予測し得ないという方途で行うことが可能である。別の実施形態では、２つのＷＴＲＵが、ＰＨＩＣＨを、同じＰＨＩＣＨインデックス対によって、および／または、同じＤＬサブフレーム内で受信することが可能である。ｅＮＢは、２つ以上のＷＴＲＵのＰＵＳＣＨ−ＨＡＲＱ  ＡＣＫ／ＮＡＣＫビットをバンドルすることが可能である。ｅＮＢは、バンドルされるビットを、個々のＷＴＲＵのＰＵＳＣＨ−ＨＡＲＱ  ＡＣＫ／ＮＡＣＫの論理ＡＮＤとして決定することが可能であり、その場合、ＡＣＫビットは「１」により表され得るものであり、ＮＡＣＫビットは「０」により表され得る。例えばｅＮＢは、ＡＣＫビットを送信することを、すべての対応するＰＵＳＣＨが受信され正しく復号される場合にのみ行うことが可能である。そうでない場合、それはＮＡＣＫビットを送信することが可能であり、そのことは、すべての対応するＷＴＲＵに、それらのＵＬデータを再送信することを求め得るものである。
【０３３１】
本明細書で説明される機構および技法の実施形態の例は、以下のようなものである。例の構成要素は、任意の順序で、全体的に、または部分的に遂行され得る。この例ではＷＴＲＵは、ＷＴＲＵ固有のＴＤＤ  ＵＬ／ＤＬ構成にしたがうことを、ＰＤＳＣＨ、およびその関係付けられるＨＡＲＱに対して行うことが可能である。
【０３３２】
ＳＩＢ１は、セル固有のＴＤＤ  ＵＬ／ＤＬ構成（例えば、ｃｏｎｆｉｇ＿ｃｅｌｌ）を搬送することが可能であり、その構成をＷＴＲＵは、ブロードキャストシグナリングによって受信することが可能である。ＷＴＲＵ、例えるなら動的ＴＤＤ  ＷＴＲＵは、別のＴＤＤ  ＵＬ／ＤＬ構成、例えるなら、ＷＴＲＵ固有の、または手順固有のＴＤＤ  ＵＬ／ＤＬ構成（例えば、ｃｏｎｆｉｇ＿ｗｔｒｕ＿１）を受信することが可能であり、その別のＴＤＤ  ＵＬ／ＤＬ構成は、ｃｏｎｆｉｇ＿ｃｅｌｌとは異なり得るものである。例えばｃｏｎｆｉｇ＿ｃｅｌｌおよびｃｏｎｆｉｇ＿ｗｔｒｕ＿１対は、ｃｏｎｆｉｇ＿ｗｔｒｕ＿１により指示されるＵＬサブフレームが、ｃｏｎｆｉｇ＿ｃｅｌｌにより指示されるＵＬサブフレームのサブセットであり得るという方途で選択され得る。ＷＴＲＵは、ｃｏｎｆｉｇ＿ｗｔｒｕ＿１、または、任意の他のＷＴＲＵ固有の、もしくは手順固有のＴＤＤ  ＵＬ／ＤＬ構成を、受信および／または決定することを、任意の方法および／または手順、例えるなら、本明細書で説明されるものを使用して行うことが可能である。
【０３３３】
ＷＴＲＵは、ｃｏｎｆｉｇ＿ｃｅｌｌを、ＵＬスケジューリング、および／またはＵＬスケジューリングタイミング、および／またはＰＵＳＣＨ  ＨＡＲＱタイミングに対する参照として使用することが可能である。
【０３３４】
ＵＬスケジューリングは、以下のことの１または複数を含み得るものであり、以下のこととは、ＵＬグラントを、指示されるＤＬサブフレームで受信すること、および、タイミング関係性を使用することであり、その関係性は、ＵＬグラント（または、ＰＨＩＣＨによるＵＬ  ＨＡＲＱフィードバック）が受信され得るサブフレームと、リソースがＵＬデータ送信（または、再送信）に対して割り振られ得る、対応するサブフレームとの間のものである。ＵＬスケジューリングタイミングは、ＵＬグラント（または、ＰＨＩＣＨによるＵＬ  ＨＡＲＱフィードバック）が受信され得るサブフレームと、リソースがＵＬデータ送信（または、再送信）に対して割り振られ得る、対応するサブフレームとの間のタイミング（または、タイミング関係性）を含み得る。ＰＵＳＣＨ  ＨＡＲＱタイミングは、ＵＬデータの送信（例えば、ＵＬ送信のサブフレーム）と、その対応するＨＡＲＱフィードバック、例えばＰＨＩＣＨの受信（または、そのフィードバックの受信に対するサブフレーム）との間のタイミング（または、タイミング関係性）を含み得る。
【０３３５】
競合するサブフレームは、ＵＬとｃｏｎｆｉｇ＿ｃｅｌｌで、および、ＤＬとｃｏｎｆｉｇ＿ｗｔｒｕ＿１で特色付けられ得るサブフレームからなり得る。
【０３３６】
ＷＴＲＵは、ＰＤＣＣＨおよび／またはＥＰＤＣＣＨを監視すること、および／または、ＰＤＳＣＨグラント、およびその対応するＰＤＳＣＨ送信を受信することをサブフレームで行うことが可能であり、そのサブフレームは、ＤＬサブフレームとして、ｃｏｎｆｉｇ＿ｃｅｌｌおよびｃｏｎｆｉｇ＿ｗｔｒｕ＿１の両方で指示され得るものである。
【０３３７】
ＷＴＲＵはさらに、ＰＤＣＣＨおよび／またはＥＰＤＣＣＨを監視すること、および／または、ＰＤＳＣＨグラント、およびその対応するＰＤＳＣＨ送信を受信することをサブフレームで行うことが可能であり、そのサブフレームは、ＤＬとして、ＷＴＲＵ固有の、または手順固有のＴＤＤ構成、例えばｃｏｎｆｉｇ＿ｗｔｒｕ＿１により指示され得るものであり、その場合、そのようなサブフレームは、ＵＬサブフレームとして、ｃｏｎｆｉｇ＿ｃｅｌｌでは指示される場合がある。
【０３３８】
ＷＴＲＵは、ＰＤＳＣＨグラント、およびその対応するＰＤＳＣＨ送信をサブフレームで予測し得ないものであり、そのサブフレームは、ＷＴＲＵが暗黙に、および／または明示的に、ＵＬ送信を遂行することを要求されていたものである。
【０３３９】
ＰＤＳＣＨグラントの、ＷＴＲＵによる、ｃｏｎｆｉｇ＿ｗｔｒｕ＿１に対応する競合するサブフレームでの、受信および／または検出の際に、ＷＴＲＵは、何らのＵＬ送信もそのサブフレームでは遂行し得ない。
【０３４０】
ＷＴＲＵは、ＰＤＣＣＨおよび／またはＥＰＤＣＣＨを監視すること、および／または、ＰＤＳＣＨグラント、およびその対応するＰＤＳＣＨ送信を受信することを、競合するサブフレームで行うことが可能である。
【０３４１】
ｅＮＢは、何らの信号もＷＴＲＵからサブフレームで受信することを予測し得ないものであり、そのサブフレームは、ＤＬサブフレームとして、セル固有のＴＤＤ  ＵＬ／ＤＬ構成で指示されるものである。ＷＴＲＵは、何らの信号もサブフレームで送信し得ないものであり、そのサブフレームは、ＤＬサブフレームとして、セル固有のＴＤＤ  ＵＬ／ＤＬ構成で指示されるものである。
【０３４２】
ＷＴＲＵは、サブフレームの１つまたはセットのＵＬ／ＤＬ方向を、手順、例えるなら本明細書で説明されるものにしたがって決定することが可能である。
【０３４３】
ＷＴＲＵは、ＨＡＲＱフィードバックを、ＰＤＳＣＨ受信に対して、参照ＷＴＲＵ固有の、または手順固有のＴＤＤ  ＵＬ／ＤＬ構成、例えばｃｏｎｆｉｇ＿ｗｔｒｕ＿２のタイミングによって提供することが可能である。このＴＤＤ  ＵＬ／ＤＬ構成、例えばｃｏｎｆｉｇ＿ｗｔｒｕ＿２は、ｃｏｎｆｉｇ＿ｗｔｒｕ＿１のそれと同じであり得る。この事例では、両方の構成は、単一のＷＴＲＵ／手順固有のＴＤＤ  ＵＬ／ＤＬ構成、例えばｃｏｎｆｉｇ＿ｗｔｒｕ＿１により指示され得る。
【０３４４】
与えられたＷＴＲＵに対して、ｅＮＢは、そのＷＴＲＵと同じサブフレーム方向および／またはタイミング関係性にしたがう（または、それらのサブフレーム方向および／またはタイミング関係性を使用する）ことを、スケジューリングおよび／またはＨＡＲＱに対して行うことが可能である。
【０３４５】
本明細書で説明される機構および技法を実装するための実施形態の別の例は、以下のようなものである。例の構成要素は、任意の順序で、全体的に、または部分的に遂行され得る。この例ではＷＴＲＵは、ＷＴＲＵ固有のＴＤＤ  ＵＬ／ＤＬ構成にしたがう（または、その構成を使用する）ことを、ある手順に対して行うことが可能である。
【０３４６】
ＷＴＲＵ、例えるなら動的ＴＤＤ  ＷＴＲＵは、ｃｏｎｆｉｇ＿ｃｅｌｌ  ＴＤＤ  ＵＬ／ＤＬ構成を、ＳＩＢ１によって受信することが可能である。ＷＴＲＵは、ＷＴＲＵ／手順固有のＴＤＤ  ＵＬ／ＤＬ構成、例えばｃｏｎｆｉｇ＿ｗｔｒｕ＿１を受信することが可能であり、そのｃｏｎｆｉｇ＿ｗｔｒｕ＿１は、ｃｏｎｆｉｇ＿ｃｅｌｌとは異なり得るものである。例えばｃｏｎｆｉｇ＿ｃｅｌｌおよびｃｏｎｆｉｇ＿ｗｔｒｕ＿１対は、ｃｏｎｆｉｇ＿ｗｔｒｕ＿１により指示されるＵＬサブフレームが、ｃｏｎｆｉｇ＿ｃｅｌｌにより指示されるＵＬサブフレームのサブセットであり得るというような方途で選択され得る。ＷＴＲＵは、ｃｏｎｆｉｇ＿ｗｔｒｕ＿１、および／または、任意の他のＷＴＲＵ／手順固有のＴＤＤ  ＵＬ／ＤＬ構成を、受信および／または決定することを、本明細書で説明される手順を使用して行うことが可能である。
【０３４７】
競合するサブフレームは、ＵＬとｃｏｎｆｉｇ＿ｃｅｌｌで、および、ＤＬとｃｏｎｆｉｇ＿ｗｔｒｕ＿１で特色付けられるサブフレームからなり得る。
【０３４８】
ＷＴＲＵは、ｃｏｎｆｉｇ＿ｗｔｒｕ＿１を、参照タイミングおよび／または機会ルールに対して、ＵＬスケジューリング（例えば、ＵＬグラントの受信と、ＵＬデータの対応する送信、または送信のための割り振りとの間のタイミング）、および／または、ＰＵＳＣＨ  ＨＡＲＱタイミング（例えば、ＵＬデータの送信と、その対応するＨＡＲＱフィードバック、例えるならＰＨＩＣＨの受信との間のタイミング）、および／または、ＵＬ再送信（例えば、ＵＬ  ＨＡＲＱフィードバック（例えるならＰＨＩＣＨ）の受信と、ＵＬデータの潜在的な再送信との間のタイミング）に対して使用することが可能である。
【０３４９】
ＷＴＲＵは、ｃｏｎｆｉｇ＿ｗｔｒｕ＿１、または、別のＷＴＲＵ／手順固有のＴＤＤ  ＵＬ／ＤＬ構成を、タイミングおよび／または機会ルールに対して、ＰＤＳＣＨ受信およびＰＤＳＣＨ  ＨＡＲＱタイミングに対して使用することが可能である。
【０３５０】
ＷＴＲＵは、ＰＤＳＣＨ、および、そのグラントするＰＤＣＣＨまたはＥＰＤＣＣＨを、１つまたは若干の競合するサブフレームで予測し得るものであり、それらのサブフレームは、無線フレームごとに、場合によってはｅＮＢスケジューラにより制御されて変化し得るものである。
【０３５１】
ＷＴＲＵは、１つまたは若干の競合するサブフレームで送信し得ないものであり、それらのサブフレームは、無線フレームごとに、場合によってはｅＮＢスケジューラにより制御されて変化し得るものである。
【０３５２】
レガシーＷＴＲＵによりＵＬサブフレームであると考えられ得る、または常に考えられ得る、あるサブフレームは、さらに、ＵＬサブフレームとして動的ＴＤＤ  ＷＴＲＵにより考えられ得る、または常に考えられ得る。
【０３５３】
ｅＮＢは、何らの信号もＷＴＲＵからサブフレームで受信することを予測し得ないものであり、そのサブフレームは、ＤＬサブフレームとして、セル固有のＴＤＤ  ＵＬ／ＤＬ構成で指示されるものである。ＷＴＲＵは、何らの信号もサブフレームで送信し得ないものであり、そのサブフレームは、ＤＬサブフレームとして、セル固有のＴＤＤ  ＵＬ／ＤＬ構成で指示されるものである。
【０３５４】
ＷＴＲＵは、サブフレームの１つまたはセットのＵＬ／ＤＬ方向を、本明細書で説明される手順にしたがって決定することが可能である。
【０３５５】
別の実施形態ではＷＴＲＵは、セル固有のＴＤＤ  ＵＬ／ＤＬ構成、ｃｏｎｆｉｇ＿ｃｅｌｌ、ならびに、２つのＷＴＲＵ固有の、または手順固有のＵＬ／ＤＬ構成、ｃｏｎｆｉｇ＿ｗｔｒｕ１およびｃｏｎｆｉｇ＿ｗｔｒｕ２を使用することが可能である。以下のものの１または複数が、適用することが可能である。
【０３５６】
ＷＴＲＵは、ｃｏｎｆｉｇ＿ｃｅｌｌを、ＵＬスケジューリングおよび／またはＵＬ  ＨＡＲＱタイミング関係性に対して使用することが可能である。ＷＴＲＵは、ｃｏｎｆｉｇ＿ｃｅｌｌを使用することを、ＤＲＸサイクル、ページングオケージョン、およびＰＲＡＣＨリソースの１または複数を決定するために行うことが可能である。ＷＴＲＵは、ｃｏｎｆｉｇ＿ｗｔｒｕ１を、ＤＬスケジューリングおよび／またはＤＬ  ＨＡＲＱタイミング関係性に対して使用することが可能である。ＷＴＲＵは、ｃｏｎｆｉｇ＿ｗｔｒｕ２を、サブフレーム方向に対して、与えられたフレームで使用することが可能である。ｃｏｎｆｉｇ＿ｗｔｒｕ１および／またはｃｏｎｆｉｇ＿ｗｔｒｕ２でのＵＬサブフレームは、ｃｏｎｆｉｇ＿ｃｅｌｌでのＵＬサブフレームのサブセットであり得る。ｃｏｎｆｉｇ＿ｗｔｒｕ２でのＤＬサブフレームは、ｃｏｎｆｉｇ＿ｗｔｒｕ１でのＤＬサブフレームのサブセットであり得る。構成ｃｏｎｆｉｇ＿ｗｔｒｕ１およびｃｏｎｆｉｇ＿ｗｔｒｕ２は、ｅＮＢによりＷＴＲＵに、物理層、ＭＡＣ、またはＲＲＣシグナリングにより提供され得るものであり、それらは、異なるシグナリングにより提供され得る。例えばｃｏｎｆｉｇ＿ｗｔｒｕ１は、ＲＲＣシグナリングにより提供され得るものであり、ｃｏｎｆｉｇ＿ｗｔｒｕ２は、例えば物理層シグナリングにより提供され得るものであり、そのためｃｏｎｆｉｇ＿ｗｔｒｕ２は、ｃｏｎｆｉｇ＿ｗｔｒｕ１より急速なレートで変化させられ得る。ＷＴＲＵは、ｃｏｎｆｉｇ＿ｗｔｒｕ２に対して監視すること、および、そのｃｏｎｆｉｇ＿ｗｔｒｕ２を受信することを予測することを、ＤＣＩフォーマットで、あるフレームのあるサブフレームで、例えるならｎ個のフレームごとのサブフレーム０で行うことが可能であり、ただし例えば、ｎは１、４、または構成可能であり得るものであり、または、サブフレームおよび／またはフレームのパターンは構成可能であり得る。ＷＴＲＵが、予測されるｃｏｎｆｉｇ＿ｗｔｒｕ２を受信し得ない、または逃し得る場合、ＷＴＲＵは、サブフレーム方向を、ｃｏｎｆｉｇ＿ｗｔｒｕ１またはｃｏｎｆｉｇ＿ｃｅｌｌにより定義されるように使用することが可能であり、そのようにすることを、それが、有効なｃｏｎｆｉｇ＿ｗｔｒｕ２を受信し得るまで行うことが可能である。ＷＴＲＵは、ＰＤＣＣＨおよび／またはＥＰＤＣＣＨをサブフレームで監視することが可能であり、それらのサブフレームは、それが、ＤＬサブフレームであると理解し得るものである。ＴＤＤ  ＵＬ／ＤＬ構成を使用して、サブフレーム方向、または、ｃｏｎｆｉｇ＿ｗｔｒｕ１とｃｏｎｆｉｇ＿ｃｅｌｌとの間の競合するサブフレームの方向を指示する代わりに、方向の指示が使用され得る（例えば、ビットマップ、サブフレーム組み合わせの表へのインデックス等々）。
【０３５７】
ＴＤＤ  ＵＬ／ＤＬ構成を使用して、サブフレーム方向を指示することへの代替案として、ｃｏｎｆｉｇ＿ｗｔｒｕ２は別の手段を表す場合があり、その手段は、サブフレーム方向、または、ｃｏｎｆｉｇ＿ｃｅｌｌとｃｏｎｆｉｇ＿ｗｔｒｕ１との間の競合するサブフレームの方向を伝えるためのものであり、例えば、ビットマップ、または、可能とされるサブフレーム方向組み合わせの表またはリストへのインデックスが使用され得る。
【０３５８】
本明細書で説明される機構および技法を実装するための実施形態のさらに別の例として、制御シグナリングが、サブフレーム＃６の状態をトグルするために使用され得る。ＷＴＲＵ固有のＴＤＤ  ＵＬ／ＤＬ構成による動作をサポートし得るＷＴＲＵ（その能力は、ＷＴＲＵ能力交換の部分として報告され得る）は、ブロードキャストされるシグナリングの受信によって、セル固有のＴＤＤ  ＵＬ／ＤＬ構成によって構成され得る。ＷＴＲＵはさらに、ＷＴＲＵ固有のＴＤＤ  ＵＬ／ＤＬ構成によって、専用化されたＲＲＣシグナリングにより構成され得る。
【０３５９】
ＷＴＲＵの受信されるＴＤＤ  ＵＬ／ＤＬ構成であって、場合によっては、ブロードキャストおよび／またはＲＲＣシグナリングによって、例えばｅＮＢから受信されるものは、以下のものによるものであり得る。ＷＴＲＵ固有のＴＤＤ  ＵＬ／ＤＬ構成は、構成３、４、および５のうちの１つであり得る。
【０３６０】
ＷＴＲＵ固有のＴＤＤ  ＵＬ／ＤＬ構成が構成され得ることになると、ＷＴＲＵは、ＵＬ  ＨＡＲＱフィードバックを、ＵＬサブフレームで、無線フレームの第１の半分で送信することのみが可能である。これは、セル固有のＴＤＤ  ＵＬ／ＤＬ構成がＷＴＲＵにより使用され得るか、または、ＷＴＲＵ固有のＵＬ／ＤＬ  ＴＤＤ構成がＷＴＲＵにより使用され得るかに非依存的に適用可能であり得る。例えば、ＨＡＲＱフィードバックのタイミングは常に、基礎構成３、４、または５のうちの１つにしたがい得る（または、その１つを使用し得る）ものであり、それらの構成のどれでも、ＷＴＲＵ固有のＴＤＤ  ＵＬ／ＤＬ構成として構成されるものであり得る。場合によってはＰＵＣＣＨフォーマット３が、そのような事例で構成され得る。これは、ＰＵＣＣＨ送信を安定にし、現在のＴＤＤ  ＵＬ／ＤＬ構成に非依存的にすることが可能である。これはさらに、より一般的に、任意のタイプのＵＬ送信、例えばＣＳＩに、および、ＳＲＳ、Ｄ−ＳＲにも適用可能であることが、ｅＮＢにより制御される構成態様によってあり得る。
【０３６１】
ＷＴＲＵ固有のＴＤＤ  ＵＬ／ＤＬ構成が構成されると、（ＵＬ）スケジューリングに対する動的ＴＤＤ制御シグナリングのタイミングは、アクティブＴＤＤ  ＵＬ／ＤＬ構成（セル固有の、またはＷＴＲＵ固有の）にしたがう（または、そのアクティブＴＤＤ  ＵＬ／ＤＬ構成を使用する）ことが可能である、または常に可能である。
【０３６２】
ＷＴＲＵ固有のＴＤＤ  ＵＬ／ＤＬ構成が構成されると、ＰＨＩＣＨ（またはＥＰＨＩＣＨ、どちらも適用可能である）に対する制御シグナリングのタイミングは、セル固有のＵＬ／ＤＬ  ＴＤＤ割り振りにしたがう（または、その割り振りを使用する）ことが可能である、または常に可能である。
【０３６３】
制御シグナリングは、サブフレーム＃６を、通常のＤＬサブフレームと特殊サブフレーム（例えば、ＤｗＰＴＳを伴うサブフレーム）との間でトグルするために使用され得る。制御シグナリングは、次の無線フレーム境界の開始での処理遅延の後に適用され得る。
【０３６４】
与えられた無線フレームに対して、サブフレーム＃６の状態が特殊サブフレームのそれであり得るならば、ＷＴＲＵは、ＵＬ／ＤＬ構成が、セル固有のＵＬ／ＤＬ  ＴＤＤ構成によるものであり得ると考えることが可能であり、対応するＤＬ対ＵＬ遷移を、無線フレームの第２の半分で遂行することが可能である。
【０３６５】
与えられた無線フレームに対して、サブフレーム＃６の状態が通常のＤＬサブフレームのそれであり得るならば、ＷＴＲＵは、ＵＬ／ＤＬ構成が、ＷＴＲＵ固有のＵＬ／ＤＬ  ＴＤＤ構成によるものであり得ると考えることが可能であり、例えばＷＴＲＵは、何らのＤＬ対ＵＬ遷移を、無線フレームの第２の半分で遂行し得ない。
【０３６６】
測定の目的で、ＷＴＲＵは暗黙に、サブフレーム制約を、セル固有のＴＤＤ構成に基づいて導出することが可能である。
【０３６７】
ネットワーク観点から、決まったＷＴＲＵ、例えるならすべてのＷＴＲＵ（レガシーＷＴＲＵを含み得る）は、例えば、セル固有のＴＤＤ  ＵＬ／ＤＬ構成によって構成され得るものであり、その構成は、構成＃１に対応し得るものである。ＷＴＲＵ固有のＴＤＤ  ＵＬ／ＤＬ動作をサポートし得るＷＴＲＵは、構成＃４によって構成され得る。
【０３６８】
機構を実装するための、および本明細書で説明される実施形態の別の例として、ＷＴＲＵは、以下の動作の少なくとも１つを、ＷＴＲＵ固有のＤＬサブフレームで遂行することが可能である。与えられたＤＬ手順が、あるサブフレームに対して遂行され得るか否かは、手順が遂行され得るときのサブフレームの方向の関数であり得る。例えばＷＴＲＵは、ＲＬＭに関係付けられた測定（例えば、同期成立／同期外れ評価）をそのようなサブフレームで遂行することが可能である、または常に可能である。あるいはＷＴＲＵは、そのようなサブフレームをそのような測定に対して考え得ない、または決して考え得ない。あるいは、そのような測定が遂行され得るか否かは、構成に基礎付けられ得る。別の例として、ＲＳＲＰ測定に対してＷＴＲＵは、そのようなサブフレームを考え得る、もしくは常に考え得るものであり、そのようなサブフレームを考え得ない、もしくは決して考え得ないものであり、または、そのような測定が遂行され得るか否かは、構成に基礎付けられ得る。第３の例として、ＤＬ経路損失推定に対してＷＴＲＵは、そのようなサブフレームを考え得る、もしくは常に考え得るものであり、そのようなサブフレームを考え得ない、もしくは決して考え得ないものであり、または、そのような測定が遂行されるか否かは、構成への基礎付けられたものであり得る。
【０３６９】
本明細書で説明される方法を実装するための実施形態の別の例として、進行中のＵＬ  ＨＡＲＱプロセスの、以前のＴＤＤ  ＵＬ／ＤＬ構成の最後の無線フレームから、新しいＴＤＤ  ＵＬ／ＤＬ構成の次の（例えば、第１の）利用可能な無線フレームへの、１つまたは若干のＵＬ  ＨＡＲＱプロセスを一時停止する可能性を伴う遷移手順は、以前のＴＤＤ  ＵＬ／ＤＬ構成、例えば構成Ｘ、および、新しいＴＤＤ  ＵＬ／ＤＬ構成、例えば構成Ｙの対に依存し得る。以降、ＴＤＤ  ＵＬ／ＤＬ構成の対（Ｘ，Ｙ）は、遷移対と呼ばれることが、別段に記述されない限り行われ得る。
【０３７０】
初期ＵＬ送信および／またはＵＬ再送信に対する、ＴＤＤ  ＵＬ／ＤＬ構成Ｘの最後の無線フレームでのＵＬグラントが、ＷＴＲＵにより無視されることが、それが、ＰＵＳＣＨ送信を次の無線フレームで要求する場合にあり得る。
【０３７１】
ＵＬ  ＨＡＲＱプロセスは、ＰＵＳＣＨ送信およびＰＨＩＣＨ／ＵＬグラント受信の、ＷＴＲＵによるもののシリーズからなり得る。
【０３７２】
ＴＤＤ  ＵＬ／ＤＬ構成Ｘの最後の無線フレームでのＵＬ  ＨＡＲＱプロセスは、ＴＤＤ  ＵＬ／ＤＬ構成ＹのＨＡＲＱプロセスにマッピングされ得るものであり、ＴＤＤ  ＵＬ／ＤＬ構成Ｙの第１の無線フレームで継続され得るものであり、それらのことは、以下のシナリオの少なくとも１つまたは組み合わせが出現する場合のことである。
【０３７３】
第１のシナリオではＷＴＲＵは、ＰＵＳＣＨ  ＨＡＲＱフィードバック（例えば、ＰＨＩＣＨ）を、構成Ｘの最後の無線フレームで受信することが可能である。このシナリオは、以下の条件の少なくとも１つまたは組み合わせが起こり得るときに適用することが可能であり、以下の条件とは、１）ＴＤＤ  ＵＬ／ＤＬ構成Ｘの最後の無線フレームで、ＷＴＲＵが、ＵＬ  ＨＡＲＱフィードバック（例えるなら、ＰＨＩＣＨ）を、サブフレーム、例えばサブフレームｎで受信したことがあり得るものであり、そのことが、ＰＵＳＣＨ再送信を、次の無線フレームで、ＴＤＤ  ＵＬ／ＤＬ構成Ｘのタイミングによってトリガしたことがあり得る、２）ＴＤＤ  ＵＬ／ＤＬ構成Ｙでのサブフレームｎ（上記で説明されたような）が、少なくとも１つのＰＨＩＣＨリソースを内包し得るものであり、そのことが、潜在的にＰＨＩＣＨを内包し得たものであり、そのＰＨＩＣＨは、ＰＵＳＣＨ送信に対する、以前の無線フレームでの、ＴＤＤ  ＵＬ／ＤＬ構成Ｙのタイミングによるものである、というものである。
【０３７４】
この事例ではＷＴＲＵは、受信されるＵＬ  ＨＡＲＱフィードバックを、ＴＤＤ  ＵＬ／ＤＬ構成Ｙのタイミングによって受信されるＵＬ  ＨＡＲＱフィードバックとして解釈することが可能であり、ＷＴＲＵは、ＰＵＳＣＨを再送信することを、ＴＤＤ  ＵＬ／ＤＬ構成Ｙの第１の無線フレームで、ＴＤＤ  ＵＬ／ＤＬ構成Ｙのタイミングに基づいて、場合によっては、多少の無線フレームが、遷移の間に、本文書で説明されるようにスキップされることを伴って行うことが可能である。
【０３７５】
第２のシナリオではＷＴＲＵは、ＰＵＳＣＨを、構成Ｘの最後の無線フレームで送信することが可能である。このシナリオは、以下の条件の少なくとも１つまたは組み合わせが起こり得るときに適用することが可能であり、以下の条件とは、１）ＴＤＤ  ＵＬ／ＤＬ構成Ｘの最後の無線フレームで、ＷＴＲＵが、ＰＵＳＣＨを、ＵＬサブフレーム、例えばサブフレームｎで送信したことがあり得るものであり、そのことでＷＴＲＵは、ＵＬ  ＨＡＲＱフィードバック（例えるなら、ＰＨＩＣＨ）を、次の無線フレームで、ＴＤＤ  ＵＬ／ＤＬ構成Ｘによって予測していたことがあり得る、２）ＴＤＤ  ＵＬ／ＤＬ構成Ｙでのサブフレームｎ（上記で説明されたような）が、ＵＬサブフレームであり得るものであり、そのことが、ＰＵＳＣＨ再送信を内包し得たものであり、その再送信は、ＵＬ  ＨＡＲＱフィードバック（例えば、ＰＨＩＣＨ）および／またはＵＬグラントにより、以前の無線フレームで、ＴＤＤ  ＵＬ／ＤＬ構成Ｙのタイミングによってトリガされるものである、というものである。
【０３７６】
この事例ではＷＴＲＵは、送信されるＰＵＳＣＨを、ＴＤＤ  ＵＬ／ＤＬ構成Ｙのタイミングによって送信されるＰＵＳＣＨとして解釈することが可能であり、ＷＴＲＵは、対応するＵＬ  ＨＡＲＱフィードバック（例えば、ＰＨＩＣＨ）を予測することを、ＴＤＤ  ＵＬ／ＤＬ構成Ｙの第１の無線フレームで、ＴＤＤ  ＵＬ／ＤＬ構成Ｙのタイミングに基づいて、場合によっては、多少の無線フレームが、遷移の間に、本文書で説明されるようにスキップされることを伴って行うことが可能である。
【０３７７】
表７ａは、ＵＬ  ＨＡＲＱプロセスの最大数の例を例示するものであり、それらのプロセスは、ＴＤＤ  ＵＬ／ＤＬ構成ＸからＴＤＤ  ＵＬ／ＤＬ構成Ｙに移転され得るものであり、そのことは、ＷＴＲＵが、ＴＤＤ  ＵＬ／ＤＬ構成Ｙのタイミングにしたがう（または、そのタイミングを使用する）ことを遷移の間に行い得るときのことである。上記のシナリオ、および、提供される解決策を考えると、移転されるＵＬ  ＨＡＲＱプロセスの最大数は、ＸおよびＹ  ＴＤＤ  ＵＬ／ＤＬ構成の各々の対に対して算出され得るものであり、表７ａに示されるようなものであり得る。
【０３７８】
【表８】
0006043876.tif 000034
【０３７９】
別の例では、ＵＬ  ＨＡＲＱプロセス遷移の間のＷＴＲＵ挙動は、ＷＴＲＵが、以前のＴＤＤ  ＵＬ／ＤＬ構成のタイミングにしたがうことを含み得る。
【０３８０】
進行中のＵＬ  ＨＡＲＱプロセスの、以前のＴＤＤ  ＵＬ／ＤＬ構成の最後の無線フレームから、新しいＴＤＤ  ＵＬ／ＤＬ構成の次の（例えば、第１の）利用可能な無線フレームへの、１つまたは若干のＵＬ  ＨＡＲＱプロセスを一時停止する可能性を伴う遷移手順は、以前のＴＤＤ  ＵＬ／ＤＬ構成、例えば構成Ｘ、および、新しいＴＤＤ  ＵＬ／ＤＬ構成、例えば構成Ｙの対に依存し得る。以降、ＴＤＤ  ＵＬ／ＤＬ構成の対（Ｘ，Ｙ）は、遷移対と呼ばれることが、別段に記述されない限り行われ得る。
【０３８１】
初期ＵＬ送信および／またはＵＬ再送信に対する、ＴＤＤ  ＵＬ／ＤＬ構成Ｘの最後の無線フレームでのＵＬグラントが、ＷＴＲＵにより無視されることが、ＷＴＲＵが、ＰＵＳＣＨ送信を次の無線フレームで要求し得る場合にあり得る。
【０３８２】
ＵＬ  ＨＡＲＱプロセスは、ＰＵＳＣＨ送信およびＰＨＩＣＨ／ＵＬグラント受信の、ＷＴＲＵによるもののシリーズからなり得る。
【０３８３】
ＴＤＤ  ＵＬ／ＤＬ構成Ｘの最後の無線フレームでのＵＬ  ＨＡＲＱプロセスは、ＴＤＤ  ＵＬ／ＤＬ構成ＹのＨＡＲＱプロセスにマッピングされ得るものであり、ＴＤＤ  ＵＬ／ＤＬ構成Ｙの第１の無線フレームで継続され得るものであり、それらのことは、以下のシナリオの少なくとも１つまたは組み合わせが出現する場合のことである。
【０３８４】
第１のシナリオではＷＴＲＵは、ＰＵＳＣＨ  ＨＡＲＱフィードバック（例えば、ＰＨＩＣＨ）を、構成Ｘの最後の無線フレームで受信することが可能である。このシナリオは、以下の条件の少なくとも１つまたは組み合わせが起こり得るときに適用することが可能であり、以下の条件とは、１）ＴＤＤ  ＵＬ／ＤＬ構成Ｘの最後の無線フレームで、ＷＴＲＵが、ＵＬ  ＨＡＲＱフィードバック（例えるなら、ＰＨＩＣＨ）を、サブフレーム、例えばサブフレームｎで受信したことがあり得るものであり、そのことが、ＰＵＳＣＨ再送信を、次の無線フレームのサブフレームｍで、ＴＤＤ  ＵＬ／ＤＬ構成Ｘのタイミングによってトリガしたことがあり得る、２）ＴＤＤ  ＵＬ／ＤＬ構成Ｙでのサブフレームｍが、ＵＬサブフレームであり得るものであり、そのことが、ＰＵＳＣＨ再送信を内包し得たものであり、その再送信は、ＵＬ  ＨＡＲＱフィードバック（例えば、ＰＨＩＣＨ）および／またはＵＬグラントにより、以前の無線フレームで、ＴＤＤ  ＵＬ／ＤＬ構成Ｙのタイミングによってトリガされるものである、というものである。
【０３８５】
この事例ではＷＴＲＵは、ＰＵＳＣＨを、ＴＤＤ  ＵＬ／ＤＬ構成Ｙの第１の無線フレームのサブフレームｍで再送信することが可能であり、その後でそれは、ＵＬサブフレームｍのＵＬ  ＨＡＲＱタイミングにしたがう（または、そのタイミングを使用する）ことを継続することを、ＴＤＤ  ＵＬ／ＤＬ構成Ｙによって、場合によっては、多少の無線フレームが、遷移の間に、本文書で説明されるようにスキップされることを伴って行うことが可能である。
【０３８６】
第２のシナリオではＷＴＲＵは、ＰＵＳＣＨを、構成Ｘの最後の無線フレームで送信することが可能である。このシナリオは、以下の条件の少なくとも１つまたは組み合わせが起こり得るときに適用することが可能であり、以下の条件とは、１）ＴＤＤ  ＵＬ／ＤＬ構成Ｘの最後の無線フレームで、ＷＴＲＵが、ＰＵＳＣＨを、ＵＬサブフレーム、例えばＵＬサブフレームｎで送信したことがあり得るものであり、そのことでＷＴＲＵは、ＵＬ  ＨＡＲＱフィードバック（例えば、ＰＨＩＣＨ）を、次の無線フレームのサブフレームｍで、ＴＤＤ  ＵＬ／ＤＬ構成Ｘによって予測していたことがあり得る、２）ＴＤＤ  ＵＬ／ＤＬ構成Ｙでのサブフレームｍが、さらにＰＨＩＣＨリソースを内包し得るものであり、そのことが、潜在的にＰＨＩＣＨを内包し得たものであり、そのＰＨＩＣＨは、ＰＵＳＣＨ送信に対する、以前の無線フレームでの、ＴＤＤ  ＵＬ／ＤＬ構成Ｙのタイミングによるものである、というものである。
【０３８７】
この事例ではＷＴＲＵは、ＵＬ  ＨＡＲＱフィードバック（例えば、ＰＨＩＣＨ）を、ＴＤＤ  ＵＬ／ＤＬ構成Ｙの第１の無線フレームのサブフレームｍで予測することが可能であり、そのことの後でＷＴＲＵは、サブフレームｍで受信されるＵＬ  ＨＡＲＱフィードバックのＨＡＲＱタイミングにしたがう（または、そのタイミングを使用する）ことを継続することを、ＴＤＤ  ＵＬ／ＤＬ構成Ｙのタイミングによって、場合によっては、多少の無線フレームが、遷移の間に、本文書で説明されるようにスキップされることを伴って行うことが可能である。
【０３８８】
表７ｂは、ＵＬ  ＨＡＲＱプロセスの最大数の例を例示するものであり、それらのプロセスは、ＴＤＤ  ＵＬ／ＤＬ構成ＸからＴＤＤ  ＵＬ／ＤＬ構成Ｙに移転され得るものであり、そのことは、ＷＴＲＵが、ＴＤＤ  ＵＬ／ＤＬ構成Ｘのタイミングにしたがうことを遷移の間に行うときのことである。上記のシナリオ、および、提供される解決策を考えると、移転されるＵＬ  ＨＡＲＱプロセスの最大数は、ＸおよびＹ  ＴＤＤ  ＵＬ／ＤＬ構成の各々の対に対して算出され得るものであり、表７ｂに提示されるようなものであり得る。
【０３８９】
【表９】
0006043876.tif 000035
【０３９０】
図５は、ＷＴＲＵでのＴＤＤ動作の第１の例を示す。ＷＴＲＵ５０１は、第１のＴＤＤ  ＵＬ／ＤＬ構成をセル（サービングセルであり得る）に対してｅＮＢ５０２から受信する（５０３）ことが可能である。ＷＴＲＵ５０１は、第２のＴＤＤ  ＵＬ／ＤＬ構成をセルに対してｅＮＢ５０２から受信する（５０４）ことが可能である。ＷＴＲＵ５０１は、第１のＴＤＤ  ＵＬ／ＤＬ構成と第２のＴＤＤ  ＵＬ／ＤＬ構成との間の競合する方向を伴うサブフレームに使用するための方向の指示をｅＮＢ５０２から受信する（５０５）ことが可能である。ＷＴＲＵ５０１は、ＵＬスケジューリングおよびＵＬ  ＨＡＲＱのタイミングに対して第１のＴＤＤ  ＵＬ／ＤＬ構成にしたがう（または、その構成を使用する）（５０６）ことが可能である。ＷＴＲＵ５０１は、ＤＬスケジューリングおよびＤＬ  ＨＡＲＱのタイミングに対して第２のＴＤＤ  ＵＬ／ＤＬ構成にしたがう（または、その構成を使用する）（５０７）ことが可能である。ＷＴＲＵ５０１は、受信される指示に基づいて、競合する方向を伴う各々のサブフレームに対して方向を決定する（５０８）ことが可能である。競合する方向を伴うサブフレームに対する決定された方向はＤＬであるという条件で、ＷＴＲＵ５０１は、制御および／またはデータチャネルを、ＤＬにおいてサブフレームでｅＮＢ５０２から受信する（５０９）ことが可能である。第１のＴＤＤ  ＵＬ／ＤＬ構成は、セル固有であり得、ｅＮＢによりシステム情報ブロックで送信され得る。第２のＴＤＤ  ＵＬ／ＤＬ構成は、ＷＴＲＵ固有であり得、ｅＮＢによりＲＲＣシグナリングで送信され得るものであり、そのシグナリングは、ＷＴＲＵ固有の、または専用化されたシグナリングであり得る。競合する方向を伴うサブフレームに使用するための方向の指示は、ｅＮＢにより、ＲＲＣまたは物理層シグナリングで送信され得る。
【０３９１】
図６は、ＷＴＲＵでのＴＤＤ動作の第２の例を示す。ＷＴＲＵ６０１は、セル固有のＴＤＤ  ＵＬ／ＤＬ構成をセル（サービングセルであり得る）に対してｅＮＢ６０２から受信する（６０３）ことが可能である。ＷＴＲＵ６０１は、ＵＬとして、セル固有のＴＤＤ  ＵＬ／ＤＬ構成で識別されるサブフレームが、ＤＬに対して、セルに対して、使用されるためのものである、または使用されることが意図されるかどうかに関する指示を受信する（６０４）ことが可能であり、ただし指示は、ｅＮＢ６０２から受信され得る。ＷＴＲＵ６０１は、指示に基づいて、ＵＬとして、セル固有のＴＤＤ  ＵＬ／ＤＬ構成で識別されるサブフレームが、ＤＬに対して、セルに対して、使用されるためのものである、または使用されることが意図されるかどうかを決定する（６０５）ことが可能である。セル固有のＴＤＤ  ＵＬ／ＤＬ構成でＵＬとして識別されるサブフレームが、ＤＬに対して、セルに対して、使用されるためのものであると決定される（または、ＤＬに対して、セルに対して、使用されることが意図されると決定される）という条件で、ＷＴＲＵ６０１は、制御および／またはデータチャネルを、ＤＬにおいてサブフレームで、セルに対して受信する（６０６）ことが可能であり、ただし制御および／またはデータチャネルは、ｅＮＢ６０２から受信され得るものである。セル固有のＴＤＤ  ＵＬ／ＤＬ構成は、ｅＮＢによりシステム情報ブロックで送信され得る。
【０３９２】
図７は、ｅＮＢでのＴＤＤ動作の第１の例を示す。ｅＮＢ７０２は、第１のＴＤＤ  ＵＬ／ＤＬ構成をセルに対してＷＴＲＵ７０１に送信する（７０３）ことが可能である。ｅＮＢ７０２は、第２のＴＤＤ  ＵＬ／ＤＬ構成をセルに対してＷＴＲＵ７０１に送信する（７０４）ことが可能である。ｅＮＢ７０２は、第１のＴＤＤ  ＵＬ／ＤＬ構成と第２のＴＤＤ  ＵＬ／ＤＬ構成との間の競合する方向を伴うサブフレームに使用するための方向の指示をＷＴＲＵ７０１に送信する（７０５）ことが可能である。ｅＮＢ７０２は、ＷＴＲＵ７０１のためのＵＬスケジューリングおよびＵＬ  ＨＡＲＱのタイミングに対して第１のＴＤＤ  ＵＬ／ＤＬ構成にしたがう（または、その構成を使用する）（７０６）ことが可能である。ｅＮＢ７０２は、ＷＴＲＵのためのＤＬスケジューリングおよびＤＬ  ＨＡＲＱのタイミングに対して第２のＴＤＤ  ＵＬ／ＤＬ構成にしたがう（または、その構成を使用する）こと（７０７）ことが可能である。ｅＮＢ７０２は、制御および／またはデータチャネルを、ＤＬで、ＷＴＲＵ７０１に、第１のＴＤＤ  ＵＬ／ＤＬ構成ではＵＬであるサブフレームで送信する（７０８）ことが可能である。そのような送信は、ｅＮＢにより、競合するサブフレームで遂行され得る、または遂行されるのみであり得、それらの競合するサブフレームは、ＤＬとして、送信される指示７０５で識別され得る。第１のＴＤＤ  ＵＬ／ＤＬ構成は、セル固有であり得、ｅＮＢによりシステム情報ブロックで送信され得る。第１のＴＤＤ  ＵＬ／ＤＬ構成の、ｅＮＢ７０２による、ＷＴＲＵ７０１への送信は、ブロードキャストシグナリングによるものであり得、そのシグナリングは、具体的にはＷＴＲＵ７０１に向けられ得ない。第２のＴＤＤ  ＵＬ／ＤＬ構成は、ＷＴＲＵ固有であり得、ｅＮＢによりＲＲＣシグナリングで送信され得るものであり、そのシグナリングは、ＷＴＲＵ固有の、または専用化されたシグナリングであり得る。
【０３９３】
図８は、ｅＮＢでのＴＤＤ動作の第２の例を示す。ｅＮＢ８０２は、セル固有のＴＤＤ  ＵＬ／ＤＬ構成をセルに対してＷＴＲＵ８０１に送信する（８０３）ことが可能である。ｅＮＢ８０２は、セル固有のＴＤＤ  ＵＬ／ＤＬ構成でＵＬとして識別されるサブフレームが、ＤＬに対して、セルに対して、使用され得る、または使用されるためのものである、または使用されることが意図されるかどうかに関する指示を、ＷＴＲＵ８０１に送信する（８０４）ことが可能である。ｅＮＢ８０２は、制御および／またはデータチャネルを、ＤＬで、セル固有のＴＤＤ  ＵＬ／ＤＬ構成でＵＬとして識別されるサブフレームで、セルに対して、ＷＴＲＵ８０１に送信する（８０５）ことが可能である。そのような送信は、ｅＮＢにより、競合するサブフレームで遂行され得る、または遂行されるのみであり得、それらの競合するサブフレームは、ＤＬとして、送信される指示８０４で識別され得る。
【０３９４】
（実施形態）
１．ワイヤレス送信／受信ユニット（ＷＴＲＵ）での時分割複信（ＴＤＤ）動作のための方法であって、
サービングセルに対する第１のＴＤＤアップリンク（ＵＬ）／ダウンリンク（ＤＬ）構成を受信するステップ
を備える方法。
【０３９５】
２．サービングセルに対する第２のＴＤＤ  ＵＬ／ＤＬ構成を受信するステップ
をさらに備える実施形態１に記載の方法。
【０３９６】
３．第１のＴＤＤ  ＵＬ／ＤＬ構成と第２のＴＤＤ  ＵＬ／ＤＬ構成との間の競合する方向を伴うサブフレームに使用するための方向の指示を受信するステップ
をさらに備える実施形態１または２に記載の方法。
【０３９７】
４．ＵＬスケジューリングおよびＵＬハイブリッド自動再送要求（ＨＡＲＱ）のタイミングに対して第１のＴＤＤ  ＵＬ／ＤＬ構成を使用するステップ
をさらに備える実施形態１乃至３のいずれか一項に記載の方法。
【０３９８】
５．ＤＬスケジューリングおよびＤＬ  ＨＡＲＱのタイミングに対して第２のＴＤＤ  ＵＬ／ＤＬ構成を使用するステップ
をさらに備える実施形態１乃至４のいずれか一項に記載の方法。
【０３９９】
６．受信される指示に基づいて、競合する方向を伴う各々のサブフレームに対して方向を決定するステップ
をさらに備える実施形態１乃至５のいずれか一項に記載の方法。
【０４００】
７．競合する方向を伴うサブフレームに対する決定された方向はＤＬであるという条件で、ＤＬにおいてサブフレームで受信する実施形態１乃至６のいずれか一項に記載の方法。
【０４０１】
８．ＤＬにおいてサブフレームで受信するステップは、物理ダウンリンク制御チャネル（ＰＤＣＣＨ）を監視するステップ、エンハンストＰＤＣＣＨ（ＥＰＤＣＣＨ）を監視するステップ、物理ハイブリッドＡＲＱインジケータチャネル（ＰＨＩＣＨ）を復号するステップ、および、物理ダウンリンク共有チャネル（ＰＤＳＣＨ）を復号するステップの少なくとも１つを含む実施形態１乃至７のいずれか一項に記載の方法。
【０４０２】
９．第１のＴＤＤ  ＵＬ／ＤＬ構成はセル固有である実施形態１乃至８のいずれか一項に記載の方法。
【０４０３】
１０．第２のＴＤＤ  ＵＬ／ＤＬ構成はＷＴＲＵ固有である実施形態１乃至９のいずれか一項に記載の方法。
【０４０４】
１１．特定のサブフレームはＤＬとして指示されるという条件で、特定のサブフレームに対して、スケジューリングされたＵＬ送信を解消するステップ
をさらに備える実施形態１乃至１０のいずれか一項に記載の方法。
【０４０５】
１２．セル固有のＴＤＤ  ＵＬ／ＤＬ構成は、システム情報ブロックでＷＴＲＵに提供される実施形態１乃至１１のいずれか一項に記載の方法。
【０４０６】
１３．サブフレームに使用するための方向の指示をＷＴＲＵが受信しないという条件で、ＷＴＲＵは、各々の競合するサブフレームでブラインド復号を遂行して、サブフレームがＤＬ使用に対して意図されるか否かを決定する実施形態１乃至１２のいずれか一項に記載の方法。
【０４０７】
１４．ブラインド復号は、物理ダウンリンク制御チャネル（ＰＤＣＣＨ）およびエンハンストＰＤＣＣＨ（ＥＰＤＣＣＨ）の少なくとも１つを監視するステップを含む実施形態１乃至１３のいずれか一項に記載の方法。
【０４０８】
１５．ブラインド復号は、ＷＴＲＵがスケジューリングされたＵＬ送信を有する競合するサブフレームでは遂行されず、ＷＴＲＵは、スケジューリングされたように、競合するサブフレームで送信する実施形態１乃至１４のいずれか一項に記載の方法。
【０４０９】
１６．ＷＴＲＵは、ＷＴＲＵに対して意図される物理ハイブリッドＡＲＱインジケータチャネル（ＰＨＩＣＨ）がＷＴＲＵによりＤＬであることが予測される任意のサブフレームの方向を決定する実施形態１乃至１５のいずれか一項に記載の方法。
【０４１０】
１７．特殊サブフレームのフォーマットおよび位置をダウンリンク制御情報（ＤＣＩ）の部分として受信して、特殊サブフレームの動的構成を可能にするステップ
をさらに備える実施形態１乃至１６のいずれか一項に記載の方法。
【０４１１】
１８．更新されたＴＤＤ  ＵＬ／ＤＬ構成を受信して、第１のＴＤＤ  ＵＬ／ＤＬ構成、または第２のＴＤＤ  ＵＬ／ＤＬ構成の少なくとも１つを置換するステップ
をさらに備える実施形態１乃至１７のいずれか一項に記載の方法。
【０４１２】
１９．以前の進行中のＵＬ／ＤＬ  ＨＡＲＱプロセスの少なくとも１つを、更新されたＴＤＤ  ＵＬ／ＤＬ構成に対応する少なくとも１つの新しいＵＬ／ＤＬ  ＨＡＲＱプロセスにマッピングするステップ
をさらに備える実施形態１乃至１８のいずれか一項に記載の方法。
【０４１３】
２０．ワイヤレス送信／受信ユニット（ＷＴＲＵ）での時分割複信（ＴＤＤ）動作のための方法であって、
サービングセルに対するセル固有のＴＤＤ  ＵＬ／ＤＬ構成を受信するステップ
を備える方法。
【０４１４】
２１．セル固有のＴＤＤ  ＵＬ／ＤＬ構成でＵＬとして識別されるサブフレームがサービングセルに対してＤＬに使用されるためのものであるか否かに関する指示を受信するステップ
をさらに備える実施形態２０に記載の方法。
【０４１５】
２２．指示に基づいて、セル固有のＴＤＤ  ＵＬ／ＤＬ構成でＵＬとして識別されるサブフレームがサービングセルに対してＤＬに使用されるためのものであるか否かを決定するステップ
をさらに備える実施形態２０または２１に記載の方法。
【０４１６】
２３．セル固有のＴＤＤ  ＵＬ／ＤＬ構成でＵＬとして識別されるサブフレームがサービングセルに対してＤＬに使用されるためのものであると決定されるという条件で、ＤＬにおいてサブフレームで、サービングセルに対して受信する実施形態２０乃至２２のいずれか一項に記載の方法。
【０４１７】
２４．ＤＬにおいてサブフレームで受信するステップは、物理ダウンリンク制御チャネル（ＰＤＣＣＨ）を監視するステップ、エンハンストＰＤＣＣＨ（ＥＰＤＣＣＨ）を監視するステップ、物理ハイブリッドＡＲＱインジケータチャネル（ＰＨＩＣＨ）を復号するステップ、および、物理ダウンリンク共有チャネル（ＰＤＳＣＨ）を復号するステップの少なくとも１つを含む実施形態２０乃至２３のいずれか一項に記載の方法。
【０４１８】
２５．特定のサブフレームはＤＬとして指示されるという条件で、特定のサブフレームに対して、スケジューリングされたＵＬ送信を解消するステップ
をさらに備える実施形態２０乃至２４のいずれか一項に記載の方法。
【０４１９】
２６．セル固有のＴＤＤ  ＵＬ／ＤＬ構成は、システム情報ブロックでＷＴＲＵに提供される実施形態２０乃至２５のいずれか一項に記載の方法。
【０４２０】
２７．進化型ノードＢ（ｅＮＢ）での時分割複信（ＴＤＤ）のための方法であって、
セルに対する第１のＴＤＤ  ＵＬ／ＤＬ構成を送信するステップ
を備える方法。
【０４２１】
２８．セルに対する第２のＴＤＤ  ＵＬ／ＤＬ構成を少なくとも１つのＷＴＲＵに送信するステップ
をさらに備える実施形態２７に記載の方法。
【０４２２】
２９．少なくとも１つのＷＴＲＵに、第１のＴＤＤ  ＵＬ／ＤＬ構成と第２のＴＤＤ  ＵＬ／ＤＬ構成との間の競合する方向を伴うサブフレームに使用するための方向の指示を送信するステップ
をさらに備える実施形態２７または２８に記載の方法。
【０４２３】
３０．少なくとも１つのＷＴＲＵのために、ＵＬスケジューリングおよびＵＬハイブリッド自動再送要求（ＨＡＲＱ）のタイミングに対して第１のＴＤＤ  ＵＬ／ＤＬ構成を使用するステップ
をさらに備える実施形態２７乃至２９のいずれか一項に記載の方法。
【０４２４】
３１．少なくとも１つのＷＴＲＵのために、ＤＬスケジューリングおよびＤＬ  ＨＡＲＱのタイミングに対して第２のＵＬ／ＤＬ構成を使用するステップ
をさらに備える実施形態２７乃至３０のいずれか一項に記載の方法。
【０４２５】
３２．ＤＬにおいて、第１のＴＤＤ  ＵＬ／ＤＬ構成ではＵＬである少なくとも１つのサブフレームで送信するステップ
をさらに備える実施形態２７乃至３１のいずれか一項に記載の方法。
【０４２６】
３３．ｅＮＢは、少なくとも１つの他のＷＴＲＵのために、ＵＬスケジューリングおよびＨＡＲＱ動作とＤＬスケジューリングおよびＨＡＲＱ動作の両方に対して第１のＴＤＤ  ＵＬ／ＤＬ構成を使用する実施形態２７乃至３２のいずれか一項に記載の方法。
【０４２７】
３４．第１のＴＤＤ  ＵＬ／ＤＬ構成はセル固有である実施形態２７乃至３３のいずれか一項に記載の方法。
【０４２８】
３５．第２のＴＤＤ  ＵＬ／ＤＬ構成はＷＴＲＵ固有である実施形態２７乃至３４のいずれか一項に記載の方法。
【０４２９】
３６．時分割複信（ＴＤＤ）動作のためのワイヤレス送信／受信ユニット（ＷＴＲＵ）であって、
サービングセルに対する第１のＴＤＤアップリンク（ＵＬ）／ダウンリンク（ＤＬ）構成を受信するように構成される受信機
を備えるワイヤレス送信／受信ユニット（ＷＴＲＵ）。
【０４３０】
３７．受信機は、サービングセルに対する第２のＴＤＤ  ＵＬ／ＤＬ構成を受信するようにさらに構成されること
をさらに備える実施形態３６に記載の方法。
【０４３１】
３８．受信機は、第１のＴＤＤ  ＵＬ／ＤＬ構成と第２のＴＤＤ  ＵＬ／ＤＬ構成との間の競合する方向を伴うサブフレームに使用するための方向の指示を受信するようにさらに構成されること
をさらに備える実施形態３６または３７に記載の方法。
【０４３２】
３９．ＵＬスケジューリングおよびＵＬハイブリッド自動再送要求（ＨＡＲＱ）のタイミングに対して第１のＴＤＤ  ＵＬ／ＤＬ構成を使用するように構成されるプロセッサ
をさらに備える実施形態３６乃至３８のいずれかに記載の方法。
【０４３３】
４０．プロセッサは、ＤＬスケジューリングおよびＤＬ  ＨＡＲＱのタイミングに対して第２のＴＤＤ  ＵＬ／ＤＬ構成を使用するようにさらに構成されること
をさらに備える実施形態３６乃至３９のいずれかに記載の方法。
【０４３４】
４１．プロセッサは、指示に基づいて、競合する方向を伴う各々のサブフレームに対して方向を決定するようにさらに構成されること
をさらに備える実施形態３６乃至４０のいずれかに記載の方法。
【０４３５】
４２．競合する方向を伴うサブフレームに対する決定された方向はＤＬであるという条件で、ＤＬにおいてサブフレームで受信する実施形態３６乃至４１のいずれかに記載の方法。
【０４３６】
４３．ＤＬにおいてサブフレームで受信するステップは、物理ダウンリンク制御チャネル（ＰＤＣＣＨ）を監視するステップ、エンハンストＰＤＣＣＨ（ＥＰＤＣＣＨ）を監視するステップ、物理ハイブリッドＡＲＱインジケータチャネル（ＰＨＩＣＨ）を復号するステップ、および、物理ダウンリンク共有チャネル（ＰＤＳＣＨ）を復号するステップの少なくとも１つを含む実施形態３６乃至４２のいずれかに記載の方法。
【０４３７】
４４．第１のＴＤＤ  ＵＬ／ＤＬ構成はセル固有である実施形態３６乃至４３のいずれかに記載の方法。
【０４３８】
４５．第２のＴＤＤ  ＵＬ／ＤＬ構成はＷＴＲＵ固有である実施形態３６乃至４４のいずれかに記載の方法。
【０４３９】
特徴および要素が上記で、特定の組み合わせで説明されているが、当業者は、各々の特徴または要素が、単独で、または他の特徴および要素との任意の組み合わせで使用され得るということを十分認識するであろう。加えて本明細書で説明された方法は、コンピュータ可読メディアに組み込まれるコンピュータプログラム、ソフトウェア、またはファームウェアの形で実装されることが、コンピュータまたはプロセッサによる実行のために行われ得る。コンピュータ可読メディアの例は、電子信号（有線またはワイヤレス接続を介して送信される）、およびコンピュータ可読記憶メディアを含む。コンピュータ可読記憶メディアの例は、読み出し専用メモリ（ＲＯＭ）、ランダムアクセスメモリ（ＲＡＭ）、レジスタ、キャッシュメモリ、半導体メモリデバイス、磁気メディア、例えるなら内蔵ハードディスクおよび取り外し可能ディスク、磁気光学メディア、ならびに、光学メディア、例えるならＣＤ−ＲＯＭディスクおよびデジタルバーサタイルディスク（ＤＶＤ）を含むが、それらに制限されない。ソフトウェアと関連状態にあるプロセッサは、無線周波数トランシーバを実装するために使用され得るものであり、ＷＴＲＵ、ＵＥ、端末、基地局、ＲＮＣ、または任意のホストコンピュータでの使用のためのものである。
【図１】
0006043876.tif 000036
【図２】
0006043876.tif 000037
【図３Ａ】
0006043876.tif 000038
【図３Ｂ】
0006043876.tif 000039
【図３Ｃ】
0006043876.tif 000040
【図３Ｄ】
0006043876.tif 000041
【図３Ｅ】
0006043876.tif 000042
【図３Ｆ】
0006043876.tif 000043
【図４Ａ】
0006043876.tif 000044
【図４Ｂ】
0006043876.tif 000045
【図４Ｃ】
0006043876.tif 000046
【図５】
0006043876.tif 000047
【図６】
0006043876.tif 000048
【図７】
0006043876.tif 000049
【図８】
0006043876.tif 000050